(57)【要約】      （修正有）【課題】特性時間（ＣＴ）の制御及び調整機構を有するゴルフ用クラブのヘッドを提供する。【解決手段】フェース部は異なる厚さを有する。ゴルフ用クラブヘッドのクラウン部の面積重量は、クラウン部の全表面積の約５０％以上にわたって約０．３５ｇ／ｃｍ２未満である。ゴルフ用クラブヘッドのソール部の面積重量は、ソール部の全表面積の約５０％以上にわたって約０．３５ｇ／ｃｍ２未満である。打撃フェースは、打撃フェースの中心を中心とし、ヒール−トウ方向において細長い４０ミリメートル×２０ミリメートルの矩形領域によって規定される中心領域を有する。中心領域内において、フェース部の最大厚さは５ｍｍ以下であり、フェース部の最小厚さは２．４ｍｍ以上である。【選択図】図１
2019130294.tif 000002
【特許請求の範囲】
【請求項１】
内部空洞を規定し、
ゴルフ用クラブヘッドの底部領域に配置されたソール部であって、ソール表面領域を有するソール部；
ゴルフ用クラブヘッドの頂部領域に配置されたクラウン部であって、クラウン表面領域を有するクラウン部；
前記ソール部と前記クラウン部との間でゴルフ用クラブヘッドの周囲に配置されたスカート部；
前方領域；
前記前方領域の反対側の後方領域；
ヒール領域；及び
前記ヒール領域の反対側のトウ領域
を含む本体、
前記本体の前記前方領域で前記本体に結合され、打撃フェース、及び前記打撃フェースの反対側の内面を含むフェース部
を備えるゴルフ用クラブヘッド。
ただし、
前記フェース部は異なる厚さを有し；
前記ゴルフ用クラブヘッドの前記クラウン部の面積重量は、前記クラウン部の全表面領域の約５０％以上にわたって約０．３５ｇ／ｃｍ２未満であり；
前記ゴルフ用クラブヘッドの前記ソール部の面積重量は、前記ソール部の全表面領域の約５０％以上にわたって約０．３５ｇ／ｃｍ２未満であり；
前記打撃フェースは、前記打撃フェースの中心を中心とし、ヒール−トウ方向に細長い４０ミリメートル×２０ミリメートルの矩形領域によって規定される中心領域を有し；
前記中心領域内において、前記フェース部の最大厚さは５ｍｍ以下であり、前記フェース部の最小厚さは２．４ｍｍ以上であり；
前記中心領域内において、前記打撃フェースは、２５７マイクロ秒以下の特性時間（ＣＴ）を有し；
前記中心領域内において、前記打撃フェースの２５％以上は、少なくとも０．８の反発係数（ＣＯＲ）を有し；
前記中心領域内において、前記打撃フェースの６０％以上は、少なくとも２３５マイクロ秒のＣＴを有し；及び
前記中心領域内において、前記打撃フェースの５０％以上は、少なくとも２４０マイクロ秒のＣＴを有する。
【請求項２】
前記打撃フェースの２０％以上は、少なくとも２４５マイクロ秒のＣＴを有する請求項１に記載のゴルフ用クラブヘッド。
【請求項３】
前記中心領域内の前記打撃フェースの少なくとも６０％は、少なくとも２４０マイクロ秒のＣＴを有する請求項１に記載のゴルフ用クラブヘッド。
【請求項４】
前記中心領域内の前記打撃フェースの少なくとも４０％は、少なくとも２４５マイクロ秒のＣＴを有する請求項１に記載のゴルフ用クラブヘッド。
【請求項５】
前記中心領域内の前記打撃フェースの少なくとも１０％は、少なくとも２５０マイクロ秒のＣＴを有する請求項１に記載のゴルフ用クラブヘッド。
【請求項６】
前記打撃フェースの中心から少なくとも５ミリメートル内の前記打撃フェース上の任意の位置におけるＣＴは、２４０マイクロ秒より大きい請求項１に記載のゴルフ用クラブヘッド。
【請求項７】
前記ゴルフ用クラブヘッドは、約−５ｍｍ乃至約５ｍｍのヘッドセンターフェース原点ｘ軸座標及び約２５ｍｍ乃至約５０ｍｍのヘッドセンターフェース原点ｙ軸座標、並びに２ｍｍ未満のセンターフェースヘッド原点ｚ軸座標を有する重心（ＣＧ）、を有する請求項１に記載のゴルフ用クラブヘッド。
【請求項８】
前記ゴルフ用クラブヘッドは、約３５０ｃｍ３乃至約５００ｃｍ３の体積、ヘッド重心ｚ軸周りの慣性モーメント（Ｉｚｚ）、及びヘッド重心ｘ軸周りの慣性モーメント（Ｉｘｘ）を有する請求項１に記載のゴルフ用クラブヘッド。
【請求項９】
ＩｚｚとＩｘｘの合計は約７４０ｋｇ・ｍｍ２乃至約１１００ｋｇ・ｍｍ２である請求項８に記載のゴルフ用クラブヘッド。
【請求項１０】
前記本体の前記内部空洞内に配置され、前記フェース部の前記内面と直接に接触する補強材をさらに含み、前記補強材は、少なくともショア５．９５Ｄの硬度を有する材料で作られている請求項１に記載のゴルフ用クラブヘッド。
【請求項１１】
前記本体の前記内部空洞内に配置され、前記フェース部の前記内面と直接に接触する複数の補強材をさらに含み、前記複数の補強材は、前記本体と同じ材料で作られた複数のリブである請求項１に記載のゴルフ用クラブヘッド。
【請求項１２】
前記複数のリブは、前記フェース部と前記クラウン部との間の移行部に近接して配置されている請求項１１に記載のゴルフ用クラブヘッド。
【請求項１３】
前記複数のリブのうち少なくとも一つは、＋１５ｍｍ乃至＋２５ｍｍのヘッド原点ｘ軸座標を有し、前記複数のリブのうち少なくとも一つは、−１５ｍｍ乃至−２５ｍｍのヘッド原点ｘ軸座標を有する請求項１１に記載のゴルフ用クラブヘッド。
【請求項１４】
前記本体の前記内部空洞内に配置され、ヘッド原点ｙ軸に沿って測定したときに、少なくとも１ｍｍで２０ｍｍ以下だけ前記フェース部の内面からオフセットされた複数の補強材をさらに含み、前記複数の補強材は、前記クラウン部の内面と前記ソール部の内面との間に延びる細長い補強部材である請求項１に記載のゴルフ用クラブヘッド。
【請求項１５】
前記複数の補強材は、二つ又はそれ以上のブレースバーを含み；かつ
前記二つ又はそれ以上のブレースバーは、０．００５ｇ／ｍｍ乃至０．４０ｇ／ｍｍの単位長さ当たりの質量をそれぞれ有する
請求項１４に記載のゴルフ用クラブヘッド。
【請求項１６】
前記複数の補強材のうち少なくとも一つは、＋１５ｍｍ乃至＋２５ｍｍのヘッド原点ｘ軸座標を有し、前記複数の補強材のうち少なくとも一つは、−１５ｍｍ乃至−２５ｍｍのヘッド原点ｘ軸座標を有する請求項１４に記載のゴルフ用クラブヘッド。
【請求項１７】
前記フェース部の最大厚さは４ｍｍ以下である請求項１に記載のゴルフ用クラブヘッド。
【請求項１８】
前記フェース部の最小厚さは３ｍｍ未満である請求項１に記載のゴルフ用クラブヘッド。
【請求項１９】
前記本体及び前記フェース部は、一体で、単一のモノリシック構造を形成する請求項１に記載のゴルフ用クラブヘッド。
【請求項２０】
前記フェース部は、フェース開口部と、前記フェース開口部に溶接された打撃プレートとを有する請求項１に記載のゴルフ用クラブヘッド。
【請求項２１】
前記ソール部から直立して突出し、ヒール−トウ方向において長手方向に延び、１５ＧＰａ乃至３５０ＧＰａの第１の弾性係数を有する第１の材料で作られている第１の壁；及び
前記本体の前記内部空洞内に配置され、前記フェース部の前記内面と前記第１の壁との間に配置された補強材をさらに含み、前記補強材は、前記第１の弾性係数未満の第２の弾性係数を有する第２の材料で作られ、前記第２の弾性係数は、０．５ＧＰａ乃至３０ＧＰａであり、前記第２の材料は、少なくともショア５．９５Ｄの硬度を有し、かつ前記補強材は、前記フェース部の前記内面に直接に接触する請求項１に記載のゴルフ用クラブヘッド。
【請求項２２】
前記ゴルフ用クラブヘッドはさらに、前記ソール部から直立して突出し、一般的に前後方向において長手方向に延び、前記第１の弾性係数未満の第３の弾性係数を有する第３の材料で作られている第２の壁を含み；
前記第２の弾性係数は、前記第３の弾性係数より大きく；
前記補強材は、前記第２の壁に当接し；
前記ゴルフ用クラブヘッドはさらに、前記ソール部から直立して突出し、一般的に前後方向において長手方向に延び、前記ヒール−トウ方向に平行な方向に前記第２の壁から離間して、前記第３の材料で作られている第３の壁を含み；
前記補強材は、前記第３の壁に当接し、前記第２の壁と前記第３の壁との間に配置されている請求項２１に記載のゴルフ用クラブヘッド。
【請求項２３】
前記第１の材料はチタン又は鋼のうちの一つであり；
前記第２の材料は発泡体であり；
前記第３の材料はアクリルである請求項２２に記載のゴルフ用クラブヘッド。
【発明の詳細な説明】
【発明の概要】
【０００１】
分野  
本開示は、一般にゴルフ用クラブに関し、より具体的には特性時間（ＣＴ）の制御及び調整機構を有するゴルフ用クラブのヘッドに関する。
【０００２】
背景  
現代の「ウッドタイプ」のゴルフ用クラブ（特に、「ドライバー」、「フェアウェイウッド」、及び「ユーティリティ又はハイブリッドクラブ」）は、チタンのような強度の高い、軽量の金属で作られる傾向があるため、一般に「メタルウッド」と呼ばれる。ドライバー又はフェアウェイウッドのような、例示的なメタルウッドゴルフ用クラブは、典型的に、中空シャフトと、シャフトの下端に結合されたゴルフ用クラブヘッドとを含む。最新のクラブヘッドの大部分は、少なくとも一部がチタン合金のような軽量だが強度の高い金属から作られている。ほとんどの場合、ゴルフ用クラブヘッドは、フェース部を有する中空本体を含む。フェース部は、適切なゴルフスイング中にゴルフボールと接触するように構成された、打撃プレートとして知られる前面を有する。
【０００３】
ゴルフ用クラブヘッドの構成を規定するＵＳＧＡ規則下において、打撃ゾーン内のフェース部の全ての点におけるゴルフ用クラブヘッドの特性時間（ＣＴ）は、規定されたＣＴ閾値を超えてはならない。従来のゴルフ用クラブヘッドは、規定されたＣＴ閾値を満たすことの代償として、いくつかのパフォーマンス特性を犠牲にし得る。例えば、いくつかのゴルフ用クラブヘッドは、そのような領域のＣＴ閾値を満たすための試みにおいて、フェース部の中心から離れた領域でフェース部を厚くしている。しかしながら、そのような試みは、フェース部の中心におけるＣＴの対応する減少をもたらした。さらに、ＣＴが規定されたＣＴ閾値を超えないことを確実にするために、いくつかの従来のゴルフ用クラブヘッドは、規定されたＣＴ閾値よりも低い、目的のＣＴの大きい標準偏差内にＣＴを有するように慎重に設計されている。しかしながら、そのような大きい標準偏差は、著しく不均一なパフォーマンス特性を有する製造されたゴルフ用クラブヘッドのバッチをもたらし得る。従って、規定されたＣＴ閾値を満たすと同時に、ゴルフ用クラブヘッドの他のパフォーマンス特性に対する悪影響を減少することは困難であり得る。
【０００４】
要約  
本出願の主題は、現在の最先端技術に対応して、特に、現在利用可能な技術によってまだ完全に解決されていないゴルフ用クラブ及び関連するゴルフ用クラブヘッドの欠点に対応して開発された。従って、本出願の主題は、先行技術の上述した欠点の少なくともいくつかを克服するゴルフ用クラブ及びゴルフ用クラブヘッドを提供するために開発された。
【０００５】
ゴルフ用クラブヘッドの特性時間（ＣＴ）は、振り子の端部にある金属の半球体が、フェース部に対して金属の半球体が跳ね返っている間にゴルフ用クラブヘッドのフェース部と接触したままでいる時間の長さである。振り子及び金属の半球体の特性、並びにＣＴ試験装置の制約は、ゴルフ用クラブヘッドの柔軟性の測定手順の下で全米ゴルフ協会（ＵＳＧＡ）によって規定され、これはwww.usga.orgで公開され、参照により本明細書に組み込まれる。ゴルフ用クラブヘッドのＣＴは、ゴルフ用クラブヘッドのフェース部の柔軟性又はスプリングのような効果に、直接に関する。言い換えれば、フェース部の柔軟性が高いほど、ゴルフ用クラブヘッドのＣＴは高い。ゴルフ用クラブヘッドの構成を規定するＵＳＧＡ規則下、打撃ゾーン内のフェース部の全ての点におけるゴルフ用クラブヘッドのＣＴは、規定されたＣＴ閾値を超えてはならない。
【０００６】
いくつかの例において、本開示のゴルフ用クラブヘッドは、従来のゴルフ用クラブヘッドと比較して、中心でのフェース部の性能に悪影響を及ぼすことなく、フェース部の中心から離れた位置でフェース部のＣＴを低下させるのに役立つ。さらに、特定の例において、本開示のゴルフ用クラブヘッドは、従来のゴルフ用クラブヘッドと比較して、製造されたゴルフ用クラブヘッドのバッチについてのＣＴの標準偏差を小さくする。
【０００７】
本明細書には、本体を含むゴルフ用クラブヘッドが開示される。本体は内部空洞を規定する。本体はまた、ゴルフ用クラブヘッドの底部領域に配置されたソール部を含む。ソール部はソール表面領域を有する。本体はさらに、ゴルフ用クラブヘッドの頂部領域に配置されたクラウン部を含む。クラウン部はクラウン表面領域を有する。本体はさらに、ソール部とクラウン部との間でゴルフ用クラブヘッドの周囲に配置されたスカート部、前方領域、前方領域の反対側の後方領域、ヒール領域、及びヒール領域の反対側のトウ領域を含む。ゴルフ用クラブヘッドはまた、本体の前方領域で本体に結合されたフェース部を含む。フェース部は、打撃フェース、及び打撃フェースの反対側の内面を含む。ゴルフ用クラブヘッドはさらに、本体の内部空洞内に配置された、フェース部の内面と直接に接触する複数の補強材を含む。補強材は、少なくともショア５．９５Ｄの硬度を有する材料で作られている。ゴルフ用クラブヘッドのクラウン部の面積重量は、クラウン部の全表面領域の約５０％以上にわたって約０．３５ｇ／ｃｍ２未満である。ゴルフ用クラブヘッドは、約−５ｍｍ乃至約５ｍｍのヘッドセンターフェース原点ｘ軸座標及び約２５ｍｍ乃至約５０ｍｍのヘッドセンターフェース原点ｙ軸座標、並びに２ｍｍ未満のセンターフェースヘッド原点ｚ軸座標を有する重心（ＣＧ）、を有する。打撃フェースは、打撃フェースの中心を中心とし、ヒール−トウ方向に細長い４０ミリメートル×２０ミリメートルの矩形領域によって規定される中心領域を有する。フェース部は異なる厚さを有する。中心領域内において、フェース部は、４．５ｍｍ以下の最大フェース厚さ及び２．０ｍｍ以上の最小フェース厚さを有する。中心領域内において、打撃フェースは、２５７マイクロ秒以下の特性時間（ＣＴ）を有する。中心領域内において、打撃フェースの２５％以上は、少なくとも０．８の反発係数（ＣＯＲ）を有する。中心領域内において、打撃フェースの６０％以上は、少なくとも２３５マイクロ秒のＣＴを有する。中心領域内において、打撃フェースの３５％以上は、少なくとも２４０マイクロ秒のＣＴを有する。ゴルフ用クラブヘッドは、約３５０ｃｍ３乃至約５００ｃｍ３の体積、ヘッド重心ｚ軸周りの慣性モーメント（Ｉｚｚ）、及びヘッド重心ｘ軸周りの慣性モーメント（Ｉｘｘ）を有する。ＩｚｚとＩｘｘの合計は、約７４０ｋｇ・ｍｍ２乃至約１１００ｋｇ・ｍｍ２である。本段落の前述の主題は本開示の例１を特徴付ける。
【０００８】
打撃フェースの２０％以上は、少なくとも２４５マイクロ秒のＣＴを有する。本段落の前述の主題は本開示の例２を特徴付け、例２はまた上記の例１に係る主題を含む。
【０００９】
中心領域内において、打撃フェースの５０％以上は、少なくとも０．８のＣＯＲを有する。本段落の前述の主題は本開示の例３を特徴付け、例３はまた上記の例１〜２のいずれか一つに係る主題を含む。
【００１０】
中心領域内において、打撃フェースの５５％以上は、少なくとも０．８のＣＯＲを有する。本段落の前述の主題は本開示の例４を特徴付け、例４はまた上記の例３に係る主題を含む。
【００１１】
中心領域内において、打撃フェースの６８％以上は、少なくとも０．８のＣＯＲを有する。本段落の前述の主題は本開示の例５を特徴付け、例５はまた上記の例４に係る主題を含む。
【００１２】
クラウン部の少なくとも一部は、非金属の複合材料で作られている。本段落の前述の主題は本開示の例６を特徴付け、例６はまた上記の例１〜５のいずれか一つに係る主題を含む。
【００１３】
クラウン部は、金属合金で作られている。本段落の前述の主題は本開示の例７を特徴付け、例７はまた上記の例１〜６のいずれか一つに係る主題を含む。
【００１４】
ゴルフ用クラブヘッドのソール部の面積重量は、ソール部の全表面領域の約５０％以上にわたって約０．３５ｇ／ｃｍ２未満である。本段落の前述の主題は本開示の例８を特徴付け、例８はまた上記の例１〜７のいずれか一つに係る主題を含む。
【００１５】
本体及びフェース部は、一体で、単一のモノリシック構造を形成する。本段落の前述の主題は本開示の例９を特徴付け、例９はまた上記の例１〜８のいずれか一つに係る主題を含む。
【００１６】
フェース部は、フェース開口部と、フェース開口部に溶接された打撃プレートとを含む。本段落の前述の主題は本開示の例１０を特徴付け、例１０はまた上記の例１〜９のいずれか一つに係る主題を含む。
【００１７】
ＩｚｚとＩｘｘの合計は、約７９０ｋｇ・ｍｍ２より大きい。本段落の前述の主題は本開示の例１１を特徴付け、例１１はまた上記の例１〜１０のいずれか一つに係る主題を含む。
【００１８】
ＩｚｚとＩｘｘの合計は、約８０５ｋｇ・ｍｍ２より大きい。本段落の前述の主題は本開示の例１２を特徴付け、例１２はまた上記の例１〜１１のいずれか一つに係る主題を含む。
【００１９】
Ｉｘｘは、３０５ｋｇ・ｍｍ２以上である。本段落の前述の主題は本開示の例１３を特徴付け、例１３はまた上記の例１〜１２のいずれか一つに係る主題を含む。
【００２０】
Ｉｘｘは、３２０ｋｇ・ｍｍ２以上である。本段落の前述の主題は本開示の例１４を特徴付け、例１４はまた上記の例１〜１３のいずれか一つに係る主題を含む。
【００２１】
Ｉｘｘは、３５０ｋｇ・ｍｍ２以上である。本段落の前述の主題は本開示の例１５を特徴付け、例１５はまた上記の例１〜１４のいずれか一つに係る主題を含む。
【００２２】
中心領域内の打撃フェースの少なくとも６０％は、少なくとも２４０マイクロ秒のＣＴを有する。本段落の前述の主題は本開示の例１６を特徴付け、例１６はまた上記の例１〜１５のいずれか一つに係る主題を含む。
【００２３】
中心領域内の打撃フェースの少なくとも７０％は、少なくとも２４０マイクロ秒のＣＴを有する。本段落の前述の主題は本開示の例１７を特徴付け、例１７はまた上記の例１６に係る主題を含む。
【００２４】
中心領域内の打撃フェースの少なくとも４０％は、少なくとも２４５マイクロ秒のＣＴを有する。本段落の前述の主題は本開示の例１８を特徴付け、例１８はまた上記の例１〜１７のいずれか一つに係る主題を含む。
【００２５】
中心領域内の打撃フェースの少なくとも５０％は、少なくとも２４５マイクロ秒のＣＴを有する。本段落の前述の主題は本開示の例１９を特徴付け、例１９はまた上記の例１８に係る主題を含む。
【００２６】
中心領域内の打撃フェースの少なくとも１０％は、少なくとも２５０マイクロ秒のＣＴを有する。本段落の前述の主題は本開示の例２０を特徴付け、例２０はまた上記の例１〜１９のいずれか一つに係る主題を含む。
【００２７】
中心領域内の打撃フェースの少なくとも１５％は、少なくとも２５０マイクロ秒のＣＴを有する。本段落の前述の主題は本開示の例２１を特徴付け、例２１はまた上記の例２０に係る主題を含む。
【００２８】
打撃フェースの中心から少なくとも５ミリメートル内の打撃フェース上の任意の位置におけるＣＴは、２４０マイクロ秒より大きい。本段落の前述の主題は本開示の例２２を特徴付け、例２２はまた上記の例１〜２１のいずれか一つに係る主題を含む。
【００２９】
打撃フェースのＣＴは、打撃フェースの中心を通る打撃フェース上の水平経路に沿って、打撃フェースの中心からトウ方向で少なくとも３０ミリメートルの距離でピークに達する。本段落の前述の主題は本開示の例２３を特徴付け、例２３はまた上記の例１〜２２のいずれか一つに係る主題を含む。
【００３０】
フェース部はさらに、フェース部を通って打撃フェースから内面まで延びる開口部と、開口部内に移動不能に固定され、保持されたプラグとを含む。プラグは、打撃フェースから０．１５ミリメートル以下突出するか、又は打撃フェースの表面より０．１ミリメートル以下落ち込んでいる。本段落の前述の主題は本開示の例２４を特徴付け、例２４はまた上記の例１〜２３のいずれか一つに係る主題を含む。
【００３１】
開口部は雌ネジを含む。プラグは、開口部の雌ネジと螺合する雄ネジを含む。本段落の前述の主題は本開示の例２５を特徴付け、例２５はまた上記の例２４つに係る主題を含む。
【００３２】
開口部はさらに、雌ネジと打撃フェースとの間に配置されたカウンターボアを含む。プラグは、カウンターボアと入れ子状に係合するヘッド部を含む。本段落の前述の主題は本開示の例２６を特徴付け、例２６はまた上記の例２５に係る主題を含む。
【００３３】
プラグは、補強材の一部を含む。本段落の前述の主題は本開示の例２７を特徴付け、例２７はまた上記の例２４〜２６のいずれか一つに係る主題を含む。
【００３４】
プラグはポリマー材料を含む。本段落の前述の主題は本開示の例２８を特徴付け、例２８はまた上記の例２４〜２６のいずれか一つに係る主題を含む。
【００３５】
さらに本明細書には、ゴルフ用クラブヘッドが開示される。ゴルフ用クラブヘッドは、内部空洞を規定し、ゴルフ用クラブヘッドの底部領域に配置されたソール部を含む本体、を含む。ソール部はソール表面領域を有する。本体はさらに、ゴルフ用クラブヘッドの頂部領域に配置されたクラウン部を含む。クラウン部はクラウン表面領域を有する。本体はまた、ソール部とクラウン部との間でゴルフ用クラブヘッドの周囲に配置されたスカート部を含む。本体はさらに、前方領域、前方領域の反対側の後方領域、ヒール領域、及びヒール領域の反対側のトウ領域を含む。ゴルフ用クラブヘッドはまた、本体の前方領域で本体に結合されたフェース部を含む。フェース部は、打撃フェース、及び打撃フェースの反対側の内面を含む。ゴルフ用クラブヘッドはさらに、本体の内部空洞内に配置され、フェース部の内面と直接に接触する複数の補強材を含む。複数の補強材は、本体と同じ材料で作られた複数のリブである。フェース部は異なる厚さを有する。フェース部の最大厚さは５ｍｍ以下であり、フェース部の最小厚さは３ｍｍ未満である。ゴルフ用クラブヘッドのクラウン部の面積重量は、クラウン部の全表面領域の約５０％以上にわたって約０．３５ｇ／ｃｍ２未満である。ゴルフ用クラブヘッドのソール部の面積重量は、ソール部の全表面領域の約５０％以上にわたって約０．３５ｇ／ｃｍ２未満である。打撃フェースは、打撃フェースの中心を中心とし、ヒール−トウ方向に細長い４０ミリメートル×２０ミリメートルの矩形領域によって規定される中心領域を有する。中心領域内において、打撃フェースは、２５７マイクロ秒以下の特性時間（ＣＴ）を有する。中心領域内において、打撃フェースの２５％以上は、少なくとも０．８の反発係数（ＣＯＲ）を有する。中心領域内において、打撃フェースの６０％以上は、少なくとも２３５マイクロ秒のＣＴを有する。中心領域内において、打撃フェースの３５％以上は、少なくとも２４０マイクロ秒のＣＴを有する。本段落の前述の主題は本開示の例２９を特徴付ける。
【００３６】
複数のリブは、フェース部とクラウン部との間の移行部に近接して配置されている。本段落の前述の主題は本開示の例３０を特徴付け、例３０はまた上記の例２９に係る主題を含む。
【００３７】
複数のリブは、フェース部とソール部との間の移行部に近接して配置されている。本段落の前述の主題は本開示の例３１を特徴付け、例３１はまた上記の例２９〜３０のいずれか一つに係る主題を含む。
【００３８】
本体及びフェース部は、一体で、単一のモノリシック構造を形成する。本段落の前述の主題は本開示の例３２を特徴付け、例３２はまた上記の例２９〜３１のいずれか一つに係る主題を含む。
【００３９】
フェース部は、フェース開口部と、フェース開口部に溶接された打撃プレートとを有する。本段落の前述の主題は本開示の例３３を特徴付け、例３３はまた上記の例２９〜３１のいずれか一つに係る主題を含む。
【００４０】
複数のリブのうち少なくとも一つは、＋１５ｍｍ乃至＋２５ｍｍのヘッド原点ｘ軸座標を有し、複数のリブのうち少なくとも一つは、−１５ｍｍ乃至−２５ｍｍのヘッド原点ｘ軸座標を有する。本段落の前述の主題は本開示の例３４を特徴付け、例３４はまた上記の例２９〜３３のいずれか一つに係る主題を含む。
【００４１】
さらに本明細書には、本体を含むゴルフ用クラブヘッドが開示される。本体は、内部空洞を規定し、ゴルフ用クラブヘッドの底部領域に配置されたソール部を含む。ソール部はソール表面領域を有する。本体はまた、ゴルフ用クラブヘッドの頂部領域に配置されたクラウン部を含む。クラウン部はクラウン表面領域を有する。本体はさらに、ソール部とクラウン部との間でゴルフ用クラブヘッドの周囲に配置されたスカート部、前方領域、前方領域の反対側の後方領域、ヒール領域、及びヒール領域の反対側のトウ領域を含む。本体はまた、本体の前方領域で本体に結合されたフェース部を含む。フェース部は、打撃フェース、及び打撃フェースの反対側の内面を含む。本体はさらに、本体の内部空洞内に配置され、ヘッド原点ｙ軸に沿って測定したときに、少なくとも１ｍｍで２０ｍｍ以下だけフェース部の内面からオフセットされた複数の補強材を含む。複数の補強材は、クラウン部の内面とソール部の内面との間に延びる細長い補強部材である。フェース部は異なる厚さを有する。フェース部の最大厚さは５ｍｍ以下であり、フェース部の最小厚さは３ｍｍ未満である。ゴルフ用クラブヘッドのクラウン部の面積重量は、クラウン部の全表面領域の約５０％以上にわたって約０．３５ｇ／ｃｍ２未満である。ゴルフ用クラブヘッドのソール部の面積重量は、ソール部の全表面領域の約５０％以上にわたって約０．３５ｇ／ｃｍ２未満である。打撃フェースは、打撃フェースの中心を中心とし、ヒール−トウ方向に細長い４０ミリメートル×２０ミリメートルの矩形領域によって規定される中心領域を有する。中心領域内において、打撃フェースは、２５７マイクロ秒以下の特性時間（ＣＴ）を有する。中心領域内において、打撃フェースの２５％以上は、少なくとも０．８の反発係数（ＣＯＲ）を有する。中心領域内において、打撃フェースの６０％以上は、少なくとも２３５マイクロ秒のＣＴを有する。中心領域内において、打撃フェースの３５％以上は、少なくとも２４０マイクロ秒のＣＴを有する。本段落の前述の主題は本開示の例３５を特徴付ける。
【００４２】
本体及びフェース部は、一体で、単一のモノリシック構造を形成する。本段落の前述の主題は本開示の例３６を特徴付け、例３６はまた上記の例３５に係る主題を含む。
【００４３】
フェース部は、フェース開口部と、フェース開口部に溶接された打撃プレートとを有する。本段落の前述の主題は本開示の例３７を特徴付け、例３７はまた上記の例３５に係る主題を含む。
【００４４】
中心領域内において、フェース部の厚さは打撃フェースの中心に近接して最大である。本段落の前述の主題は本開示の例３８を特徴付け、例３８はまた上記の例３５〜３７のいずれか一つに係る主題を含む。
【００４５】
打撃フェースの中心におけるフェース部の厚さは、２．９ｍｍより大きい。本段落の前述の主題は本開示の例３９を特徴付け、例３９はまた上記の例３５〜３８のいずれか一つに係る主題を含む。
【００４６】
複数の補強材は、二つ又はそれ以上のブレースバーを含む。二つ又はそれ以上のブレースバーは、０．００５ｇ／ｍｍ乃至０．４０ｇ／ｍｍの単位長さ当たりの質量をそれぞれ有する。本段落の前述の主題は本開示の例４０を特徴付け、例４０はまた上記の例３５〜３９のいずれか一つに係る主題を含む。
【００４７】
本体はさらにチャネルを含む。ゴルフ用クラブヘッドはさらに、チャネル内に配置された一つ又はそれ以上のポリマー補強材を含み、本体はさらにチャネルを含む。ゴルフ用クラブヘッドはさらに、チャネル内に配置された一つ又はそれ以上のポリマー補強材を含む。本段落の前述の主題は本開示の例４１を特徴付け、例４１はまた上記の例３５〜４０のいずれか一つに係る主題を含む。
【００４８】
複数の補強材のうち少なくとも一つは、＋１５ｍｍ乃至＋２５ｍｍのヘッド原点ｘ軸座標を有し、複数の補強材のうち少なくとも一つは、−１５ｍｍ乃至−２５ｍｍのヘッド原点ｘ軸座標を有する。本段落の前述の主題は本開示の例４２を特徴付け、例４２はまた上記の例３５〜４１のいずれか一つに係る主題を含む。
【００４９】
さらに本明細書には、本体を含むゴルフ用クラブヘッドが開示される。本体は内部空洞を規定し、ゴルフ用クラブヘッドの底部領域に配置されたソール部を含み、ソール部はソール表面領域を有する。本体はまた、ゴルフ用クラブヘッドの頂部領域に配置されたクラウン部を規定し、クラウン部はクラウン表面領域を有する。本体はさらに、ソール部とクラウン部との間でゴルフ用クラブヘッドの周囲に配置されたスカート部を規定する。本体はさらに、前方領域、前方領域の反対側の後方領域、ヒール領域、及びヒール領域の反対側のトウ領域を規定する。ゴルフ用クラブヘッドはまた、本体の前方領域で本体に結合されたフェース部を含み、打撃フェース、及び打撃フェースの反対側の内面を含む。フェース部は異なる厚さを有する。ゴルフ用クラブヘッドのクラウン部の面積重量は、クラウン部の全表面領域の約５０％以上にわたって約０．３５ｇ／ｃｍ２未満である。ゴルフ用クラブヘッドのソール部の面積重量は、ソール部の全表面領域の約５０％以上にわたって約０．３５ｇ／ｃｍ２未満である。打撃フェースは、打撃フェースの中心を中心とし、ヒール−トウ方向に細長い４０ミリメートル×２０ミリメートルの矩形領域によって規定される中心領域を有する。中心領域内において、フェース部の最大厚さは４ｍｍ以下であり、フェース部の最小厚さは２．４ｍｍ以上である。中心領域内において、打撃フェースは、２５７マイクロ秒以下の特性時間（ＣＴ）を有する。中心領域内において、打撃フェースの２５％以上は、少なくとも０．８の反発係数（ＣＯＲ）を有する。中心領域内において、打撃フェースの６０％以上は、少なくとも２３５マイクロ秒のＣＴを有する。中心領域内において、打撃フェースの５０％以上は、少なくとも２４０マイクロ秒のＣＴを有する。本段落の前述の主題は本開示の例４３を特徴付ける。
【００５０】
本体及びフェース部は、一体で、単一のモノリシック構造を形成する。本段落の前述の主題は本開示の例４４を特徴付け、例４４はまた上記の例４３に係る主題を含む。
【００５１】
フェース部は、フェース開口部と、フェース開口部に溶接された打撃プレートとを有する。本段落の前述の主題は本開示の例４５を特徴付け、例４５はまた上記の例４３に係る主題を含む。
【００５２】
中心領域内において、フェース部の厚さは打撃フェースの中心に近接して最大である。本段落の前述の主題は本開示の例４６を特徴付け、例４６はまた上記の例４３〜４５のいずれか一つに係る主題を含む。
【００５３】
打撃フェースの中心におけるフェース部の厚さは、２．９ｍｍより大きい。本段落の前述の主題は本開示の例４７を特徴付け、例４７はまた上記の例４３〜４６のいずれか一つに係る主題を含む。
【００５４】
中心領域内において、打撃フェースの１５％以上は、少なくとも２４５マイクロ秒のＣＴを有する。本段落の前述の主題は本開示の例４８を特徴付け、例４８はまた上記の例４３〜４７のいずれか一つに係る主題を含む。
【００５５】
本体のソール部、クラウン部、及びスカート部は、一体で、単一のモノリシック構造を形成し、フェース部はフェース開口部を含み、打撃プレートはフェース開口部を囲む。本段落の前述の主題は本開示の例４９を特徴付け、例４９はまた上記の例４３〜４８のいずれか一つに係る主題を含む。
【００５６】
フェース部は、フェース開口部と、フェース開口部に溶接された打撃プレートとを含む。本段落の前述の主題は本開示の例５０を特徴付け、例５０はまた上記の例４３及び４５〜４９のいずれか一つに係る主題を含む。
【００５７】
フェース部は、フェース開口部と、フェース開口部に結合され又は接着された打撃プレートとを含む。本段落の前述の主題は本開示の例５１を特徴付け、例５１はまた上記の例４３及び４５〜４９のいずれか一つに係る主題を含む。
【００５８】
本体及びフェース部は、一体で、単一のモノリシック構造を形成する。クラウン部はクラウン開口部を含み、クラウンインサートはクラウン開口部を囲む。クラウンインサートは、本体の残り及びフェース部よりも低密度の材料で形成されている。本段落の前述の主題は本開示の例５２を特徴付け、例５２はまた上記の例４３、４４、及び４６〜４９のいずれか一つに係る主題を含む。
【００５９】
ゴルフ用クラブヘッドはさらに、ソール部の内面からクラウン部の内面まで延びる二つ又はそれ以上のブレースバーを含み、二つ又はそれ以上のブレースバーのそれぞれは、０．００５ｇ／ｍｍ乃至０．４０ｇ／ｍｍの単位長さ当たりの質量を有する。本段落の前述の主題は本開示の例５３を特徴付け、例５３はまた上記の例４３〜５２のいずれか一つに係る主題を含む。
【００６０】
二つ又はそれ以上のブレースバーは、本体と同じ材料で形成されている。本段落の前述の主題は本開示の例５４を特徴付け、例５４はまた上記の例５３に係る主題を含む。
【００６１】
二つ又はそれ以上のブレースバーは、本体よりも低密度の材料で形成されている。本段落の前述の主題は本開示の例５５を特徴付け、例５５はまた上記の例５３〜５４のいずれか一つに係る主題を含む。
【００６２】
二つ又はそれ以上のブレースバーは、ゴルフ用クラブヘッドの重心のヘッド原点ｙ軸座標と、ゴルフ用クラブヘッドのフェース部のヘッド原点ｙ軸座標との間にヘッド原点ｙ軸座標を有する。本段落の前述の主題は本開示の例５６を特徴付け、例５６はまた上記の例５３〜５５のいずれか一つに係る主題を含む。
【００６３】
二つ又はそれ以上のブレースバーは、フェース部から１ｍｍ以上２０ｍｍ以下の間に配置されている。本段落の前述の主題は本開示の例５７を特徴付け、例５７はまた上記の例５３〜５６のいずれか一つに係る主題を含む。
【００６４】
二つ又はそれ以上のブレースバーは、ヘッド原点ｙ軸に沿って測定したときに、ゴルフ用クラブヘッドの重心から少なくとも２０ｍｍ前方に配置されている。本段落の前述の主題は本開示の例５８を特徴付け、例５８はまた上記の例５３〜５７のいずれか一つに係る主題を含む。
【００６５】
中心領域内において、フェース部の最も厚い部分の厚さに対するフェース部の最も薄い部分の厚さの比は、０．６０以上１．０以下である。本段落の前述の主題は本開示の例５９を特徴付け、例５９はまた上記の例５３〜５８のいずれか一つに係る主題を含む。
【００６６】
中心領域内において、フェース部の最も厚い部分の厚さに対するフェース部の最も薄い部分の厚さの比は、０．７０以上１．０以下である。本段落の前述の主題は本開示の例６０を特徴付け、例６０はまた上記の例５３〜５９のいずれか一つに係る主題を含む。
【００６７】
中心領域内において、打撃フェースの５０％以上は、少なくとも０．８のＣＯＲを有する。本段落の前述の主題は本開示の例６１を特徴付け、例６１はまた上記の例５３〜６０のいずれか一つに係る主題を含む。
【００６８】
本明細書には、本体及びフェース部を含むゴルフ用クラブヘッドが開示される。本体は内部空洞を規定し、ゴルフ用クラブヘッドの底部領域に配置されたソール部、ゴルフ用クラブヘッドの頂部領域に配置されたクラウン部、ソール部とクラウン部との間でゴルフ用クラブヘッドの周囲に配置されたスカート部、前方領域、前方領域の反対側の後方領域、ヒール領域、及びヒール領域の反対側のトウ領域を含む。フェース部は、本体の前方領域で本体に結合され、打撃プレートを含む。ゴルフ用クラブヘッドはさらに、内部空洞内に少なくとも一つのリブを含み、ゴルフ用クラブヘッドのクラブヘッド原点座標系のｘ軸座標が２０ｍｍより大きく５０ｍｍ未満又は−５０ｍｍより大きく−２０ｍｍ未満の位置でフェース部に直接に結合された少なくとも一つの補強材を含む。フェース部の高さに対する少なくとも一つのリブの高さの比は、０．１５以上である。本段落の前述の主題は本開示の例６２を特徴付ける。
【００６９】
フェース部の高さに対する少なくとも一つのリブの高さの比は、０．２０以上である。本段落の前述の主題は本開示の例６３を特徴付け、例６３はまた上記の例６２に係る主題を含む。
【００７０】
フェース部の高さに対する少なくとも一つのリブの高さの比は、０．２５以上である。本段落の前述の主題は本開示の例６４を特徴付け、例６４はまた上記の例６３に係る主題を含む。
【００７１】
少なくとも一つのリブは、底部領域でフェース部に直接に結合されている。少なくとも一つの補強材はさらに、頂部領域でフェース部に直接に結合された少なくとも一つのリブを含む。フェース部の高さに対する、底部領域でフェース部に直接に結合された少なくとも一つのリブの高さと、頂部領域でフェース部に直接に結合された少なくとも一つのリブの高さとの合計の比は、０．３以上である。本段落の前述の主題は本開示の例６５を特徴付け、例６５はまた上記の例６２〜６４のいずれか一つに係る主題を含む。
【００７２】
フェース部の高さに対する、底部領域でフェース部に直接に結合された少なくとも一つのリブの高さと、頂部領域でフェース部に直接に結合された少なくとも一つのリブの高さとの合計の比は、０．４以上である。本段落の前述の主題は本開示の例６６を特徴付け、例６６はまた上記の例６５に係る主題を含む。
【００７３】
少なくとも一つのリブは、ゴルフ用クラブヘッドのクラブヘッド原点座標系のｘ軸座標が３０ｍｍより大きく４０ｍｍ未満又は−４０ｍｍより大きく−３０ｍｍ未満の位置でフェース部に直接に結合されている。本段落の前述の主題は本開示の例６７を特徴付け、例６７はまた上記の例６２〜６６のいずれか一つに係る主題を含む。
【００７４】
少なくとも一つの補強材は、少なくとも二つのリブを含む。少なくとも二つのリブのうちの一つは、ゴルフ用クラブヘッドのクラブヘッド原点座標系のｘ軸座標が３０ｍｍより大きく４０ｍｍ未満の位置で、底部領域でフェース部に直接に結合されている。少なくとも二つのリブのうちの別の一つは、ゴルフ用クラブヘッドのクラブヘッド原点座標系のｘ軸座標が４０ｍｍより大きく５０ｍｍ未満の位置で、底部領域でフェース部に直接に結合されている。本段落の前述の主題は本開示の例６８を特徴付け、例６８はまた上記の例６２〜６７のいずれか一つに係る主題を含む。
【００７５】
フェース部の高さに対する、ゴルフ用クラブヘッドのクラブヘッド原点座標系のｘ軸座標が３０ｍｍより大きく４０ｍｍ未満の位置で、底部領域でフェース部に直接に結合された少なくとも二つのリブのうちの一つの高さの比は、０．１７である。フェース部の高さに対する、ゴルフ用クラブヘッドのクラブヘッド原点座標系のｘ軸座標が４０ｍｍより大きく５０ｍｍ未満の位置で、底部領域でフェース部に直接に結合された少なくとも二つのリブのうちの他の一つの高さの比は、０．２３である。本段落の前述の主題は本開示の例６９を特徴付け、例６９はまた上記の例６８に係る主題を含む。
【００７６】
少なくとも一つの補強材は、少なくとも二つのリブを含む。少なくとも二つのリブのうちの第１のリブは、ゴルフ用クラブヘッドのクラブヘッド原点座標系のｘ軸座標が２０ｍｍより大きく５０ｍｍ未満の位置にある。少なくとも二つのリブのうちの第２のリブは、ゴルフ用クラブヘッドのクラブヘッド原点座標系のｘ軸座標が−５０ｍｍより大きく−２０ｍｍ未満の位置にある。本段落の前述の主題は本開示の例７０を特徴付け、例７０はまた上記の例６２〜６９のいずれか一つに係る主題を含む。
【００７７】
少なくとも一つの補強材は、少なくとも二つのリブを含む。少なくとも二つのリブは、ゴルフ用クラブヘッドのクラブヘッド原点座標系のｘ軸座標が２０ｍｍより大きく５０ｍｍ未満の位置にある。本段落の前述の主題は本開示の例７１を特徴付け、例７１はまた上記の例６２〜７０のいずれか一つに係る主題を含む。
【００７８】
少なくとも二つのリブのうちの一つは、ゴルフ用クラブヘッドのクラブヘッド原点座標系のｘ軸座標が３０ｍｍより大きく４０ｍｍ未満の位置で、頂部領域でフェース部に直接に結合されている。少なくとも二つのリブのうちの別の一つは、ゴルフ用クラブヘッドのクラブヘッド原点座標系のｘ軸座標が４０ｍｍより大きく５０ｍｍ未満の位置で、頂部領域でフェース部に直接に結合されている。本段落の前述の主題は本開示の例７２を特徴付け、例７２はまた上記の例７１に係る主題を含む。
【００７９】
少なくとも一つのリブは、ゴルフ用クラブヘッドの頂部領域でフェース部に直接に結合されている。本段落の前述の主題は本開示の例７３を特徴付け、例７３はまた上記の例６２〜７２のいずれか一つに係る主題を含む。
【００８０】
少なくとも一つのリブは、ゴルフ用クラブヘッドの底部領域でフェース部に直接に結合されている。本段落の前述の主題は本開示の例７４を特徴付け、例７４はまた上記の例６２〜７３のいずれか一つに係る主題を含む。
【００８１】
少なくとも一つのリブの高さはまた、前方領域から後方領域への方向に減少する。本段落の前述の主題は本開示の例７５を特徴付け、例７５はまた上記の例６２〜７４のいずれか一つに係る主題を含む。
【００８２】
ゴルフ用クラブヘッドはさらに、ソール部に形成され、ヒール領域からトウ領域まで長手方向に延びるスロットを含む。少なくとも一つのリブは、スロットに結合され、スロットとフェース部との間に配置されている。本段落の前述の主題は本開示の例７６を特徴付け、例７６はまた上記の例６２〜７５のいずれか一つに係る主題を含む。
【００８３】
本体は外壁を含む。ゴルフ用クラブヘッドはさらに、本体の外壁に形成され、少なくとも一つのリブに直接に開口する少なくとも一つの開口部を含む。本段落の前述の主題は本開示の例７７を特徴付け、例７７はまた上記の例１〜７６のいずれか一つに係る主題を含む。
【００８４】
少なくとも一つのリブは、フェース部の打撃プレートに直接に結合されている。本段落の前述の主題は本開示の例７８を特徴付け、例７８はまた上記の例６２〜７７のいずれか一つに係る主題を含む。
【００８５】
少なくとも一つのリブは、少なくとも一つのリブの高さ全体に沿ってフェース部に直接に結合されている。本段落の前述の主題は本開示の例７９を特徴付け、例７９はまた上記の例６２〜７８のいずれか一つに係る主題を含む。
【００８６】
さらに本明細書には、ゴルフ用クラブヘッドが開示される。ゴルフ用クラブヘッドは、本体及びフェース部を含む。本体は内部空洞を規定し、ゴルフ用クラブヘッドの底部領域に配置されたソール部、ゴルフ用クラブヘッドの頂部領域に配置されたクラウン部、ソール部とクラウン部との間でゴルフ用クラブヘッドの周囲に配置されたスカート部、前方領域、前方領域の反対側の後方領域、ヒール領域、及びヒール領域の反対側のトウ領域を含む。ゴルフ用クラブヘッドはまた、本体の前方領域で本体に結合され、打撃プレートを含むフェース部、を含む。ゴルフ用クラブヘッドはさらに、内部空洞内にポリマー材料の離散塊を含み、ゴルフ用クラブヘッドのクラブヘッド原点座標系のｘ軸座標が２０ｍｍより大きく５０ｍｍ未満又は−５０ｍｍより大きく−２０ｍｍ未満の位置でフェース部に直接に結合された少なくとも一つの補強材を含む。少なくとも一つの離散塊のポリマー材料は、約ショア１０Ｄ以上の硬度を有する。本段落の前述の主題は本開示の例８０を特徴付ける。
【００８７】
ポリマー材料は、約ショア２０Ｄ以上の硬度を有する。本段落の前述の主題は本開示の例８１を特徴付け、例８１はまた上記の例８０に係る主題を含む。
【００８８】
ポリマー材料は、約ショア４５Ｄ以上の硬度を有する。本段落の前述の主題は本開示の例８２を特徴付け、例８２はまた上記の例８１に係る主題を含む。
【００８９】
ポリマー材料は、約ショア８５Ｄ以上の硬度を有する。本段落の前述の主題は本開示の例８３を特徴付け、例８３はまた上記の例８２に係る主題を含む。
【００９０】
ポリマー材料はアクリルである。本段落の前述の主題は本開示の例８４を特徴付け、例８４はまた上記の例８０〜８３のいずれか一つに係る主題を含む。
【００９１】
ポリマー材料は熱硬化性材料である。本段落の前述の主題は本開示の例８５を特徴付け、例８５はまた上記の例８０〜８４のいずれか一つに係る主題を含む。
【００９２】
ポリマー材料は熱可塑性材料である。本段落の前述の主題は本開示の例８６を特徴付け、例８６はまた上記の例８０〜８５のいずれか一つに係る主題を含む。
【００９３】
ゴルフ用クラブヘッドはさらに、ソール部に結合され、ソール部から直立して突出し、かつヒール−トウ方向において長手方向に延びる擁壁を含む。ポリマー材料の離散塊は、擁壁に結合され、擁壁とフェース部との間に配置される。本段落の前述の主題は本開示の例８７を特徴付け、例８７はまた上記の例８０〜８６のいずれか一つに係る主題を含む。
【００９４】
ゴルフ用クラブヘッドはさらに、ソール部に結合され、ヒール領域からトウ領域まで長手方向に延びるスロットを含む。擁壁は、スロットの一部を形成する。本段落の前述の主題は本開示の例８８を特徴付け、例８８はまた上記の例８７に係る主題を含む。
【００９５】
擁壁は、スロットよりもソール部からさらに離れて突出する。本段落の前述の主題は本開示の例８９を特徴付け、例８９はまた上記の例８８に係る主題を含む。
【００９６】
少なくとも一つの補強材はさらに発泡体を含む。ポリマー材料の離散塊は、発泡体上に支持されている。発泡体は、スロットに結合され、スロットとフェース部との間に配置されている。発泡体は、ポリマー材料の離散塊とソール部との間に配置されている。本段落の前述の主題は本開示の例９０を特徴付け、例９０はまた上記の例８８〜８９のいずれか一つに係る主題を含む。
【００９７】
少なくとも一つの補強材はさらに、発泡体で作られ、フェース部に結合されたエンクロージャを含む。エンクロージャは、ポリマー材料の離散塊を含み、それを横方向に保持する空洞を規定する。空洞はフェース部に開口している。本段落の前述の主題は本開示の例９１を特徴付け、例９１はまた上記の例８０〜９０のいずれか一つに係る主題を含む。
【００９８】
ゴルフ用クラブヘッドはさらに、複数の補強材を含む。複数の補強材のエンクロージャは、互いに離間している。本段落の前述の主題は本開示の例９２を特徴付け、例９２はまた上記の例９１に係る主題を含む。
【００９９】
ゴルフ用クラブヘッドは、複数の補強材をさらに含む。複数の補強材のエンクロージャは、一体のモノリシック構造を形成する。本段落の前述の主題は本開示の例９３を特徴付け、例９３はまた上記の例９１に係る主題を含む。
【０１００】
本体は外壁を含む。ゴルフ用クラブヘッドはさらに、本体又はフェース部のうちの一つの外壁に形成され、ポリマー材料の離散塊に直接に開口する少なくとも一つの開口部を含む。本段落の前述の主題は本開示の例９４を特徴付け、例９４はまた上記の例８０〜９３のいずれか一つに係る主題を含む。
【０１０１】
少なくとも一つの開口部は、フェース部の外壁に形成されている。本段落の前述の主題は本開示の例９５を特徴付け、例９５はまた上記の例９４に係る主題を含む。
【０１０２】
ゴルフ用クラブヘッドはさらに、複数の補強材を含み、一つの離散塊のポリマー材料の量の少なくとも一つは、別の離散塊のポリマー材料の量と異なるか、又は一つの離散塊のポリマー材料の種類は、別の離散塊のポリマー材料の種類と異なる。本段落の前述の主題は本開示の例９６を特徴付け、例９６はまた上記の例８０〜９５のいずれか一つに係る主題を含む。
【０１０３】
ポリマー材料の離散塊は、フェース部の打撃プレートに直接に結合されている。本段落の前述の主題は本開示の例９７を特徴付け、例９７はまた上記の例８０〜９６のいずれか一つに係る主題を含む。
【０１０４】
ポリマー材料の離散塊は、フェース部の外周縁から少なくとも５ｍｍ離れた位置でフェース部に直接に結合されている。本段落の前述の主題は本開示の例９８を特徴付け、例９８はまた上記の例８０〜９７のいずれか一つに係る主題を含む。
【０１０５】
ポリマー材料の離散塊は、フェース部の外周縁から少なくとも１５ｍｍ離れた位置でフェース部に直接に結合されている。本段落の前述の主題は本開示の例９９を特徴付け、例９９はまた上記の例９８に係る主題を含む。
【０１０６】
ポリマー材料の離散塊は、少なくとも５０ｍｍ２のフェース部の表面領域と接触する。本段落の前述の主題は本開示の例１００を特徴付け、例１００はまた上記の例８０〜９９のいずれか一つに係る主題を含む。
【０１０７】
ポリマー材料の離散塊は、少なくとも１５０ｍｍ２のフェース部の表面領域と接触する。本段落の前述の主題は本開示の例１０１を特徴付け、例１０１はまた上記の例１００に係る主題を含む。
【０１０８】
ポリマー材料の離散塊は、少なくとも２２５ｍｍ２のフェース部の表面領域と接触する。本段落の前述の主題は本開示の例１０２を特徴付け、例１０２はまた上記の例１０１に係る主題を含む。
【０１０９】
ゴルフ用クラブヘッドはさらに、複数の補強材を含む。複数の補強材のうちの一つのポリマー材料の離散塊は、複数の補強材のうちの別の一つのポリマー材料の離散塊の表面領域とは異なるフェース部の表面領域と接触する。本段落の前述の主題は本開示の例１０３を特徴付け、例１０３はまた上記の例８０〜１０２のいずれか一つに係る主題を含む。
【０１１０】
ゴルフ用クラブヘッドはさらに、複数の補強材を含む。複数の補強材のポリマー材料の離散塊は、合計で少なくとも１００ｍｍ２のフェース部の表面領域と接触する。本段落の前述の主題は本開示の例１０４を特徴付け、例１０４はまた上記の例８０〜１０３のいずれか一つに係る主題を含む。
【０１１１】
複数の補強材のポリマー材料の離散塊は、合計で少なくとも８００ｍｍ２のフェース部の表面領域と接触する。本段落の前述の主題は本開示の例１０５を特徴付け、例１０５はまた上記の例１０４に係る主題を含む。
【０１１２】
ポリマー材料の離散塊は、フェース部の表面領域と接触する。ポリマー材料の離散塊が接触するフェース部の表面領域と、フェース部の全内部表面領域との比は、少なくとも０．０１である。本段落の前述の主題は本開示の例１０６を特徴付け、例１０６はまた上記の例８０〜１０５のいずれか一つに係る主題を含む。
【０１１３】
ポリマー材料の離散塊が接触するフェース部の表面領域と、フェース部の全内部表面領域との比は、少なくとも０．０５である。本段落の前述の主題は本開示の例１０７を特徴付け、例１０７はまた上記の例１０６に係る主題を含む。
【０１１４】
ポリマー材料の離散塊が接触するフェース部の表面領域と、フェース部の全内部表面領域との比は、少なくとも０．１である。本段落の前述の主題は本開示の例１０８を特徴付け、例１０８はまた上記の例１０７に係る主題を含む。
【０１１５】
少なくとも一つの補強材はさらに、発泡体を含む。ポリマー材料の離散塊は、発泡体上に支持されている。発泡体及びポリマー材料の離散塊は、ゴルフ用クラブヘッドの底部領域に配置されている。ゴルフ用クラブヘッドはさらに、ゴルフ用クラブヘッドの頂部領域でフェース部に直接に結合されたリブを含む少なくとも一つの追加の補強材を含む。フェース部の高さに対するリブの高さの比は、０．１５以上である。本段落の前述の主題は本開示の例１０９を特徴付け、例１０９はまた上記の例８０〜１０８のいずれか一つに係る主題を含む。
【０１１６】
また本明細書には、本体及びフェース部を含むゴルフ用クラブヘッドが開示される。本体は、内部空洞を規定し、ゴルフ用クラブヘッドの底部領域に配置されたソール部、ゴルフ用クラブヘッドの頂部領域に配置されたクラウン部、ソール部とクラウン部との間でゴルフ用クラブヘッドの周囲に配置されたスカート部、前方領域、前方領域の反対側の後方領域、ヒール領域、及びヒール領域の反対側のトウ領域を含む。フェース部は、本体の前方領域で本体に結合され、打撃プレートを含む。ゴルフ用クラブヘッドはさらに、発泡体と、内部空洞内の、発泡体上に支持された、ポリマー材料の離散塊とを含む少なくとも一つの補強材を含み、離散塊は、フェース部に直接に結合される。本段落の前述の主題は本開示の例１１０を特徴付ける。
【０１１７】
また本明細書には、本体及びフェース部を含むゴルフ用クラブヘッドが開示される。本体は、内部空洞を規定し、ゴルフ用クラブヘッドの底部領域に配置されたソール部、ゴルフ用クラブヘッドの頂部領域に配置されたクラウン部、ソール部とクラウン部との間でゴルフ用クラブヘッドの周囲に配置されたスカート部、前方領域、前方領域の反対側の後方領域、ヒール領域、及びヒール領域の反対側のトウ領域を含む。ゴルフ用クラブヘッドはまた、本体の前方領域で本体に結合され、打撃プレートを含むフェース部を含む。ゴルフ用クラブヘッドはさらに、少なくとも部分的に内部空洞内にあり、かつ本体に調節可能に結合されたファスナーを含む少なくとも一つの補強材を含む。ファスナーは、フェース部を強化するように調整可能である。本段落の前述の主題は本開示の例１１１を特徴付ける。
【０１１８】
ファスナー全体は内部空洞内にある。本段落の前述の主題は本開示の例１１２を特徴付け、例１１２はまた上記の例１１１に係る主題を含む。
【０１１９】
ゴルフ用クラブヘッドは、本体に形成されたポートを含む。ファスナーは、ポートを介し、ツールによってアクセス可能である。本段落の前述の主題は本開示の例１１３を特徴付け、例１１３はまた上記の例１１１〜１１２のいずれか一つに係る主題を含む。
【０１２０】
ファスナーは端面を含む。ファスナーは、フェース部をファスナーの端面と接触させるように調整可能である。端面は丸みを帯びている。本段落の前述の主題は本開示の例１１４を特徴付け、例１１４はまた上記の例１１１〜１１３のいずれか一つに係る主題を含む。
【０１２１】
少なくとも一つの補強材はさらに、ファスナーリブを含む。ファスナーリブは、ネジ穴を含む。ファスナーは、ファスナーリブのネジ穴を通して延在し、これと螺合する。本段落の前述の主題は本開示の例１１５を特徴付け、例１１５はまた上記の例１１１〜１１４のいずれか一つに係る主題を含む。
【０１２２】
少なくとも一つの補強材はさらに、開口部を含むスプリング要素と、開口部を含むワッシャとを含む。スプリング要素は、ファスナーリブとワッシャとの間に配置されている。ファスナーは、スプリング要素の開口部とワッシャの開口部とを通して延びる。本段落の前述の主題は本開示の例１１６を特徴付け、例１１６はまた上記の例１１５に係る主題を含む。
【０１２３】
スプリング要素は、ポリマー材料で作られている。本段落の前述の主題は本開示の例１１７を特徴付け、例１１７はまた上記の例１１６に係る主題を含む。
【０１２４】
ゴルフ用クラブヘッドは、本体に形成されたネジ付きポートを含む。ファスナーは、ネジ付きポートと螺合する。本段落の前述の主題は本開示の例１１８を特徴付け、例１１８はまた上記の例１１１〜１１７のいずれか一つに係る主題を含む。
【０１２５】
さらに本明細書には、ゴルフ用クラブヘッドの製造後、ゴルフ用クラブヘッドの特性時間（ＣＴ）を調整する方法が開示される。この方法は、少なくとも部分的にゴルフ用クラブヘッドの内部空洞内にあり、ゴルフ用クラブヘッドのフェース部に直接結合可能な少なくとも一つの補強材を調整することを含む。少なくとも一つの補強材の調整は、ゴルフ用クラブヘッドの穴を通して少なくとも一つの補強材から材料を取り出すことであって、該少なくとも一つの補強材はリブを含むものであること、ゴルフ用クラブヘッドに形成されたポートを介して、少なくとも一つの補強材へ約ショア１０Ｄ以上の硬度を有するポリマー材料を加えること、又はゴルフ用クラブヘッドのフェース部と接触するか又は接触するように、少なくとも部分的に内部空洞内でファスナーを調節することの少なくとも一つを含む。本段落の前述の主題は本開示の例１１９を特徴付ける。
【０１２６】
それぞれが本体及びフェース部を含む、複数のゴルフ用クラブヘッド。本体は内部空洞を規定する。さらに、本体は、ゴルフ用クラブヘッドの底部領域に配置されたソール部、ゴルフ用クラブヘッドの頂部領域に配置されたクラウン部（クラウン部の外面全体は、凸状である）、及びソール部とクラウン部との間でゴルフ用クラブヘッドの周囲に配置されたスカート部を含む。本体はさらに、前方領域、前方領域の反対側の後方領域、ヒール領域、及びヒール領域の反対側のトウ領域を含む。フェース部は本体の前方領域で本体に結合され、打撃プレートを含む。打撃プレートのセンターフェースにおける、センターフェースからトウ領域に向かって２０ミリメートル（ｍｍ）離れた打撃プレート上の第１の位置における、及びセンターフェースからヒール領域に向かって２０ミリメートル（ｍｍ）離れた打撃プレート上の第２の位置における、各ゴルフ用クラブヘッドの特性時間（ＣＴ）は、ゴルフ用クラブヘッドの製造前に予め決められた、目的のＣＴの２マイクロ秒の標準偏差以内である。本段落の前述の主題は本開示の例１２０を特徴付ける。
【０１２７】
目的のＣＴは、２３５マイクロ秒乃至２５７マイクロ秒である。本段落の前述の主題は本開示の例１２１を特徴付け、例１２１はまた上記の例１２０に係る主題を含む。
【０１２８】
目的のＣＴは、２４０マイクロ秒乃至２５０マイクロ秒である。本段落の前述の主題は本開示の例１２２を特徴付け、例１２２はまた上記の例１２１に係る主題を含む。
【０１２９】
目的のＣＴは、２４７マイクロ秒である。本段落の前述の主題は本開示の例１２３を特徴付け、例１２３はまた上記の例１２２に係る主題を含む。
【０１３０】
各ゴルフ用クラブヘッドは、少なくとも部分的に内部空洞内にあり、かつ別々の位置でフェース部に直接に結合可能な少なくとも一つの補強材を含む。少なくとも一つの補強材は、打撃プレートのセンターフェースにおける、センターフェースからトウ領域に向かって２０ミリメートル離れた打撃プレート上の第１の位置における、及びセンターフェースからヒール領域に向かって２０ミリメートル離れた打撃プレート上の第２の位置におけるＣＴが、目的のＣＴの２マイクロ秒の標準偏差以内になるように、ゴルフ用クラブヘッドを製造した後に打撃プレートのＣＴをフェース部の離散位置に近接して選択的に調整するように構成される。本段落の前述の主題は本開示の例１２４を特徴付け、例１２４はまた上記の例１２０〜１２３のいずれか一つに係る主題を含む。
【０１３１】
クラウン部の外面全体は凸状である。本段落の前述の主題は本開示の例１２５を特徴付け、例１２５はまた上記の例６２〜１１８及び１２０〜１２４のいずれか一つに係る主題を含む。
【０１３２】
打撃プレートは、少なくとも３５００ｍｍ＾２の面積及び少なくとも約５０ｍｍの大地面からの最大高さを有する。本段落の前述の主題は本開示の例１２６を特徴付け、例１２６はまた上記の例６２〜１１８及び１２０〜１２５のいずれか一つに係る主題を含む。
【０１３３】
ゴルフ用クラブヘッドの体積は、少なくとも約３７０ｃｍ３である。本段落の前述の主題は本開示の例１２７を特徴付け、例１２７はまた上記の例６２〜１１８及び１２０〜１２６のいずれか一つに係る主題を含む。
【０１３４】
本体のクラウン部は、第１の材料から作られ、本体のソール部又はスカート部のうちの少なくとも一つは、第１の材料と異なる第２の材料から作られ、クラウン部はスカート部に接着されている。本段落の前述の主題は本開示の例１２８を特徴付け、例１２８はまた上記の例６２〜１１８及び１２０〜１２７のいずれか一つに係る主題を含む。
【０１３５】
本明細書には、本体を含むゴルフ用クラブヘッドが開示される。本体は内部空洞を規定する。本体はまた、ゴルフ用クラブヘッドの底部領域に配置されたソール部、ゴルフ用クラブヘッドの頂部領域に配置されたクラウン部、ソール部とクラウン部との間でゴルフ用クラブヘッドの周囲に配置されたスカート部、前方領域、前方領域の反対側の後方領域、ヒール領域、及びヒール領域の反対側のトウ領域を含む。ゴルフ用クラブヘッドはまた、本体の前方領域で本体に結合されたフェース部を含む。フェース部は、１９０ｍｍ乃至６００ｍｍのバルジ半径及び１００ｍｍ乃至６００ｍｍのロール半径を有する。ゴルフ用クラブヘッドはさらに、ソール部から直立して突出し、ヒール−トウ方向において長手方向に延び、１５ＧＰａ乃至３５０ＧＰａの第１の弾性係数を有する第１の材料で作られている第１の壁を含む。ゴルフ用クラブヘッドはさらに、本体の内部空洞内に配置され、フェース部の内面と第１の壁との間に配置された補強材を含む。補強材は、第１の弾性係数未満の第２の弾性係数を有する第２の材料で作られており、第２の弾性係数は、０．５ＧＰａ乃至３０ＧＰａであり、かつ第２の材料は、少なくともショア５．９５Ｄの硬度を有する。ゴルフ用クラブヘッドの反発係数（ＣＯＲ）は、少なくとも０．７８である。フェース部の中心におけるゴルフクラブヘッドの特性時間（ＣＴ）は、２５７マイクロ秒以下である。本段落の前述の主題は本開示の例１２９を特徴付ける。
【０１３６】
フェース部の内面は、フェース部の中心の周りに連続ビーズを含む。連続ビーズにおけるフェース部の厚さは、連続ビーズに直接に隣接するフェース部の一部における厚さよりも大きい。補強材は、本体の内面から少なくとも連続ビーズまで延びる。本段落の前述の主題は本開示の例１３０を特徴付け、例１３０はまた上記の例１２９に係る主題を含む。
【０１３７】
補強材は連続ビーズに直接に接触する。本段落の前述の主題は本開示の例１３１を特徴付け、例１３１はまた上記の例１３０に係る主題を含む。
【０１３８】
補強材は、フェース部の内面に直接に接触する。本段落の前述の主題は本開示の例１３２を特徴付け、例１３２はまた上記の例１２９〜１３１のいずれか一つに係る主題を含む。
【０１３９】
ゴルフ用クラブヘッドはさらに、ソール部から直立して突出し、一般的に前後方向において長手方向に延び、第１の弾性係数未満の第３の弾性係数を有する第３の材料で作られている第２の壁を含む。第２の弾性係数は、第３の弾性係数より大きい。補強材は、第２の壁に当接する。本段落の前述の主題は本開示の例１３３を特徴付け、例１３３はまた上記の例１２９〜１３２のいずれか一つに係る主題を含む。
【０１４０】
第３の弾性係数は、０．０１ＧＰａ乃至８．０ＧＰａである。本段落の前述の主題は本開示の例１３４を特徴付け、例１３４はまた上記の例１３３に係る主題を含む。
【０１４１】
ゴルフ用クラブヘッドはさらに、ソール部から直立して突出し、ヒール−トウ方向と平行な方向に第２の壁から離間して一般的に前後方向において長手方向に延び、第３の材料で作られている第３の壁を含む。補強材は、第３の壁に当接し、第２の壁と第３の壁との間に配置されている。本段落の前述の主題は本開示の例１３５を特徴付け、例１３５はまた上記の例１３３〜１３４のいずれか一つに係る主題を含む。
【０１４２】
第３の弾性係数は、０．０１ＧＰａ乃至８．０ＧＰａである。本段落の前述の主題は本開示の例１３６を特徴付け、例１３６はまた上記の例１３５に係る主題を含む。
【０１４３】
第２の壁は、フェース部の内面と第１の壁に当接する。第３の壁は、フェース部の内面と第１の壁に当接する。補強材は、第１の壁、第２の壁、及び第３の壁に当接する。本段落の前述の主題は本開示の例１３７を特徴付け、例１３７はまた上記の例１３５〜１３６のいずれか一つに係る主題を含む。
【０１４４】
第１の材料はチタン又は鋼のうちの一つである。第２の材料は発泡体である。第３の材料はアクリルである。本段落の前述の主題は本開示の例１３８を特徴付け、例１３８はまた上記の例１３５〜１３７のいずれか一つに係る主題を含む。
【０１４５】
第１の壁、第２の壁、第３の壁、及び補強材は、補強材アセンブリを含む。補強材アセンブリは、フェース部の中心からトウ方向又はヒール方向に配置されている。本段落の前述の主題は本開示の例１３９を特徴付け、例１３９はまた上記の例１３５〜１３８のいずれか一つに係る主題を含む。
【０１４６】
ゴルフクラブヘッドはさらに、それぞれフェース部の中心からトウ方向又はヒール方向に配置された複数の補強材アセンブリを含む。本段落の前述の主題は本開示の例１４０を特徴付け、例１４０はまた上記の例１３９に係る主題を含む。
【０１４７】
補強材の最大高さは、第１の壁の最大高さ、第２の壁の最大高さ、及び第３の壁の最大高さ未満である。本段落の前述の主題は本開示の例１４１を特徴付け、例１４１はまた上記の例１３５〜１４０のいずれか一つに係る主題を含む。
【０１４８】
第１の壁は、本体のソール部に隣接するフェース部の全セクションの全長未満で、一般的にヒール−トウ方向において、長手方向に延びる。補強材は、本体のソール部に隣接するフェース部の全セクションの全長未満で、ヒール−トウ方向と平行に、長手方向に延びる。補強材の全長は、第１の壁の全長以下である。本段落の前述の主題は本開示の例１４２を特徴付け、例１４２はまた上記の例１２９〜１４１のいずれか一つに係る主題を含む。
【０１４９】
第１の壁及び補強材は、ゴルフ用クラブヘッドのヘッド原点座標系のｙ−ｚ平面に沿って配置されている。本段落の前述の主題は本開示の例１４３を特徴付け、例１４３はまた上記の例１４２に係る主題を含む。
【０１５０】
ゴルフ用クラブヘッドはさらに、本体のソール部に形成され、ヒール−トウ方向と平行に、長手方向に延びるスロットを含む。第１の壁は、スロットの最前の側壁を形成する。本段落の前述の主題は本開示の例１４４を特徴付け、例１４４はまた上記の例１２９〜１４３のいずれか一つに係る主題を含む。
【０１５１】
スロットは、本体のソール部に隣接するフェース部の全セクションの全長にわたって延びる。補強材は、本体のソール部に隣接するフェース部の全セクションの全長未満で、ヒール−トウ方向と平行に、長手方向に延びる。本段落の前述の主題は本開示の例１４５を特徴付け、例１４５はまた上記の例１４４に係る主題を含む。
【０１５２】
本体及びフェース部は、一体で、単一のモノリシック構造を形成する。本段落の前述の主題は本開示の例１４６を特徴付け、例１４６はまた上記の例１２９〜１４５のいずれか一つに係る主題を含む。
【０１５３】
フェース部は、フェース開口部と、フェース開口部に溶接された打撃プレートとを有する。本段落の前述の主題は本開示の例１４７を特徴付け、例１４７はまた上記の例１２９〜１４６のいずれか一つに係る主題を含む。
【０１５４】
補強材の最大高さは、第１の壁の最大高さ未満である。本段落の前述の主題は本開示の例１４８を特徴付け、例１４８はまた上記の例１２９〜１４７のいずれか一つに係る主題を含む。
【０１５５】
さらに本明細書には、本体を含むゴルフ用クラブヘッドが開示される。本体は、ゴルフ用クラブヘッドの内部空洞を部分的に規定する。本体はまた、ゴルフ用クラブヘッドの底部領域に配置されたソール部、ゴルフ用クラブヘッドの頂部領域に配置されたクラウン部、ソール部とクラウン部との間でゴルフ用クラブヘッドの周囲に配置されたスカート部、前方領域、前方領域の反対側の後方領域、ヒール領域、及びヒール領域の反対側のトウ領域を含む。ゴルフ用クラブヘッドはまた、本体の前方領域で本体に結合されたフェース部を含む。フェース部は、内部空洞を部分的に規定する内面を含む。ゴルフ用クラブヘッドはさらに、本体のソール部分に形成され、一般的にヒール−トウ方向において長手方向に延びるスロットを含む。ゴルフ用クラブヘッドはさらに、スロット内に固定され、保持され、フェース部の内面に直接に接触した補強材を含む。本段落の前述の主題は本開示の例１４９を特徴付ける。
【０１５６】
補強材は、スロットと圧入係合する。本段落の前述の主題は本開示の例１５０を特徴付け、例１５０はまた上記の例１４９に係る主題を含む。
【０１５７】
ゴルフ用クラブヘッドはさらに、ソール部の内面に結合された擁壁を含む。擁壁は、フェース部に向かって傾斜している。擁壁は、スロットの後壁を規定する。補強材は、擁壁と圧入係合する。本段落の前述の主題は本開示の例１５１を特徴付け、例１５１はまた上記の例１５０に係る主題を含む。
【０１５８】
補強材の全長は、インサートのチャネルの全長未満である。本段落の前述の主題は本開示の例１５２を特徴付け、例１５２はまた上記の例１４９〜１５１のいずれか一つに係る主題を含む。
【０１５９】
補強材は、フェース部の中心からトウ側又はヒール側にある。本段落の前述の主題は本開示の例１５３を特徴付け、例１５３はまた上記の例１４９〜１５２のいずれか一つに係る主題を含む。
【０１６０】
補強材は、スロットから選択的に取り外し可能である。本段落の前述の主題は本開示の例１５４を特徴付け、例１５４はまた上記の例１４９〜１５３のいずれか一つに係る主題を含む。
【０１６１】
ゴルフ用クラブヘッドはさらに、互いに対して間隔をあけてスロット内に固定され、保持された複数の補強材を含む。本段落の前述の主題は本開示の例１５５を特徴付け、例１５５はまた上記の例１４９〜１５４のいずれか一つに係る主題を含む。
【０１６２】
さらに本明細書には、ゴルフ用クラブヘッドが開示される。ゴルフ用クラブヘッドは、ゴルフ用クラブヘッドの内部空洞を部分的に規定する本体を含む。ゴルフ用クラブヘッドは、ゴルフ用クラブヘッドの底部領域に配置されたソール部、ゴルフ用クラブヘッドの頂部領域に配置されたクラウン部、ソール部とクラウン部との間でゴルフ用クラブヘッドの周囲に配置されたスカート部、前方領域、前方領域の反対側の後方領域、ヒール領域、及びヒール領域の反対側のトウ領域を含む。ゴルフ用クラブヘッドはまた、本体の前方領域で本体に結合されたフェース部を含む。フェース部は、内部空洞を部分的に規定する内面を含む。ゴルフ用クラブヘッドはさらに、本体のソール部分に形成され、一般的にヒール−トウ方向において長手方向に延びるスロットを含む。ゴルフ用クラブヘッドはさらに、チャネルを含むインサートを含む。インサートは、スロット内に固定され、保持されている。ゴルフ用クラブヘッドはまた、インサートのチャネル内に固定され、保持された補強材を含む。本段落の前述の主題は本開示の例１５６を特徴付ける。
【０１６３】
インサートは、前開口部と、前開口部の反対側の後開口部とを含む。補強材は、前部延出タブと、前部延出タブの反対側の後部延出タブとを含む。前部延出タブは、インサートの前開口部を通し、スロットの前壁に直接に接触する。後部延出タブは、インサートの後開口部を通し、スロットの後壁に直接に接触する。本段落の前述の主題は本開示の例１５７を特徴付け、例１５７はまた上記の例１５６に係る主題を含む。
【０１６４】
スロットは、第１の弾性係数を有する第１の材料で作られている。インサートは、第２の弾性係数を有する第２の材料で作られている。補強材は、第３の弾性係数を有する第３の材料で作られている。第３の弾性係数は、第２の弾性係数より高く、第１の弾性係数より低い。本段落の前述の主題は本開示の例１５８を特徴付け、例１５８はまた上記の例１５６〜１５７のいずれか一つに係る主題を含む。
【０１６５】
スロットは、本体の内部空洞に開口している開口端を含む。インサートはスロットの開口端を密閉する。本段落の前述の主題は本開示の例１５９を特徴付け、例１５９はまた上記の例１５６〜１５８のいずれか一つに係る主題を含む。
【０１６６】
補強材の全長は、インサートのチャネルの全長未満である。本段落の前述の主題は本開示の例１６０を特徴付け、例１６０はまた上記の例１５６〜１５９のいずれか一つに係る主題を含む。
【０１６７】
補強材は、フェース部の中心からトウ側又はヒール側にある。本段落の前述の主題は本開示の例１６１を特徴付け、例１６１はまた上記の例１５６〜１６０のいずれか一つに係る主題を含む。
【０１６８】
補強材は、スロットから選択的に取り外し可能である。本段落の前述の主題は本開示の例１６２を特徴付け、例１６２はまた上記の例１５６〜１６１のいずれか一つに係る主題を含む。
【０１６９】
ゴルフ用クラブヘッドはさらに、互いに対して間隔をあけてスロット内に固定され、保持された複数の補強材を含む。本段落の前述の主題は本開示の例１６３を特徴付け、例１６３はまた上記の例１５６〜１６２のいずれか一つに係る主題を含む。
【０１７０】
また本明細書には、ゴルフ用クラブヘッドの一つ又はそれ以上の特性時間を調整する方法が開示される。この方法は、ゴルフ用クラブヘッドのフェース部の第１の測定特性時間（ＣＴ）値を測定することを含む。ゴルフ用クラブヘッドは、内部空洞を規定し、かつゴルフ用クラブヘッドの底部領域に配置されたソール部、ゴルフ用クラブヘッドの頂部領域に配置されたクラウン部、ソール部とクラウン部との間でゴルフ用クラブヘッドの周囲に配置されたスカート部、前方領域、前方領域の反対側の後方領域、ヒール領域、及びヒール領域の反対側のトウ領域を含む本体、を含む。ゴルフ用クラブヘッドはまた、本体の前方領域で本体に結合されたフェース部を含む。ゴルフ用クラブヘッドはさらに、本体のソール部に形成され、一般的にヒール−トウ方向において長手方向に延びるスロットを含む。ゴルフ用クラブヘッドはさらに、スロット内に固定され、保持された第１の補強材を含む。この方法はまた、第１のＣＴ測定値が測定された後、スロットから第１の補強材を取り外し、スロット内に第１の補強材とは異なる第２の補強材を固定して、保持することによってゴルフ用クラブヘッドのＣＴを調整することも含む。本段落の前述の主題は本開示の例１６４を特徴付ける。
【０１７１】
第２の補強材は、第１の補強材の弾性係数よりも高い弾性係数を有する。ゴルフ用クラブヘッドのＣＴ調整は、ゴルフ用クラブヘッドのＣＴを減少させることを含む。本段落の前述の主題は本開示の例１６５を特徴付け、例１６５はまた上記の例１６４に係る主題を含む。
【０１７２】
第２の補強材は、第１の補強材よりも大きい。ゴルフ用クラブヘッドのＣＴ調整は、ゴルフ用クラブヘッドのＣＴを減少させることを含む。本段落の前述の主題は本開示の例１６６を特徴付け、例１６６はまた上記の例１６４〜１６５のいずれか一つに係る主題を含む。
【０１７３】
ゴルフ用クラブヘッドはさらに、スロット内に固定され、保持され、チャネルを含むインサートを含む。第１の補強材は、インサートのチャネル内に固定され、保持されている。ゴルフ用クラブヘッドのＣＴは、スロットからインサートを取り外すこと、インサートのチャネルから第１の補強材を取り外すこと、インサートのチャネル内に第２の補強材を固定し、保持すること、及び第２の補強材がインサートのチャネル内でスロット内に固定され、保持された状態で、インサートをスロット内に固定し、保持することによって、さらに調節される。本段落の前述の主題は本開示の例１６７を特徴付け、例１６７はまた上記の例１６４〜１６６のいずれか一つに係る主題を含む。
【０１７４】
さらに本明細書には、ゴルフ用クラブヘッドが開示される。ゴルフ用クラブヘッドは、内部空洞を規定し、ゴルフ用クラブヘッドの底部領域に配置されたソール部を含む本体を含み、ソール部はソール表面領域を有する。本体はまた、ゴルフ用クラブヘッドの頂部領域に配置されたクラウン部を含み、クラウン部はクラウン表面領域を有する。本体はさらに、ソール部とクラウン部との間でゴルフ用クラブヘッドの周囲に配置されたスカート部を含む。本体はさらに、前方領域、前方領域の反対側の後方領域、ヒール領域、及びヒール領域の反対側のトウ領域を含む。ゴルフ用クラブヘッドはまた、本体の前方領域で本体に結合され、打撃フェース、及び打撃フェースの反対側の内面を含むフェース部、を含む。フェース部は異なる厚さを有する。ゴルフ用クラブヘッドのクラウン部の面積重量は、クラウン部の全表面領域の約５０％以上にわたって約０．３５ｇ／ｃｍ２未満である。ゴルフ用クラブヘッドのソール部の面積重量は、ソール部の全表面領域の約５０％以上にわたって約０．３５ｇ／ｃｍ２未満である。打撃フェースは、打撃フェースの中心を中心とし、ヒール−トウ方向に細長い４０ミリメートル×２０ミリメートルの矩形領域によって規定される中心領域を有する。中心領域内において、フェース部の最大厚さは５ｍｍ以下であり、フェース部の最小厚さは２．４ｍｍ以上である。中心領域内において、打撃フェースは、２５７マイクロ秒以下の特性時間（ＣＴ）を有する。中心領域内において、打撃フェースの２５％以上は、少なくとも０．８の反発係数（ＣＯＲ）を有する。中心領域内において、打撃フェースの６０％以上は、少なくとも２３５マイクロ秒のＣＴを有する。中心領域内において、打撃フェースの５０％以上は、少なくとも２４０マイクロ秒のＣＴを有する。本段落の前述の主題は本開示の例１６８を特徴付ける。
【０１７５】
打撃フェースの２０％以上は、少なくとも２４５マイクロ秒のＣＴを有する。本段落の前述の主題は本開示の例１６９を特徴付け、例１６９はまた上記の例１６８に係る主題を含む。
【０１７６】
中心領域内の打撃フェースの少なくとも６０％は、少なくとも２４０マイクロ秒のＣＴを有する。本段落の前述の主題は本開示の例１７０を特徴付け、例１７０はまた上記の例１６８〜１６９のいずれか一つに係る主題を含む。
【０１７７】
中心領域内の打撃フェースの少なくとも４０％は、少なくとも２４５マイクロ秒のＣＴを有する。本段落の前述の主題は本開示の例１７１を特徴付け、例１７１はまた上記の例１６８〜１７０のいずれか一つに係る主題を含む。
【０１７８】
中心領域内の打撃フェースの少なくとも１０％は、少なくとも２５０マイクロ秒のＣＴを有する。本段落の前述の主題は本開示の例１７２を特徴付け、例１７２はまた上記の例１６８〜１７１のいずれか一つに係る主題を含む。
【０１７９】
打撃フェースの中心から少なくとも５ミリメートル内の打撃フェース上の任意の位置におけるＣＴは、２４０マイクロ秒より大きい。本段落の前述の主題は本開示の例１７３を特徴付け、例１７３はまた上記の例１６８〜１７２のいずれか一つに係る主題を含む。
【０１８０】
ゴルフ用クラブヘッドは、約−５ｍｍ乃至約５ｍｍのヘッドセンターフェース原点ｘ軸座標及び約２５ｍｍ乃至約５０ｍｍのヘッドセンターフェース原点ｙ軸座標、並びに２ｍｍ未満のセンターフェースヘッド原点ｚ軸座標を有する重心（ＣＧ）を有する。本段落の前述の主題は本開示の例１７４を特徴付け、例１７４はまた上記の例１６８〜１７３のいずれか一つに係る主題を含む。
【０１８１】
ゴルフ用クラブヘッドは、約３５０ｃｍ３乃至約５００ｃｍ３の体積、ヘッド重心ｚ軸周りの慣性モーメント（Ｉｚｚ）、及びヘッド重心ｘ軸周りの慣性モーメント（Ｉｘｘ）を有する。本段落の前述の主題は本開示の例１７５を特徴付け、例１７５はまた上記の例１６８〜１７４のいずれか一つに係る主題を含む。
【０１８２】
ＩｚｚとＩｘｘの合計は、約７４０ｋｇ・ｍｍ２乃至約１１００ｋｇ・ｍｍ２である。本段落の前述の主題は本開示の例１７６を特徴付け、例１７６はまた上記の例１７５に係る主題を含む。
【０１８３】
ゴルフ用クラブヘッドは、本体の内部空洞内に配置され、フェース部の内面と直接に接触する補強材をさらに含む。補強材は、少なくともショア５．９５Ｄの硬度を有する材料で作られている。本段落の前述の主題は本開示の例１７７を特徴付け、例１７７はまた上記の例１６８〜１７６のいずれか一つに係る主題を含む。
【０１８４】
ゴルフ用クラブヘッドはさらに、本体の内部空洞内に配置され、フェース部の内面と直接に接触する複数の補強材を含む。複数の補強材は、本体と同じ材料で作られた複数のリブである。本段落の前述の主題は本開示の例１７８を特徴付け、例１７８はまた上記の例１６８〜１７７のいずれか一つに係る主題を含む。
【０１８５】
複数のリブは、フェース部とクラウン部との間の移行部に近接して配置されている。本段落の前述の主題は本開示の例１７９を特徴付け、例１７９はまた上記の例１７８に係る主題を含む。
【０１８６】
複数のリブのうち少なくとも一つは、＋１５ｍｍ乃至＋２５ｍｍのヘッド原点ｘ軸座標を有し、複数のリブのうち少なくとも一つは、−１５ｍｍ乃至−２５ｍｍのヘッド原点ｘ軸座標を有する。本段落の前述の主題は本開示の例１８０を特徴付け、例１８０はまた上記の例１７８〜１７９のいずれか一つに係る主題を含む。
【０１８７】
ゴルフ用クラブヘッドはさらに、本体の内部空洞内に配置され、ヘッド原点ｙ軸に沿って測定したときに、少なくとも１ｍｍで２０ｍｍ以下だけフェース部の内面からオフセットされた複数の補強材を含む。複数の補強材は、クラウン部の内面とソール部の内面との間に延びる細長い補強部材である。本段落の前述の主題は本開示の例１８１を特徴付け、例１８１はまた上記の例１６８〜１８０のいずれか一つに係る主題を含む。
【０１８８】
複数の補強材は、二つ又はそれ以上のブレースバーを含む。二つ又はそれ以上のブレースバーは、０．００５ｇ／ｍｍ乃至０．４０ｇ／ｍｍの単位長さ当たりの質量をそれぞれ有する。本段落の前述の主題は本開示の例１８２を特徴付け、例１８２はまた上記の例１８１に係る主題を含む。
【０１８９】
複数の補強材のうち少なくとも一つは、＋１５ｍ乃至＋２５ｍｍのヘッド原点ｘ軸座標を有し、複数の補強材のうち少なくとも一つは、−１５ｍｍ乃至−２５ｍｍのヘッド原点ｘ軸座標を有する。本段落の前述の主題は本開示の例１８３を特徴付け、例１８３はまた上記の例１８１〜１８２のいずれか一つに係る主題を含む。
【０１９０】
フェース部の最大厚さは、４ｍｍ以下である。本段落の前述の主題は本開示の例１８４を特徴付け、例１８４はまた上記の例１６８〜１８３のいずれか一つに係る主題を含む。
【０１９１】
フェース部の最小厚さは、３ｍｍ未満である。本段落の前述の主題は本開示の例１８５を特徴付け、例１８５はまた上記の例１６８〜１８４のいずれか一つに係る主題を含む。
【０１９２】
本体及びフェース部は、一体で、単一のモノリシック構造を形成する。本段落の前述の主題は本開示の例１８６を特徴付け、例１８６はまた上記の例１６８〜１８５のいずれか一つに係る主題を含む。
【０１９３】
フェース部は、フェース開口部と、フェース開口部に溶接された打撃プレートとを含む。本段落の前述の主題は本開示の例１８７を特徴付け、例１８７はまた上記の例１６８〜１８６のいずれか一つに係る主題を含む。
【０１９４】
ゴルフ用クラブヘッドはさらに、ソール部から直立して突出し、ヒール−トウ方向において長手方向に延び、１５ＧＰａ乃至３５０ＧＰａの第１の弾性係数を有する第１の材料で作られている第１の壁を含む。ゴルフ用クラブヘッドはまた、本体の内部空洞内に配置され、フェース部の内面と第１の壁との間に配置された補強材を含む。補強材は、第１の弾性係数未満の第２の弾性係数を有する第２の材料で作られており、第２の弾性係数は、０．５ＧＰａ乃至３０ＧＰａであり、第２の材料は、少なくともショア５．９５Ｄの硬度を有し、補強材は、フェース部の内面に直接に接触する。本段落の前述の主題は本開示の例１８８を特徴付け、例１８８はまた上記の例１６８〜１８７のいずれか一つに係る主題を含む。
【０１９５】
ゴルフ用クラブヘッドはさらに、ソール部から直立して突出し、一般的に前後方向において長手方向に延び、第１の弾性係数未満の第３の弾性係数を有する第３の材料で作られている第２の壁を含む。第２の弾性係数は、第３の弾性係数より大きい。補強材は、第２の壁に当接する。ゴルフ用クラブヘッドはさらに、ソール部から直立して突出し、一般的に前後方向において長手方向に延び、ヒール−トウ方向に平行な方向において第２の壁から離間して、第３の材料で作られている第３の壁を含む。補強材は、第３の壁に当接し、第２の壁と第３の壁との間に配置されている。本段落の前述の主題は本開示の例１８９を特徴付け、例１８９はまた上記の例１８８に係る主題を含む。
【０１９６】
第１の材料はチタン又は鋼のうちの一つである。第２の材料は発泡体である。第３の材料はアクリルである。本段落の前述の主題は本開示の例１９０を特徴付け、例１９０はまた上記の例１８９に係る主題を含む。
【０１９７】
本開示の主題の記載された特徴、構造、利点、及び／又は特性は、一つ又はそれ以上の実施形態及び／又は実行形態において任意の適切な形で組み合わせることができる。以下の説明では、本開示の主題の実施形態の完全な理解を与えるために、多数の具体的な詳細が提供される。当業者は、本開示の主題が、特定の実施形態又は実行形態の、一つ又はそれ以上の特定の特徴、詳細、構成要素、材料、及び／又は方法なしで実施され得ることを理解されよう。他の例では、特定の実施形態及び／又は実行形態では、全ての実施形態又は実行形態には存在しないことがある追加の特徴及び利点が認識されることがある。さらに、いくつかの例では、本開示の主題の態様を曖昧にすることを避けるために、よく知られている構造、材料、又は動作は、詳細に図示又は説明されていない。本開示の主題の特徴及び利点は、以下の説明及び添付の特許請求の範囲から、より完全に明らかになり、又は以下に記載の主題の実施によって習得することができる。
【図面の簡単な説明】
【０１９８】
主題の利点をより容易に理解することができるように、上記で簡単に記載された主題のより詳細な説明は、添付の図面に示される特定の実施形態を参照することによって与えられるであろう。これらの図面は主題の典型的な実施形態のみを示しており、したがって主題の範囲を限定するものと見なすべきではないことを理解した上で、主題を、図面を用いてさらに具体的かつ詳細に記載及び説明する。
【０１９９】
【図１】図１は、本開示の一つ又はそれ以上の例に係る、ゴルフ用クラブヘッドの底部からの、ゴルフ用クラブヘッドの斜視図である。
【図２】図２は、本開示の一つ又はそれ以上の例に係る、ゴルフ用クラブヘッドの後方からの、ゴルフ用クラブヘッドの斜視図である。
【図３】図３は、本開示の一つ又はそれ以上の例に係る、ゴルフ用クラブヘッドの頂部からの、ゴルフ用クラブヘッドの分解斜視図である。
【図４】図４は、本開示の一つ又はそれ以上の例に係る、ゴルフ用クラブヘッドの側部からの、図２の線１−１に類似する線に沿った、ゴルフ用クラブヘッドの断面斜視図であり、ゴルフ用クラブヘッドのクラウンインサートを除去した状態を示す。
【図５】図５は、本開示の一つ又はそれ以上の例に係る、図２の線１−１に類似する線に沿った、ゴルフ用クラブヘッドの横断面の側面図である。
【図６】図６は、本開示の一つ又はそれ以上の例に係る、図１の線２−２に類似する線に沿った、ゴルフ用クラブヘッドの横断面の背面図である。
【図７】図７は、本開示の一つ又はそれ以上の例に係る、ゴルフ用クラブヘッドの側部からの、図２の線１−１に類似する線に沿った、ゴルフ用クラブヘッドの断面斜視図であり、ゴルフ用クラブヘッドのクラウンインサートを除去した状態を示す。
【図８】図８は、本開示の一つ又はそれ以上の例に係る、図２の線１−１に類似する線に沿った、ゴルフ用クラブヘッドの横断面の側面図である。
【図９】図９は、本開示の一つ又はそれ以上の例に係る、図１の線２−２に類似する線に沿った、ゴルフ用クラブヘッドの横断面の背面図である。
【図１０】図１０は、本開示の一つ又はそれ以上の例に係る、ゴルフ用クラブヘッドの側部からの、図２の線１−１に類似する線に沿った、ゴルフ用クラブヘッドの断面斜視図であり、ゴルフ用クラブヘッドのクラウンインサートを除去した状態を示す。
【図１１】図１１は、本開示の一つ又はそれ以上の例に係る、図２の線１−１に類似する線に沿った、ゴルフ用クラブヘッドの横断面の側面図である。
【図１２】図１２は、本開示の一つ又はそれ以上の例に係る、図２の線１−１に類似する線に沿った、ゴルフ用クラブヘッドの横断面の側面図である。
【図１３】図１３は、本開示の一つ又はそれ以上の例に係る、ゴルフ用クラブヘッドの側部からの、図２の線１−１に類似する線に沿った、ゴルフ用クラブヘッドの断面斜視図であり、ゴルフ用クラブヘッドのクラウンインサートを除去した状態を示す。
【図１４】図１４は、本開示の一つ又はそれ以上の例に係る、図２の線１−１に類似する線に沿った、ゴルフ用クラブヘッドの横断面の側面図である。
【図１５】図１５は、本開示の一つ又はそれ以上の例に係る、図１の線２−２に類似する線に沿った、ゴルフ用クラブヘッドの横断面の背面図である。
【図１６】図１６は、本開示の一つ又はそれ以上の例に係る、ゴルフ用クラブヘッドの側部からの、図２の線１−１に類似する線に沿った、ゴルフ用クラブヘッドの断面斜視図であり、ゴルフ用クラブヘッドのクラウンインサートを除去した状態を示す。
【図１７】図１７は、本開示の一つ又はそれ以上の例に係る、図２の線１−１に類似する線に沿った、ゴルフ用クラブヘッドの横断面の側面図である。
【図１８】図１８は、本開示の一つ又はそれ以上の例に係る、図２の線１−１に類似する線に沿った、ゴルフ用クラブヘッドの横断面の側面図である。
【図１９】図１９は、本開示の一つ又はそれ以上の例に係る、ゴルフ用クラブヘッドの側部からの、図２の線１−１に類似する線に沿った、ゴルフ用クラブヘッドの断面斜視図であり、ゴルフ用クラブヘッドのクラウンインサートを除去した状態を示す。
【図２０】図２０は、本開示の一つ又はそれ以上の例に係る、図２の線１−１に類似する線に沿った、ゴルフ用クラブヘッドの横断面の側面図である。
【図２１】図２１は、本開示の一つ又はそれ以上の例に係る、図１の線２−２に類似する線に沿った、ゴルフ用クラブヘッドの横断面の背面図である。
【図２２】図２２は、本開示の一つ又はそれ以上の例に係る、ゴルフ用クラブヘッドの側部からの、図２の線１−１に類似する線に沿った、ゴルフ用クラブヘッドの断面斜視図であり、ゴルフ用クラブヘッドのクラウンインサートを除去した状態を示す。
【図２３】図２３は、本開示の一つ又はそれ以上の例に係る、図１の線２−２に類似する線に沿った、ゴルフ用クラブヘッドの横断面の背面図である。
【図２４】図２４は、本開示の一つ又はそれ以上の例に係る、図２の線１−１に類似する線に沿った、ゴルフ用クラブヘッドの横断面の側面図である。
【図２５】図２５は、本開示の一つ又はそれ以上の例に係る、図１の線２−２に類似する線に沿った、ゴルフ用クラブヘッドの横断面の背面図である。
【図２６】図２６は、本開示の一つ又はそれ以上の例に係る、図５の線３−３に類似する線に沿った、ゴルフ用クラブヘッドの横断面の平面図である。
【図２７】図２７は、本開示の一つ又はそれ以上の例に係る、図２の線１−１に類似する線に沿った、ゴルフ用クラブヘッドの横断面の側面図である。
【図２８】図２８は、本開示の一つ又はそれ以上の例に係る、ゴルフ用クラブの斜視図である。
【図２９】図２９は、本開示の一つ又はそれ以上の例に係る、ゴルフ用クラブヘッドが完全に製造された後に、ゴルフ用クラブヘッドの特性時間（ＣＴ）を調整する方法の概略流れ図である。
【図３０】図３０は、本開示の一つ又はそれ以上の例に係る、ゴルフ用クラブヘッドの正面図である。
【図３１Ａ】図３１Ａは、本開示の一つ又はそれ以上の例に係る、図２の線３１−３１に類似する線に沿った、ゴルフ用クラブヘッドの横断面の正面図である。
【図３１Ｂ】図３１Ｂは、本開示の一つ又はそれ以上の例に係る、図２の線３１−３１に類似する線に沿った、ゴルフ用クラブヘッドの横断面の正面図である。
【図３１Ｃ】図３１Ｃは、本開示の一つ又はそれ以上の例に係る、図２の線３１−３１に類似する線に沿った、ゴルフ用クラブヘッドの横断面の正面図である。
【図３２Ａ】図３２Ａは、本開示の一つ又はそれ以上の例に係る、図２の線１−１に類似する線に沿った、ゴルフ用クラブヘッドの横断面の側面図である。
【図３２Ｂ】図３２Ｂは、本開示の一つ又はそれ以上の例に係る、図２の線１−１に類似する線に沿った、ゴルフ用クラブヘッドの横断面の側面図である。
【図３３】図３３は、本開示の一つ又はそれ以上の例に係る、ゴルフ用クラブヘッドの側部からの、図２の線１−１に類似する線に沿った、ゴルフ用クラブヘッドの断面斜視図であり、ゴルフ用クラブヘッドの頂部の一部を除去した状態を示す。
【図３４】図３４は、本開示の一つ又はそれ以上の例に係る、図２の線１−１に類似する線に沿った、ゴルフ用クラブヘッドの横断面の側面図である。
【図３５】図３５は、本開示の一つ又はそれ以上の例に係る、図２の線１−１に類似する線に沿った、ゴルフ用クラブヘッドの横断面の側面図である。
【図３６】図３６は、本開示の一つ又はそれ以上の例に係る、ゴルフ用クラブヘッドの側部からの、図２の線１−１に類似する線に沿った、ゴルフ用クラブヘッドの断面斜視図であり、ゴルフ用クラブヘッドの頂部の一部を除去した状態を示す。
【図３７】図３７は、本開示の一つ又はそれ以上の例に係る、図２の線１−１に類似する線に沿った、ゴルフ用クラブヘッドの横断面の側面図である。
【図３８】図３８は、本開示の一つ又はそれ以上の例に係る、ゴルフ用クラブヘッドの底部からの、ゴルフ用クラブヘッドの斜視図である。
【図３９】図３９は、本開示の一つ又はそれ以上の例に係る、ゴルフ用クラブヘッドの底部からの、ゴルフ用クラブヘッドの分解斜視図である。
【図４０】図４０は、本開示の一つ又はそれ以上の例に係る、図２の線１−１に類似する線に沿った、ゴルフ用クラブヘッドの横断面の側面図である。
【図４１Ａ】図４１Ａは、本開示の一つ又はそれ以上の例に係る、図２の線１−１に類似する線に沿った、ゴルフ用クラブヘッドのフェース−ソール移行領域の横断面の側面図である。
【図４１Ｂ】図４１Ｂは、本開示の一つ又はそれ以上の例に係る、図２の線１−１に類似する線に沿った、ゴルフ用クラブヘッドのフェース−ソール移行領域の横断面の側面図である。
【図４２】図４２は、本開示の一つ又はそれ以上の例に係る、図５の線３−３に類似する線に沿った、ゴルフ用クラブヘッドの横断面の上面図である。
【図４３】図４３は、本開示の一つ又はそれ以上の例に係る、図５の線３−３に類似する線に沿った、ゴルフ用クラブヘッドの横断面の上面図である。
【図４４】図４４は、本開示の一つ又はそれ以上の例に係る、図２の線１−１に類似する線に沿った、ゴルフ用クラブヘッドの横断面の側面図である。
【図４５】図４５は、本開示の一つ又はそれ以上の例に係る、図５の線３−３に類似する線に沿った、ゴルフ用クラブヘッドの横断面の上面図である。
【図４６】図４６は、本開示の一つ又はそれ以上の例に係る、ゴルフ用クラブヘッドの正面図である。
【図４７】図４７は、本開示の一つ又はそれ以上の例に係る、ゴルフ用クラブヘッドの打撃フェースの中心領域内の特性時間（ＣＴ）値を示すグラフである。
【図４８】図４８は、本開示の一つ又はそれ以上の例に係る、ゴルフ用クラブヘッドの打撃フェースの中心領域内の特性時間（ＣＴ）値を示すグラフである。
【図４９】図４９は、本開示の一つ又はそれ以上の例に係る、打撃フェースの中心を通る打撃フェース上の水平経路に沿った特性時間（ＣＴ）値を示すグラフである。
【図５０】図５０は、本開示の一つ又はそれ以上の例に係る、ゴルフ用クラブヘッドのフェース部の分解横断面の側面図である。
【図５１】図５１は、本開示の一つ又はそれ以上の例に係る、図５０のゴルフ用クラブヘッドのフェース部の横断面の側面図である。
【図５２】図５２は、本開示の一つ又はそれ以上の例に係る、ゴルフ用クラブヘッドのフェース部の横断面の側面図である。
【図５３】図５３は、本開示の一つ又はそれ以上の例に係る、ゴルフ用クラブヘッドのフェース部の横断面の側面図である。
【図５４】図５４は、本開示の一つ又はそれ以上の例に係る、ゴルフ用クラブヘッドのフェース部の横断面の側面図である。
【図５５】図５５は、本開示の一つ又はそれ以上の例に係る、ゴルフ用クラブヘッドのフェース部の背面図である。
【図５６】図５６は、本開示の一つ又はそれ以上の例に係る、ゴルフ用クラブヘッドのフェース部の背面図である。
【図５７】図５７は、本開示の一つ又はそれ以上の例に係る、図５６のフェース部の斜視図である。
【図５８】図５８は、本開示の一つ又はそれ以上の例に係る、ゴルフ用クラブヘッドのフェース部の背面図である。
【０２００】
詳細な説明  
以下はドライバータイプのゴルフ用クラブの文脈でゴルフ用クラブヘッドの実施形態を説明するが、記載された原理、方法及び設計はフェアウェイウッド、ユーティリティクラブ（ハイブリッドクラブとしても知られる）等に全体的又は部分的に適用可能である。
【０２０１】
全体が参照により本明細書に組み込まれる、２０１４年１０月９日に公開された米国特許出願公開第２０１４／０３０２９４６Ａ１号（‘９４６Ａｐｐ）は、本出願を通して論じられている様々なパラメータを測定するために使用されるアドレス位置と同様の「基準位置」を記載している。アドレス又は基準位置は、全米ゴルフ協会及びR&A Rules Limitedの「Procedure for Measuring the Club Head Size of Wood Clubs」改訂1.0.0（２００３年１１月２１日）に記載されている手順に基づいている。特に指示のない限り、全てのパラメータは、クラブヘッドを基準位置にして特定されている。
【０２０２】
図５、６、８、９、１１、１２、１４、１５、１７、１８、２０、２１、２３〜２５、及び２７は、アドレス位置にあるクラブヘッドを示す例であり、すなわち、クラブヘッドは、ホーゼル軸が大地面に対して６０度のライ角にあり、クラブフェースが想像上の目標線に対して正方形であるように位置している。図５、６、８、９、１１、１２、１４、１５、１７、１８、２０、２１、２３〜２５、及び２７に示すように、ゴルフ用クラブヘッド１００を基準位置に位置させることは、様々な測定を行なうためにクラブヘッド原点座標系１８５を使用することに役立つ。さらに、ＵＳＧＡ方法論は、ヘッド高さ、クラブヘッド重心（ＣＧ）位置、及び様々な軸周りの慣性モーメント（ＭＯＩ）を含む、本出願を通して記載されている様々なパラメータを測定するために使用され得る。
【０２０３】
さらなる詳細又は明確さのために、読者には‘９４６Ａｐｐ及びＵＳＧＡ手順に記載されている測定方法を参照することを勧める。しかしながら、特に、本出願で使用される原点及び軸は、必ずしも‘９４６Ａｐｐ又はＵＳＧＡ手順に記載されているものと同じ方法で整列又は配向されていてなくてもよい。クラブヘッド原点座標系１８５の位置を特定することについてのさらなる詳細が以下に提供される。
【０２０４】
本明細書に記載されているゴルフ用クラブヘッドは、少なくとも３５００ｍｍ＾２、好ましくは少なくとも３８００ｍｍ＾２、さらにより好ましくは３９００ｍｍ＾２の比較的大きい打撃プレート領域を有するドライバータイプのゴルフ用クラブヘッドを含み得る。さらに、ドライバータイプのゴルフ用クラブヘッドは、垂直軸（ｚ軸）に沿って測定したときに最大で、センターフェースの上下３ｍｍであり得る、好ましくはセンターフェースの上下１ｍｍであり得るセンターフェースに近接した重心（ＣＧ）突出部を含み得る。
【０２０５】
さらに、ドライバータイプのゴルフ用クラブヘッドは、比較的高いヘッド重心ｚ軸周りの慣性モーメント、例えばＩｚｚ＞３５０ｋｇ−ｍｍ＾２、好ましくはＩｚｚ＞４００ｋｇ−ｍｍ＾２、及び比較的高いヘッド重心ｘ軸周りの慣性モーメント、例えばＩｘｘ＞２００ｋｇ−ｍｍ＾２、好ましくはＩｘｘ＞２５０ｋｇ−ｍｍ＾２、並びに好ましくは、Ｉｘｘ／Ｉｚｚの比＞０．５５を有し得る。例えば、一つの実行形態において、Ｉｘｘは３０５ｋｇ・ｍｍ２以上であり、別の実行形態において、Ｉｘｘは３２０ｋｇ・ｍｍ２以上である。いくつかの例において、ＩｚｚとＩｘｘの合計は、約７４０ｋｇ・ｍｍ２乃至約１１００ｋｇ・ｍｍ２である。一つの例によれば、ＩｚｚとＩｘｘの合計は約７９０ｋｇ・ｍｍ２より大きい。別の例において、ＩｚｚとＩｘｘの合計は約８０５ｋｇ・ｍｍ２より大きい。
【０２０６】
ヘッド重心原点座標系を定義するヘッド重心ｘ軸、ヘッド重心ｙ軸、及びヘッド重心ｚ軸は、ゴルフ用クラブヘッドの重心を中心とする。さらに、ヘッド重心ｘ軸、ヘッド重心ｙ軸、及びヘッド重心ｚ軸は、本明細書で定義されるように、クラブヘッド原点座標系１８５の対応するｘ軸、ｙ軸、及びｚ軸に平行である。重心の位置は、ゴルフ用クラブヘッドの打撃フェースのセンターフェースを中心とするヘッドセンターフェース原点ｘ軸、ヘッドセンターフェース原点ｙ軸、及びヘッドセンターフェース原点ｚ軸によって定義されるセンターフェースヘッド原点座標系に対して定義することができる。ヘッドセンターフェース原点ｘ軸、ヘッドセンターフェース原点ｙ軸、及びヘッドセンターフェース原点ｚ軸は、本明細書で定義されるクラブヘッド原点座標系１８５の対応するｘ軸、ｙ軸、及びｚ軸と平行である。いくつかの例において、ゴルフ用クラブヘッドは、約−５ｍｍ乃至約５ｍｍのヘッドセンターフェース原点ｘ軸座標及び約２５ｍｍ乃至約５０ｍｍのヘッドセンターフェース原点ｙ軸座標、並びに２ｍｍ未満のセンターフェースヘッド原点ｚ軸座標を有する重心（ＣＧ）を有する。
【０２０７】
図１及び２を参照すると、本開示のゴルフ用クラブヘッド１００は本体１１０を含む。本体１１０は、トウ領域１１４と、トウ領域１１４の反対側のヒール領域１１６とを有する。さらに本体１１０は、前方領域１１２と、前方領域１１２の反対側の後方領域１１８とを含む。本体１１０はさらに、本体１１０の前方領域１１２にフェース部１４２を含む。ゴルフ用クラブヘッド１００の本体１１０はさらに、ゴルフ用クラブヘッド１００の底部領域１３５にソール部１１７と、ソール部１１７の反対側で、ゴルフ用クラブヘッド１００の頂部領域１３３にクラウン部１１９を含む。また、ゴルフ用クラブヘッド１００の本体１１０は、ゴルフ用クラブヘッド１００の本体１１０が、クラウン部１１９とソール部１１７との間で移行する移行領域を規定するスカート部１２１を含む。従って、スカート部１２１は、クラウン部１１９と、ソール部１１７との間に配置され、ゴルフ用クラブヘッド１００の周囲の周りに延びる。フェース部１４２は、ソール部１１７からクラウン部１１９に、前方領域１１２に沿って延びる。さらに、フェース部１４２の外面、及び内面の少なくとも一部は、上下方向に平面である。さらに定義されるように、フェース部１４２は、一般に前方を向く外面を有する、前方領域１１２における本体１１０の一部である。
【０２０８】
フェース部１４２は、リップ１４７と、打撃フェース１４４を規定する打撃プレート１４３とを含む。リップ１４７は、周方向に閉じられ、フェース開口部を規定し、本体１１０の前方領域１１２の外周の周りに延びる。リップ１４７は、打撃プレート１４３を周辺で取り囲み、本体１１０のクラウン部１１９、スカート部１２１、及びソール部１１７と一体成形されている（例えば、一体で、連続的なモノリシック構造を形成する）。打撃プレート１４３は、ゴルフ用クラブヘッド１００の通常のスイング中にゴルフボールに衝突し遠くまで飛ばすように構成された打撃フェースを規定する。図５を参照すると、打撃プレート１４３は、リップ１４７に取り付けられ又はそれと一体成形され、本体１１０のフェース部１４２を形成する。一つの例において、打撃プレート１４３は、打撃プレート１４３をリップ１４７又はフェース開口部に固定して取り付ける（例えば、溶接する）ことによって、リップ１４７に取り付けられる。別の例によれば、打撃プレート１４３は、リップ１４７及び本体１１０の他の部分とともに打撃プレート１４３を鋳造することによって、リップ１４７と一体成形（例えば、一体）され、本体１１０と一体で、連続的なモノリシック構造を形成する。例えば、打撃フェースは、全体が参照により本明細書に組み込まれる、２０１８年１０月１６日に出願された米国特許出願第１６／１６１，３３７号に示され、記載されているものと同様又は同じ方法で、ゴルフ用クラブヘッドと共鋳造することができる。
【０２０９】
一緒に鋳造されるとき、打撃プレート１４３、リップ１４７、及び本体１１０の他の部分は、以下に記載される様々な材料のうちのいずれかなどの、同じ材料で作られる。しかしながら、一体構造として打撃プレート１４３とリップ１４７とを一体成形するのではなく、打撃プレート１４３をリップ１４７に溶接することは、打撃プレート１４３を以下に記載される材料のうちのいずれかなどの、異なる材料から作ること、及び／又はリップ１４７及び本体１１０の他の部分とは異なる製造プロセスによって作ることができる。特定の実行形態によれば、ゴルフ用クラブヘッド１００は、全体が参照により本明細書に組み込まれる、米国特許出願第１２／００６，０６０号；及び米国特許第６，９９７，８２０号；６，８００，０３８号；及び６，８２４，４７５号にさらに詳細に記載されているものと同様の変厚フェース部機構を含む。その中心領域内において、以下に定義されているように、フェース部１４２は、いくつかの例において、４．５ｍｍ以下の最大フェース厚さ及び２．０ｍｍ以上の最小フェース厚さを有する。具体例によれば、フェース部の最大厚さは５ｍｍ以下であり、フェース部の最小厚さは３ｍｍ未満である。
【０２１０】
いくつかの例において、ゴルフ用クラブヘッド１００は、変厚フェース部機構を有するフェース部１４２を含む。一つの例によれば、フェース部の変厚フェース部機構は、フェース部１４２の内面１４５からゴルフ用クラブヘッド１００の内部空洞内に突出する逆円錐を含む。逆円錐は、フェース部１４２のセンターフェースを中心とする。この例において、フェース部１４２の変厚フェース部機構はさらに、フェース部１４２の逆円錐又はセンターフェースの周方向に間隔を置いて配置された複数の厚さゾーンを含む。厚さゾーンそれぞれは、逆円錐からフェース部１４２の外周に向かって半径方向外向きに延びる。いくつかの実行形態において、一つ又はそれ以上の厚さゾーンは、フェース部１４２の外周前に終わる及び／又は一つ又はそれ以上の厚さゾーンは、フェース部１４２の外周までずっと延びる。さらに、厚さゾーンそれぞれは、一定の厚さを有する、フェース部１４２の一部を規定する。言い換えれば、厚さゾーンの与えられた一つ内のフェース部１４の厚さは、同じであるか、又は変化しない。しかしながら、一つの厚さゾーン内のフェース部１４２の厚さは、隣接する厚さゾーンの厚さとは異なる。このように、フェース部１４２の厚さは、逆円錐の周りの周方向に厚さゾーンごとに異なる。
【０２１１】
一つの例によれば、複数の厚さゾーンは、複数の高い厚さゾーン及び複数の低い厚さゾーンを含む。高い厚さゾーンそれぞれは、高い厚さゾーンそれぞれよりも大きい厚さを有する。いくつかの実行形態において、低い厚さゾーンそれぞれの厚さは、フェース部１４２の最小厚さよりも大きい。複数の高い厚さゾーン及び複数の低い厚さゾーンは、逆円錐６０８の周りに高い厚さゾーンと低い厚さゾーンとの間で交互に配置される。
【０２１２】
図５５は、本明細書に開示されているゴルフ用クラブ１００のフェース部６００の例示的な裏面を示す。フェース部１４２は、全体が参照により本明細書に組み込まれる、２０１８年１０月１６日に出願された米国特許出願第１６／１６１，３３７号に記載されるようなゴルフ用クラブヘッド１００のキャストカップの一部を形成することができる。フェース部１４２は、ホーゼル／ヒールを左側に、トウを右側にして後方から見たものである。図５６及び５７は、変厚プロファイルを有する別の例示的なフェース部７００を示し、図５８は、変厚プロファイルを有するさらに別の例示的なフェース部８００を示す。本明細書に開示されているフェース部は、鋳造プロセス及びフェース部に対する任意の鋳造後変更の結果として形成され得る。従って、フェース部は、多種多様の新規の厚さプロファイルを有することができる。伝統的なプロセスで平坦な圧延金属シートからフェースプレートを形成するのではなく、フェースを所望の形状に鋳造することによって、フェースはより多種多様な形状で作製することができ、異なる粒子方向及び化学的不純物含有量などの異なる材料特性を有することができ、それはゴルフの性能及び製造に利点を提供するすることができる。
【０２１３】
伝統的なプロセスにおいて、フェースプレートは、均一な厚さを有する平坦な金属シートから形成されている。そのような金属シートは、典型的に、一つの軸に沿って圧延され、シートの厚さを一定の均一な厚さに減少させる。この圧延プロセスは、圧延方向に垂直な方向と比較して圧延軸方向に異なる材料特性を生み出すシート中の粒子方向を付与する。材料特性におけるこの変動は望ましくない可能性があり、代わりにフェース部を作り出すために開示された鋳造方法を使用することによって回避することができる。
【０２１４】
さらに、従来のフェースプレートは、均一な厚さの平坦なシートとして始まるので、シート全体の厚さは、所望の最終製品のフェースプレートの最大厚さと少なくとも同じでなければならず、これは出発シート材料の多くを除去して無駄にしなければならず、材料コストが増大することを意味する。対照的に、開示された鋳造方法において、フェース部は最初に最終形状及び質量に非常に近く形成され、除去され無駄にされる材料がはるかに少なくなる。これは時間とコストを節約する。
【０２１５】
さらにまた、従来のプロセスにおいて、最初の平坦な金属シートは、フェースプレートに所望のバルジ及びロール曲率を付与するために特別なプロセスで曲げなければならない。開示された鋳造方法を使用するとき、そのような曲げ工程は必要とされない。
【０２１６】
図５５〜５９に例示されている特有の厚さプロファイルは、米国特許出願第１６／１６１，３３７号に開示されているもののような鋳造方法を使用して可能にされ、旋盤又は同様の機械にシートを取り付け、フェースプレートの後部を横切って変厚プロファイルを形成するようにシートを回転させるなどの、従来のプロセスでは達成できなかった。そのような旋削プロセスにおいて、付与された厚さプロファイルは、中心回転軸に関して対称でなければならず、それは厚さプロファイルを中心点から任意の半径で均一な厚さをそれぞれ有する同心円環形状の構成に制限する。その一方、開示された鋳造方法を使用してそのような制限が課されることなく、より複雑なフェース形状を作り出すことができる。
【０２１７】
鋳造方法を用いることによって、多数の開示されたクラブヘッドをより早くより効率的に製造することができる。例えば、５０又はそれ以上のカップ４０２を単一の鋳造ツリー上に同時に鋳造することができ、一方、旋盤を使用する従来のスライス加工方法を用いてフェースプレート上に新規のフェース厚さプロファイルを一度に一つ作り出すには、はるかに時間がかかり、より多くの資源を必要とする。
【０２１８】
図５５において、フェース部６００の後方フェース面又は内面は、非対称の変厚プロファイルを含み、開示された鋳造方法を用いて可能にされた多種多様な変厚プロファイルのほんの一例を示す。フェースの中心６０２は、センター厚さを有することができ、フェース厚さは中心から内側ブレンドゾーン６０３を横切って半径方向外向きに、円形になり得る最大厚さのリング６０４に向かって徐々に増加することができる。フェース厚さは、最大厚さのリング６０４から可変ブレンドゾーン６０６を横切って楕円形のような非円形とすることができる第２のリング６０８まで半径方向外向きに移動するにつれて徐々に減少することができる。フェース厚さは、第２のリング６０８から外側ブレンドゾーン６０９を横切って、一定の厚さ（例えば、フェース部の最小厚さ）のヒール及びトウゾーン６１０に、及び／又はフェースがゴルフ用クラブヘッド１００の他の部分に移行するフェース部６００の範囲を規定する半径方向周辺ゾーン６１２に、半径方向外向きに移動するにつれて徐々に減少し得る。
【０２１９】
第２のリング６０８はそれ自体、変厚プロファイルを有することができ、それにより第２のリング６０８の厚さは、中心６０２の周りの周方向位置の関数として変化する。同様に、可変ブレンドゾーン６０６は、中心６０２の周りの周方向位置の関数として変化する厚さプロファイルを有することができ、最大厚さのリング６０４から可変でそれより薄い第２のリング６０８の厚さへの厚さの移行をもたらす。例えば、可変ブレンドゾーン６０６〜第２のリング６０８は、頂部ゾーンＡ、頂部−トウゾーンＢ、トウゾーンＣ、底部−トウゾーンＤ、底部ゾーンＥ、底部−ヒールゾーンＦ、ヒールゾーンＧ、及び頂部−ヒールゾーンＨを含む、図５５にＡ〜Ｈとラベル付けされた８つのセクターに分割することができる。これらの８つのゾーンは、示されるように異なる角度幅を有することができ、又はそれぞれ同じ角度幅（例えば、３６０度の１／８）を有することができる。８つのゾーンのそれぞれは、それぞれがリング６０４に隣接する共通の最大厚さから第２のリング６０８における異なる最小厚さまでの範囲のそれ自身の厚さ変動を有することができる。例えば、第２のリングは、ゾーンＡ及びＥにおいてより厚く、ゾーンＣ及びＧにおいてより薄く、ゾーンＢ、Ｄ、Ｆ及びＨにおいて中間の厚さを有することができる。この例において、ゾーンＢ、Ｄ、Ｆ、及びＨは、半径方向に沿って（半半径方向外向きに向かって薄くなる）及び周方向に沿って（ゾーンＡ及びＥからゾーンＣ及びＧに向かって薄くなる）厚さが変化し得る。
【０２２０】
フェース部６００の一つの例は、以下の厚さ：中心６０２で３．１ｍｍ、リング６０４で３．３ｍｍを有することができ、第２のリング６０８は、ゾーンＡの２．８ｍｍからゾーンＣの２．２ｍｍまで、ゾーンＥの２．４ｍｍまで、ゾーンＧの２．０ｍｍまで、並びにヒール及びトウゾーン６１０の１．８ｍｍまで変化することができる。
【０２２１】
図５６及び５７は、非対称の変厚プロファイルを含む別の例示的なフェース部７００の後方フェース面を示す。フェースの中心７０２は、センター厚さを有することができ、フェース厚さは、中心から内側ブレンドゾーン７０３を横切って半径方向外向きに円形になることができる最大厚さのリング７０４に向かって徐々に増加することができる。フェース厚さは、最大厚さのリング７０４から可変ブレンドゾーン７０５を横切って、様々な厚さを有する複数のくさび形セクターＡ〜Ｈからなる外側ゾーン７０６まで半径方向外向きに動くにつれて徐々に減少することができる。図５７に最もよく示されているように、セクターＡ、Ｃ、Ｅ、及びＧは比較的厚くすることができ、セクターＢ、Ｄ、Ｆ、及びＨは比較的薄くすることができる。外側ゾーン７０６を囲む外側ブレンドゾーン７０８は、可変セクターから比較的小さいが一定の厚さを有する外周リング７１０まで厚さが変化する。外側ゾーン７０６はまた、一つのセクターから隣接するセクターへ厚さが徐々に移行するセクターＡ〜Ｈのそれぞれの間にブレンドゾーンを含むことができる。
【０２２２】
フェース部７００の一つの例は、以下の厚さ：中心７０２で３．９ｍｍ、リング７０４で４．０５ｍｍ、ゾーンＡで３．６ｍｍ、ゾーンＢで３．２ｍｍ、ゾーンＣで３．２５ｍｍ、ゾーンＤで２．０５ｍｍ、ゾーンＥで３．３５ｍｍ、ゾーンＦで２．０５ｍｍ、ゾーンＧで３．００ｍｍ、ゾーンＨで２．６５ｍｍ、及び外周リング７１０で１．９ｍｍを有することができる。
【０２２３】
図５８は、ヒール側（左側）に向かってオフセットされた目的の厚さを有する非対称の変厚プロファイルを含む別の例示的なフェース部８００の後面を示す。フェースの中心８０２はセンター厚さを有し、トウ／頂部／底部に向かって厚さは内側ブレンドゾーン８０３を横切って中心８０２よりも大きい厚さを有する内側リング８０４まで徐々に増加する。ついで、厚さは、第２のブレンドゾーン８０５を横切って内側リング８０４の厚さより薄い厚さを有する第２のリング８０６まで半径方向外向きに移動して減少する。ついで、厚さは、第３のブレンドゾーン８０６を横切って第２のリング８０６の厚さより薄い厚さを有する第３のリング８０８まで半径方向外向きに移動して減少する。ついで、厚さは、第４のブレンドゾーン８１０を横切って第３のリング８０８の厚さより薄い厚さを有する第４のリング８１１まで半径方向外向きに移動して減少する。トウ端部ゾーン８１２は、外側ブレンドゾーン８１３を横切って比較的薄い厚さを有する外周８１４と混合する。
【０２２４】
ヒール側では、厚さは、トウ側のそれらの対応する領域に対してわずかに厚いように設定量（例えば、０．１５ｍｍ）だけオフセットされている。増厚ゾーン８２０（破線）は、全ての厚さがヒール側のより厚いオフセットゾーン８２２（破線）に向かって徐々に増加する移行部を提供する。オフセットゾーン８２２において、リング８２３は、ヒール側のリング８０６よりも設定量（例えば、０．１５ｍｍ）だけ厚く、リング８２５は、リング８０８よりも同じ設定量だけ厚い。ブレンドゾーン８２４及び８２６は、半径方向外向きに移動するにつれて徐々に厚さが減少し、トウ側の対応するブレンドゾーン８０７及び８１０よりもそれぞれ厚い。増厚ゾーン８２０において、内側リング８０４は、ヒールに向かって移動するにつれて徐々に厚さが増加する。
【０２２５】
フェース部８００の一つの例は、以下の厚さ：中心８０２で３．８ｍｍ、内側リング８０４で４．０ｍｍ、及び増厚ゾーン８２０を横切って４．１５ｍｍまで厚くなる、第２のリング８０６で３．５ｍｍ及びリング８２３で３．６５ｍｍ、第３のリング８０８で２．４ｍｍ及びリング８２５で２．５５ｍｍ、第４のリング８１１で２．０ｍｍ、並びに外周リング８１４で１．８ｍｍを有することができる。
【０２２６】
図５８に示される目的のオフセット厚さプロファイルは、フェース全体に望ましいＣＴプロファイルを提供するのに役立つことができる。ヒール側を厚くすることは、例えば、フェースのヒール側にＣＴスパイクを有することを回避するのに役立つことができ、それは、フェース全体にわたって不適合なＣＴプロファイルを有することを回避するのに役立つことができる。そのようなオフセットされた厚さプロファイルは、フェースのヒール側及びトウ側の両方でのＣＴスパイクを回避するために、フェースのトウ側又はフェースのトウ側とヒール側の両方に同様に適用することができる。他の実施形態において、オフセット厚さプロファイルをフェースの上側及び／又はフェースの下側に適用することができる。
【０２２７】
ゴルフ用クラブヘッド１００はまた、ゴルフ用クラブヘッド１００のヒール領域１１６から延びるホーゼル１２０を含む。図２８に示すように、ゴルフ用クラブ２７０のシャフト２７２は、ホーゼル１２０に直接に取り付けられてもよく、あるいは、ホーゼル１２０に結合されたフライトコントロールテクノロジー（ＦＣＴ）部材１２２（例えば、調節可能なライ／ロフトアセンブリ）を介してなど、ホーゼル１２０に間接的に取り付けられてもよい（例えば、図３参照）。ゴルフ用クラブ２７０はまた、シャフト２７２の遠位端又は自由端の周りに取り付けられたグリップ２７４を含む。ゴルフ用クラブ２７０のグリップ１０４は、ゴルフスイング中にユーザーによるゴルフ用クラブ２７０の取り扱いを促進するのに役立つ。ゴルフ用クラブヘッド１００は、ホーゼル１２０の中心軸を規定する、シャフト２７２と同軸のホーゼル軸１９１（例えば、図３参照）を含む。
【０２２８】
図３に示すような、いくつかの実施形態において、ゴルフ用クラブヘッド１００の本体１１０は、本体１１０の一つ又はそれ以上のインサートが結合されるフレーム１２４を含む。例えば、本体１１０のクラウン部１１９は、ゴルフ用クラブヘッド１００の頂部領域１３３でフレーム１２４に取り付けられたクラウンインサート１２６を含む。同様に、本体１１０のソール部１１７は、ゴルフ用クラブヘッド１００の底部領域１３５でフレーム１２４に取り付けられたソールインサートを含む。例えば、本体１１０のフレーム１２４は、ソールインサートを受け入れるような大きさにされ、構成されたソール開口部、又はクラウンインサート１２６を受け入れるような大きさにされ、構成されたクラウン開口部１６２のうちの少なくとも一つを有し得る。さらに具体的に、ソール開口部は、ソールインサートを受け入れてしっかりと固定する。同様に、クラウン開口部１６２はクラウンインサート１２６を受け入れてしっかりと固定する。ソール及びクラウン開口部は、ソールインサート及びクラウンインサートをそれぞれ着座させるための周縁又は凹部を有するように、それぞれ形成され、ソール及びクラウンインサートは、滑らかな繋ぎ目のない外面を提供するためにフレーム１２４と面一であるか、あるいはわずかに凹んでいる。
【０２２９】
図示されていないが、フレーム１２４は、本体１１０の前方領域１１２に、ゴルフ用クラブヘッド１００の打撃プレート１４３を受け入れてしっかりと固定するためのフェース開口部を有し得る。いくつかの実行形態において、打撃プレート１４３は、溶接、ろう接、はんだ付け、ネジ又は他の結合手段によってフレーム１２４のフェース開口部にしっかりと固定される。一般に、フレーム１２４は、ゴルフボールとフェース部１４２との衝突によって生じる応力が大きい領域でゴルフ用クラブヘッド１００を強化するためのゴルフ用クラブヘッド１００の骨組み又は骨格を提供する。そのような領域は、ゴルフ用クラブヘッド１００が、本体１１０のフェース部１４２からクラウン部１１９、ソール部１１７、及びスカート部１２１へと移行する移行領域を含む。
【０２３０】
いくつかの例において、本体１１０（例えば、本体１１０のフレーム１２４だけ）及び／又はフェース部１４２は、下記材料：炭素鋼、ステンレス鋼（例えば、１７−４ＰＨステンレス鋼）、合金鋼、Ｆｅ−Ｍｎ−Ａｌ合金、ニッケル系合金鉄、鋳鉄、超合金鋼、アルミニウム合金（３０００シリーズ合金、５０００シリーズ合金、６０６１−Ｔ６などの６０００シリーズ合金、７０７５などの７０００シリーズ合金を含むがこれらに限定されない）、マグネシウム合金、銅合金、チタン合金（６−４チタン、３−２．５、６−４、ＳＰ７００、１５−３−３−３、１０−２−３、又は他のアルファ／ニアアルファ、アルファ−ベータ、及びベータ／ニアベータチタン合金）又はそれらの混合物のうちの一つ又はそれ以上で作られている。さらに他の例において、本体１１０（例えば、クラウンインサート及び／又はソールインサート）及び／又はフェース部１４２は、約１ｇ／ｃｍ３から約２ｇ／ｃｍ３の間など、約２ｇ／ｃｍ３未満の密度を有する非金属材料で形成されている。非金属材料は、ポリマー又はポリマー強化複合材料を含み得る。ポリマーは、熱硬化性又は熱可塑性のいずれかであり得、非晶質、結晶性及び／又は半結晶性構造であり得る。
【０２３１】
本体１１０は、いくつかの例において、チタン合金で作られ、これはチタン又は様々なチタン系合金のいずれかであり得る。具体例において、本体１１０は、９−１−１チタン、６−４チタン、３−２．５、６−４、ＳＰ７００、１５−３−３−３、１０−２−３、又は他のアルファ／ニアアルファ、アルファ−ベータ、及びベータ／ニアベータチタン合金）又はそれらの混合物を含むが、これらに限定されないチタン合金で作られている。本明細書で集合的に「９−１−１Ｔｉ」と呼ばれる、アルミニウム（例えば、８．５−９．５％のＡｌ）、バナジウム（例えば、０．９−１．３％のＶ）、及びモリブデン（例えば、０．８−１．１％のＭｏ）を、任意に他の少量の合金元素及び不純物とともに含むチタン合金は、それほど重要ではないアルファケースを有することができ、それは従来の６−４Ｔｉ及び他のチタン合金から作られたフェースと比較してＨＦ酸エッチングを不要又は少なくともをより必要でなくする。さらに、９−１−１Ｔｉは、８２０ＭＰａの降伏強さ、９５８ＭＰａの引張強さ、及び１０．２％の伸びの最低限の機械的性質を有し得る。これらの最低限の特性は、８１２ＭＰａの降伏強さ、９３６ＭＰａの引張強さ、及び〜６％の伸びの最低限の機械的性質を有することができる６−４Ｔｉのような典型的な鋳造チタン合金よりも著しく優れている。
【０２３２】
本体の一体部分としてのフェースを含めて鋳造されるゴルフ用クラブヘッド本体（例えば、単一の鋳造物として同時に鋳造される）は、フェースが別々に形成され、後でクラブヘッド本体の前開口部に取り付けられるクラブヘッドと比較して優れた構造特性を提供することができる。しかしながら、一体的に鋳造されたＴｉフェースを有することの利点は、鋳造されたＴｉフェースの表面上のアルファケースを除去する必要性によって軽減される。
【０２３３】
本明細書に開示されるクラブヘッド本体が、一体鋳造された９−１−１Ｔｉフェースを含む場合、アルファケースを除去しなければならないという欠点を排除することができ、又は少なくとも実質的に軽減することができる。鋳造された９−１−１Ｔｉフェースの場合、１０００Ｃ又はそれ以上の従来の鋳型の予熱温度を使用して、アルファケースの厚さは、いくつかの実施形態において、約０．１０ｍｍから約０．３０ｍｍまでなど、約０．１５ｍｍ以下、又は約０．２０ｍｍ以下、又は約０．３０ｍｍ以下であることがあり、一方、鋳造された６−４Ｔｉフェースの場合、アルファケースの厚さは、いくつかの例において、約０．２５ｍｍから約０．３０ｍｍまでなど、約０．１５ｍｍより大きい、又は約０．２０ｍｍより大きい、又は約０．３０ｍｍより大きいことがある。
【０２３４】
いくつかの場合において、９−１−１Ｔｉフェース部のアルファケースの減少した厚さ（例えば、０．１５ｍｍ以下）は、フェース部に必要とされる十分な耐久性を提供し、ＨＦ酸のような厳しい化学エッチング剤で、アルファケースの一部をエッチング除去する必要性を回避するのに十分に薄くないかもしれない。このような場合、溶融チタン合金を鋳型に注ぐ前に、鋳型の予熱温度を（例えば、８００Ｃ未満、７００Ｃ未満、６００Ｃ未満、及び／又は５００℃以下に）下げることができる。これにより、鋳型から鋳造チタン合金に移行する酸素の量をさらに減らすことができ、より薄いアルファケース（例えば、０．１５ｍｍ未満、０．１０ｍｍ未満、及び／又は０．０７ｍｍ未満）がもたらされる。これは、フェース部にとって特に重要である一体型フェースを有する本体に対してより良好な延性及び耐久性を提供する。
【０２３５】
鋳造９−１−１Ｔｉフェースのより薄いアルファケースは、化学エッチングによる、フェースから一部のアルファケースの除去が必要とされないほどフェースが十分に耐久性があるように、向上した耐久性を提供するのに役立つ。したがって、特により低い予熱温度を有する鋳型を使用するときに、本体及びフェースが９−１−１Ｔｉを使用して一体的に鋳造されるとき、製造プロセスからフッ化水素酸エッチングを排除することができる。これは製造プロセスを単純化し、コストを削減し、安全上のリスク及び操作上の危険性を減少し、そしてＨＦ酸による環境汚染の可能性を排除することができる。さらに、ＨＦ酸は金属に導入されないので、一体型フェースを有する本体、又はクラブヘッド全体さえも、フッ素原子をほとんど又は実質的に全く含まない可能性があり、これは、１０００ｐｐｍ未満、５００ｐｐｍ未満、２００ｐｐｍ未満、及び／又は１００ｐｐｍ未満と定義することができ、存在するフッ素原子は、本体を鋳造するのに使用される金属材料中の不純物によるものである。
【０２３６】
いくつかの例において、本体１１０は、６．５重量％〜１０重量％のＡｌ、０．５重量％〜３．２５重量％のＭｏ、１．０重量％〜３．０重量％のＣｒ、０．２５重量％〜１．７５重量％のＶ、及び／又は０．２５重量％〜１重量％のＦｅを含み、Ｔｉを含む残部を含むアルファ−ベータチタン合金で作られている（一例は、「１３００」チタン合金と呼ばれることもある）。別の代表的な例において、合金は、６．７５重量％〜９．７５重量％のＡｌ、０．７５重量％〜３．２５重量％又は２．７５重量％のＭｏ、１．０重量％〜３．０重量％のＣｒ、０．２５重量％〜１．７５重量％のＶ、及び／又は０．２５重量％〜１重量％のＦｅを含み得、残部はＴｉを含む。さらに別の代表的な実施形態において、合金は、７重量％〜９％重量％のＡｌ、１．７５重量％〜３．２５重量％のＭｏ、１．２５重量％〜２．７５重量％のＣｒ、０．５重量％〜１．５重量％のＶ、及び／又は０．２５重量％〜０．７５重量％のＦｅを含み得、残部はＴｉを含む。さらなる代表的な実施形態において、合金は、７．５重量％〜８．５重量％のＡｌ、２．０重量％〜３．０重量％のＭｏ、１．５重量％〜２．５重量％のＣｒ、０．７５重量％〜１．２５重量％のＶ、及び／又は０．３７５重量％〜０．６２５重量％のＦｅを含み得、残部はＴｉを含む。別の代表的な実施形態において、合金は、８重量％のＡｌ、２．５重量％のＭｏ、２重量％のＣｒ、１重量％のＶ、及び／又は０．５重量％のＦｅを含み得、残部はＴｉを含む（このようなチタン合金は、式Ｔｉ−８Ａｌ−２．５Ｍｏ−２Ｃｒ−１Ｖ−０．５Ｆｅを有することができる）。本明細書で使用されるとき、「Ｔｉ−８Ａｌ−２．５Ｍｏ−２Ｃｒ−１Ｖ−０．５Ｆｅ」への言及は、上記の割合のいずれかで言及された元素を含むチタン合金をいう。特定の実施形態はまた、微量のＫ、Ｍｎ、及び／又はＺｒ、及び／又は様々な不純物を含み得る。
【０２３７】
Ｔｉ−８Ａｌ−２．５Ｍｏ−２Ｃｒ−１Ｖ−０．５Ｆｅは、１１５０ＭＰａの降伏強さ、１１８０ＭＰａの最大引張強さ、及び８％の伸びの最低限の機械的性質を有し得る。これらの最低限の性質は、上記の最低限の機械的性質を有することができる６−４Ｔｉ及び９−１−１Ｔｉを含む他の鋳造チタン合金よりも著しく優れ得る。いくつかの実施形態において、Ｔｉ−８Ａｌ−２．５Ｍｏ−２Ｃｒ−１Ｖ−０．５Ｆｅは、約１１８０ＭＰａから約１４６０ＭＰａまでの引張強さ、約１１５０ＭＰａから約１４１５ＭＰａまでの降伏強さ、約８％から約１２％までの伸び、約１１０ＧＰａの弾性係数、約４．４５ｇ／ｃｍ３の密度、及びロックウェルＣスケールで約４３の硬度（４３ＨＲＣ）を有し得る。特定の実施形態において、Ｔｉ−８Ａｌ−２．５Ｍｏ−２Ｃｒ−１Ｖ−０．５Ｆｅ合金は、約１３２０ＭＰａの引張強さ、約１２８４ＭＰａの降伏強さ、及び約１０％の伸びを有し得る。Ｔｉ−８Ａｌ−２．５Ｍｏ−２Ｃｒ−１Ｖ−０．５Ｆｅ合金は、特にゴルフ用クラブヘッド本体を鋳造するために使用されるとき、他の材料と比較してより高い最大引張強さのために同じ厚さのためにより少ない撓みを促進する。いくつかの実行形態において、同じ厚さでより少ない撓みを提供することは、ゴルフ用クラブヘッドのフェースがその元の形状（例えばバルジ及びロール）を経時的に維持し、経時的に平坦化する傾向がより低いのでより高いスイング速度を有するゴルファーに有益である。
【０２３８】
ポリマーはまた、結晶性又は半結晶性エンジニアリングプラスチック若しくは非晶質エンジニアリングプラスチックなどのエンジニアリングプラスチックで作られてもよい。潜在的なエンジニアリングプラスチック候補は、ポリフェニレンスルフィドエーテル（ＰＰＳ）、ポリエーテルイミド（ＰＥＩ）、ポリカーボネート（ＰＣ）、ポリプロピレン（ＰＰ）、アクリロニトリル−ブタジエンスチレンプラスチック（ＡＢＳ）、ポリオキシメチレンプラスチック（ＰＯＭ）、ナイロン６、ナイロン６−６、ナイロン１２、ポリメチルメタクリレート（ＰＭＭＡ）、ポリフェニレンオキシド（ＰＰＯ）、ポリブチレンテレフタレート（ＰＢＴ）、ポリスルホン（ＰＳＵ）、ポリエーテルスルホン（ＰＥＳ）、ポリエーテルエーテルケトン（ＰＥＥＫ）又はそれらの混合物を含む。構造強度を高めるために、ガラス繊維、炭素繊維、又は金属繊維などの有機繊維をエンジニアリングプラスチックに加えることができる。強化繊維は、連続長繊維又は短繊維であり得る。ＰＳＵの利点の一つは、過度に減衰され得る他のポリマーと比較してより良好な響き又はより金属的な響きのゴルフ用クラブを生み出す比較的低い減衰で比較的堅いことである。さらに、ＰＳＵは、最終的な完成ゴルフ用クラブヘッドを達成するために仕上げ又は塗装を必要としないという点で、後処理をあまり必要としない。
【０２３９】
ソールインサート及び／又はクラウンインサート１２６を形成することができる一つの例示的な材料は、ＰＰＳ（ポリフェニレンスルフィド）マトリックス又はベース中に長くて炭素繊維を有する熱可塑性連続炭素繊維複合積層材料である。ソールインサート及び／又はクラウンインサート１２６を作ることができる繊維強化ポリマーの市販例は、Ｌａｎｘｅｓｓ（登録商標）製のＴＥＰＥＸ（登録商標）ＤＹＮＡＬＩＴＥ  ２０７である。ＴＥＰＥＸ（登録商標）ＤＹＮＡＬＩＴＥ  ２０７は、繊維を埋め込むためにＰＰＳ熱可塑性マトリックス又はポリマー中に連続した多層の連続炭素繊維の強化材を有する、シート状に配置された高強度の軽量材料である。材料は５４％の繊維体積を有することができるが、他の繊維体積（例えば４２％〜５７％の体積）を有することもできる。一つの例によれば、材料は２００ｇ／ｍ２の重さがある。ソールインサート及び／又はクラウンインサート１２６を製造するための繊維強化ポリマーの別の市販例は、ＴＥＰＥＸ（登録商標）ＤＹＮＡＬＩＴＥ  ２０８である。この材料はまた、一つの例において４５％の体積を含む４２〜５７％の範囲の炭素繊維体積、及び２００ｇ／ｍ２の重量を有する。ＤＹＮＡＬＩＴＥ  ２０８は、ポリフェニレンスルフィド（ＰＰＳ）マトリックスではなくＴＰＵ（熱可塑性ポリウレタン）マトリックス又は塩基を有する点で、ＤＹＮＡＬＩＴＥ  ２０７とは異なる。
【０２４０】
例として、ＴＥＰＥＸ（登録商標）ＤＹＮＡＬＩＴＥ  ２０７シート（又はＤＹＮＡＬＩＴＥ  ２０８などの他の繊維強化ポリマー材料）の各シートの繊維は、互いに反対方向に配向されたシートと同じ方向に配向され、そしてシートはツーピース（オス／メス）の整合したモールドに入れられ、溶融温度を超えて加熱され、そしてダイが閉じられるときに成形するように形成される。このプロセスは熱成形と呼ばれることがあり、ソールインサート及びクラウンインサート１２６を形成するのに特に適している。クラウンインサート１２６及び／又はソールインサートが熱成形プロセスによって（いくつかの実行形態では別々に）形成された後、それぞれが冷却され、一致するモールドから取り出される。いくつかの実行形態において、クラウンインサート１２６及び／又はソールインサートは、均一な厚さを有し、これは、熱形成プロセスの使用及び製造の容易さを促進する。しかしながら、他の実行形態において、クラウンインサート１２６及び／又はソールインサートは、例えば、耐久性、音響特性、又はそれぞれのインサートの他の特性を向上させるために選択領域に追加のプライを追加することによって、インサートの選択局所領域を強化する変厚を有し得る。
【０２４１】
いくつかの例において、クラウンインサート１２６及び／又はソールインサートは、射出成形又は熱硬化などの熱成形以外の方法によって製造することができる。熱硬化プロセスにおいて、クラウンインサート１２６及び／又はソールインサートは、加熱時に活性化する樹脂及び硬化剤配合物を予め含浸させた織布又は一方向複合繊維織物（炭素繊維複合織物など）の「プリプレグ」プライから製造することができる。プリプレグプライは、ブラダーモールド又は圧縮モールドのような熱硬化プロセスに適したモールド内に配置され、そして炭素又は他の繊維を異なる方向に向けて積み重ね／配向される。プライを加熱して化学反応を活性化し、クラウンインサート１２６及び／又はソールインサートを形成する。各インサートを冷却し、それぞれのモールドから取り出す。
【０２４２】
熱硬化製造プロセスによって製造された、クラウンインサート１２６及び／又はソールインサート用の炭素繊維強化材料は、カリフォルニア州サクラメントのGrafil, Inc.から入手可能な「３４−７００」繊維として知られる、２３４Ｇｐａ（３４Ｍｓｉ）の引張弾性率及び４５００Ｍｐａ（６５０Ｋｓｉ）の引張強さを有する炭素繊維であり得る。同じくGrafil, Inc.から入手可能な別の適切な繊維は、２４０Ｇｐａ（３５Ｍｓｉ）の引張弾性率及び４９００Ｍｐａ（７１０Ｋｓｉ）の引張強さを有する「ＴＲ５０Ｓ」繊維として知られる炭素繊維である。熱硬化性クラウン及びソールインサートを形成するために使用されるプリプレグプライのための例示的なエポキシ樹脂は、Ｎｅｗｐｏｒｔ  ３０１及び３５０を含み、カリフォルニア州アーバインのNewport Adhesives & Composites, Inc.から入手可能である。一つの例において、プリプレグシートは、約２０ｇ／ｍ＾２〜約２００ｇ／ｍ＾２、好ましくは約７０ｇ／ｍ＾２の面積重量を有し、エポキシ樹脂を含浸させた３４〜７００本の繊維からなる準等方性繊維強化材を有し、その結果樹脂含有量（Ｒ／Ｃ）は約４０％となる。参照の便宜上、プリプレグシートの主要組成は、その繊維面積重量、繊維の種類を特定することによって省略形で特定することができ、例えば７０  ＦＡＷ  ３４−７００である。短縮形はさらに、樹脂系及び樹脂含有量、例えば７０  ＦＡＷ  ３４−７００／３０１、Ｒ／Ｃ４０％を特定することができる。いくつかの例によれば、ゴルフ用クラブヘッドのクラウン部の面積重量は、クラウン部の全表面積の約５０％以上にわたって約０．３５ｇ／ｃｍ２未満である。同じ又は他の例において、ゴルフ用クラブヘッドのソール部の面積重量は、ソール部の全表面積の約５０％以上にわたって約０．３５ｇ／ｃｍ２未満である。
【０２４３】
クラウンインサート１２６、及びいくつかの実行形態におけるソールインサートは、ゴルフ用クラブヘッド１００のクラウン部１１９の所望の形状及び曲率に一般に対応する複雑な三次元形状及び曲率を有する。フェアウェイウッドタイプのクラブなどの他の種類のクラブヘッドが、本明細書に記載されている原理、方法、及び材料のうちの一つ又はそれ以上を使用して製造され得ることを理解されよう。
【０２４４】
図１０、１１、及び１６〜１８を参照すると、いくつかの実行形態において、ゴルフ用クラブヘッド１００は、本体１１０のソール部１１７に形成されたスロット１７０を含む。スロット１７０は、ゴルフ用クラブヘッド１００の外部に開口し、ヒール領域１１６からトウ領域１１４まで長手方向に延びる。さらに具体的に、スロット１７０は、フェース部１４２と実質的に平行であるがそれからオフセットしている長手方向に細長い。一般に、スロット１７０は、ゴルフ用クラブヘッド１００の本体１１０のソール部１１７に形成された溝又はチャネルである。いくつかの実行形態において、スロット１７０は貫通スロット、又はスロット１７０のソール部側で開口しており、スロット１７０の内部空洞１１３側又は内部側で開口しているスロットである。しかしながら、他の実行形態において、図１０、１１、及び１６〜１８に示すように、スロット１７０は、貫通スロットではなく、むしろスロット１７０の内部空洞側又は内部側で閉じられている。例えば、スロット１７０は、内部キャビティ１１３内に突出し、実質的にＵ形状、Ｖ形状等の様々な断面形状のうちのいずれかを有する凹状外面を有する本体１１０のソール部１１７の側壁の部分１７１によって規定される。
【０２４５】
スロット１７０は、全体が参照により本明細書に組み込まれる、２０１３年３月１４日に出願された米国特許第９，０４４，６５３号に記載された様々な可撓性境界構造（ＦＢＳ）のいずれかでもよい。さらに、又はあるいは、ゴルフ用クラブヘッド１００は、ゴルフ用クラブヘッド１００上の様々な他の位置のいずれかに一つ又はそれ以上の他のＦＢＳを含むことができる。スロット１７０は、湾曲部分、又は湾曲部分と直線部分の組み合わせであり得るいくつかの部分から構成され得る。さらに、スロット１７０は、ゴルフ用クラブヘッド１００に機械加工又は鋳造することができる。ゴルフ用クラブヘッド１００のソール部１１７に示されているが、スロット１７０は、代替的に又は追加的に、ゴルフ用クラブヘッド１００のクラウン部１１９内に組み込まれてもよい。
【０２４６】
いくつかの実行形態において、スロット１７０は充填剤で充填されている。充填剤は、いくつかの実行形態において、熱可塑性材料、熱硬化性材料などの非金属から作ることができる。スロット１７０は、スロット１７０が貫通スロットであるときにゴミ及び他の破片がスロット及びおそらくゴルフ用クラブヘッド１００の内部空洞１１３に入るのを防ぐために材料で充填されてもよい。充填剤は、ポリウレタン、エラストマーゴム、ポリマー、様々なゴム、発泡体、及び充填剤を含む任意の比較的低い弾性率の材料であり得る。充填剤は、使用時にゴルフ用クラブヘッド１００の変形を実質的に妨げるべきではなく、これは、周囲の柔軟性を妨げるからである。
【０２４７】
一つの実施形態において、充填剤は、最初はスロット１７０に射出されるかそうでなければ挿入される粘性材料である。スロット、チャネル、他の可撓性境界構造内に配置される充填剤としての使用に適し得る材料の例は、粘弾性エラストマー；無機充填剤を含む又は含まないビニルコポリマー；硫酸バリウムなどの無機充填剤を含む又は含まないポリ酢酸ビニル；アクリル；ポリエステル；ポリウレタン；ポリエーテル；ポリアミド；ポリブタジエン；ポリスチレン；ポリイソプレン；ポリエチレン；ポリオレフィン；スチレン／イソプレンブロックコポリマー；水素化スチレン系熱可塑性エラストマー；金属化ポリエステル；金属化アクリル；エポキシ；エポキシ及びグラファイト複合材料；天然及び合成ゴム；圧電セラミック；熱硬化性及び熱可塑性ゴム；発泡ポリマー；イオノマー；低密度ガラス繊維；ビチューメン；シリコーン；及びこれらの混合物を含むが、これらに限定されない。金属化ポリエステル及びアクリルは、金属としてアルミニウムを含むことができる。市販の材料は、3MのScotchweld（登録商標）（例えば、DP-105（登録商標））及びScotchdamp（登録商標）、Sorbothane, Inc.のSorbothane（登録商標）、Soundcoat Company Inc.のDYAD（登録商標）及びGP（登録商標）、Dynamat Control of North America, Inc.のDynamat（登録商標）、Pole Star Maritime Group, LLC のNoViFlex（登録商標）、Sylomer（登録商標）、The Dow Chemical CompanyのIsoplast（登録商標）、Piqua Technologies, Inc.のLegetolex（登録商標）、及びKuraray Co., Ltd.のHybrar（登録商標）などの弾性ポリマー材料を含む。いくつかの実施形態において、固体充填剤は、スロット、チャネル、又は他の可撓性境界構造に圧入又は接着剤で接着されてもよい。他の実施形態において、充填材料をスロット又はチャネルに注ぎ、射出し、又は他の方法で挿入し、適所で硬化させて、十分に硬化した又は弾力性のある外面を形成することができる。さらに他の実施形態において、充填剤をスロット又はチャネル内に配置し、金属、金属合金、金属、複合材料、硬質プラスチック、弾性エラストマー、又は他の適切な材料で形成された弾性キャップ又は他の構造で定位置にシールする。
【０２４８】
他の実行形態において、スロット１７０は充填剤で充填されておらず、むしろスロット１７０内に開いた、空のスペースを維持する。
【０２４９】
図１１を参照すると、スロット１７０は、スロット１７０内に少なくとも一つの重り１７５を調節可能に保持するための重りトラックとして機能する。従って、スロット１７０は、いくつかの実行形態において、前方又は後方重りトラックとして規定される。上記の通り、スロット１７０は本体１１０と一体的に形成することができる。スロット１７０は、少なくとも一つの重り１７５がスライド可能に取り付けられるトラック又はポートを規定することができる。一つの例において、少なくとも一つの重り１７５は、二つのピースを有する第１の重り（又は重りアセンブリ）と、二つのピースを有する第２の重り（又は重りアセンブリ）とを含む。第１及び第２の重りのそれぞれは、それぞれのネジなどの固定手段によってスロット１７０に固定される。いくつかの実行形態において、固定手段が伸張状態に置かれるように、少なくとも一つのレッジなどのトラックの一部を締め付けることによって、第１及び第２の重りをスロット１７０に固定することができる。代替的に又は追加的に、第１及び第２の重りは、固定手段が圧縮状態に置かれるようにトラックの一部分に対して圧縮することによってスロット１７０に固定されてもよい。第１及び第２の重りは、様々な形状のうちのいずれかをとることができ、様々な方法のうちのいずれかでスロット１７０に取り付けることができる。さらに、少なくとも一つの重り１７５は、単一部品設計又は複数部品設計（例えば、三つ以上の部品）の形態をとることができる。
【０２５０】
スロット１７０は、ゴルフ用クラブヘッド１００の有効重心（ＣＧ）をヒール−トウ方向に調整するために、ヒール−トウ方向において横方向にスライド可能に調整するために１７５を選択的に緩め、締め付けることを可能にする。ゴルフ用クラブヘッド１００のＣＧを横方向に調整することによって、ゴルフ用クラブヘッド１００の性能特性を調整し、それはゴルフボールのサイドスピン特性のようなゴルフ用クラブヘッド１００によって打たれたゴルフボールの飛行特性への調整を促進する。特に、互いに対して独立に調整可能な二つの重り（例えば、第１及び第２の重り）の使用は、重り間の調整及び相互作用を可能にする。例えば、両方の重りは、完全にトウ領域１１４内、完全にヒール領域１１６内に、互いに最大距離を置いて配置され、一方の重りは完全にトウ領域１１４内にあり、他方のウェイトは完全にヒール領域１１６内にあり、スロット１７０の中心又は中間位置に一緒に配置され、又は他の重り位置パターンで配置されている。
【０２５１】
いくつかの実施形態において、スロット１７０は、オフセット距離だけフェース部１４２からオフセットされ、これは、フェース部１４２の打撃プレートの中心を通る第１の垂直面と、打撃プレートの中心と同じｘ軸座標におけるスロットとの間の最小距離であり、約５ｍｍ乃至約５０ｍｍ、例えば約５ｍｍ乃至約３５ｍｍ、例えば約５ｍｍ乃至約３０ｍｍ、例えば約５ｍｍ乃至約２０ｍｍ、又は約５ｍｍ乃至約１５ｍｍなどである。
【０２５２】
図示されていないが、ゴルフ用クラブヘッド１００の本体１１０は、スロット１７０と同様の構成を有するが、ヒール−トウ方向とは反対側に、前後方向に配向された後方スロットを含んでもよい。本体１１０は、後方スロットを含むが、いくつかの実行形態ではスロット１７０を含まず、他の実行形態では後方スロットとスロット１７０の両方を含む。一つの例において、後方スロットはスロット１７０の後方に配置されている。後方スロットは、いくつかの実行形態において重りトラックとして機能することができる。さらに、後方トラックは、オフセット距離だけフェース部１４２からオフセットすることができ、これはフェース部１４２の打撃プレートの中心を通る第１の垂直面と打撃プレート４３の中心と同じｘ軸座標における後方トラックとの間の最小距離であり、約５ｍｍ乃至約５０ｍｍ、例えば約５ｍｍ乃至約４０ｍｍ、例えば約５ｍｍ乃至約３０ｍｍ、又は約１０ｍｍ乃至約３０ｍｍなどである。
【０２５３】
特定の実施形態において、スロット１７０は、存在する場合は後方スロットも同様に、特定のスロット幅を有し、これは第１のスロット壁と第２のスロット壁との間の水平距離として測定される。後方トラックと同様に、スロット１７０について、スロット幅は、約５ｍｍ乃至約２０ｍｍ、例えば約１０ｍｍ乃至約１８ｍｍ、又は約１２ｍｍ乃至約１６ｍｍ等であり得る。いくつかの実施形態によれば、スロット１７０の深さ（すなわち、底部スロット壁と、スロット１７０の第１及び第２のスロット壁に隣接するソールの領域を含む仮想平面との間の垂直距離）は、約６ｍｍ乃至約２０ｍｍ、例えば約８ｍｍ乃至約１８ｍｍ、又は約１０ｍｍ乃至約１６ｍｍ等であり得る。
【０２５４】
さらに、スロット１７０は、存在する場合は後方スロットも同様に、特定のスロット長さを有し、これはスロット端壁と別のスロット端壁との間の水平距離として測定することができる。スロット１７０及び後方スロットの両方について、それらの長さは約３０ｍｍ乃至約１２０ｍｍ、例えば約５０ｍｍ乃至約１００ｍｍ、又は約６０ｍｍ乃至約９０ｍｍ等であり得る。代替的に又は追加的に、スロット１７０の長さは、フェース部１４２の打撃プレートの長さの百分率として表すことができる。例えば、スロット１７０は、打撃プレートの長さの約３０％乃至約１００％、例えば、打撃プレートの長さの約５０％乃至約９０％、又は約６０％乃至約８０％のｍｍはであり得る。
【０２５５】
いくつかの例において、スロット１７０は、フェース部１４２の打撃プレート１４３にわたる反発係数（ＣＯＲ）を改善及び／又は増加させるための機構である。ＣＯＲ機構に関して、スロット１７０は、チャネル又は貫通スロットなどの様々な形態をとることができる。ゴルフ用クラブヘッド１００のＣＯＲは、ゴルフボールがゴルフ用クラブヘッド１００によって打たれたときのゴルフ用クラブヘッド１００とゴルフボールとの間のエネルギー損失又は保持の測定値である。ゴルフ用クラブヘッド１０のＣＯＲは、ボールとの衝突中にゴルフ用クラブヘッド１００からボールへのエネルギーの効率的な伝達を促進するために高いことが望ましい。従って、ゴルフ用クラブヘッド１００のＣＯＲ機構は、ゴルフ用クラブヘッド１００のＣＯＲの増加を促進する。一般に、スロット１７０は、ゴルフ用クラブヘッド１００のフェース部１４２の打撃プレートの周囲の柔軟性を増すか又は高めることによってゴルフ用クラブヘッド１００のＣＯＲを高める。
【０２５６】
ゴルフ用クラブヘッド１００のＣＯＲ機構としてのスロット１７０に関するさらなる詳細は、それぞれ２０１１年１２月２７日、２０１２年５月１０日、及び２０１３年３月１４日に出願された米国特許出願第１３／３３８，１９７号，１３／４６９，０３１号，１３／８２８，６７５号、２０１３年３月１５日に出願された米国特許出願第１３／８３９，７２７号、２０１０年６月１日に出願された米国特許第８，２３５，８４４号、２０１１年１２月１３日に出願された米国特許第８，２４１，１４３号、２０１１年１２月１４日に出願された米国特許第８，２４１，１４４号に見出すことができ、それらの全てはそれらの全体が参照により本明細書に組み込まれる。
【０２５７】
本明細書に開示されているゴルフ用クラブヘッド１００は、ゴルフ用クラブヘッド１００の本体１１０の行程容積に等しい体積を有し得る。例えば、本出願のゴルフ用クラブヘッド１００は、約１１０ｃｍ３乃至約６００ｃｍ３のヘッド体積を有するように構成することができる。より特定の実施形態において、ヘッド体積は、約２５０ｃｍ３乃至約５００ｃｍ３であり得る。さらにより特定の実施形態において、ヘッド体積は、約３００ｃｍ３乃至約５００ｃｍ３、約３００ｃｍ３乃至約３６０ｃｍ３、約３００ｃｍ３乃至約４２０ｃｍ３、約３５０ｃｍ３乃至約５００ｃｍ３、又は約４２０ｃｍ３乃至約５００ｃｍ３であり得る。ドライバーの場合、ゴルフ用クラブヘッド１００は、約３００ｃｍ３乃至約４６０ｃｍ３の体積、及び約１４５ｇ乃至約２４５ｇの総重量を有し得る。フェアウェイウッドの場合、ゴルフ用クラブヘッド１００は、約１００ｃｍ３乃至約２５０ｃｍ３の体積、及び約１４５ｇ乃至約２６０ｇの総重量を有し得る。ユーティリティ又はハイブリッドクラブの場合、ゴルフ用クラブヘッド１００は、約６０ｃｍ３乃至約１５０ｃｍ３の体積、及び約１４５ｇ乃至約２８０ｇの総重量を有し得る。
【０２５８】
ゴルフ用クラブヘッド１００は、図４〜６に概略的に示す、少なくとも部分的に内部空洞１１３内に配置された少なくとも一つの補強材１５０を含む。補強材１５０は、本体１１０のフェース部１４２に直接に結合可能（例えば、接触可能又は当接係合）である。さらに具体的に、補強材１５０は、本体１１０のフェース部１４２の内面１４５に直接に結合可能である。内面１４５は、打撃フェース１４４の反対側にあり、これはフェース部１４２の外面を規定する。いくつかの実行形態において、補強材１５０は、フェース部１４２のちょうどリップ１４７の内面１４５に直接に結合可能である。しかしながら、他の実行形態において、補強材１５０は、リップ１４７と打撃プレート１４３の両方の内面１４５に直接に結合可能である。打撃プレート１４３がリップ１４７に溶接される実施形態において、補強材１５０は溶接部に直接に結合可能であり得る。補強材１５０は、フェース部１４２の内面１４５に、調節不可能に、直接に結合され得、又はフェース部１４２の内面１４５に、調節可能に、直接に結合され得る。本明細書に定義されているように、補強材１５０をフェース部１４２から切り離すために永久的な変形が必要とされるとき、補強材１５０は調整不可能に内面１４５に直接に結合される。その一方、本明細書に定義されているように、補強材１５０が永久的に変形することなくフェース部１４２から切り離すことができる場合、補強材１５０は内面１４５に調整可能に直接に結合される。
【０２５９】
補強材１５０は、フェース部１４２に直接に結合された場合、補強材１５０に近接する打撃プレート１４３の領域内のゴルフ用クラブヘッド１００の特性時間（ＣＴ）が、補強材１５０がない場合よりも低くなるように、フェース部１４２を局所的に強化するように構成される。一般に、補強材１５０は、クラブヘッド原点座標系１８５のｘ軸に沿ってクラブヘッド原点座標系１８５の原点１８３からオフセットし、クラブヘッド原点座標系１８５のｘ軸に沿って原点１８３から離れた位置で打撃プレート１４３の領域内でフェース部１４２を補強し、ＣＴを下げる。このように、原点１８３のｘ軸座標に近接するｘ軸座標を有する位置でゴルフクラブヘッド１００のＣＴに大きな影響を与えることなく、原点１８３から離れたトウ方向で（例えば、トウ領域１１４に向かって）及び／又はヒール方向で（例えば、ヒール領域１１６に向かって）ｘ軸座標を有する位置におけるゴルフクラブヘッド１００のＣＴを、局所的に減少させることができる。さらに、ｘ軸座標が原点１８３に対してトウ方向及び／又はヒール方向に離れた位置でゴルフ用クラブヘッド１００のＣＴを離散的に減少させるために補強材１５０を使用することは、特に打撃プレート１４３のトウ方向及び／又はヒール方向の位置において、打撃プレート１４３のより薄い厚さを促進することによって、打撃プレート１４３の望ましいＣＯＲを達成するのに役立つ。
【０２６０】
ゴルフ用クラブヘッド１００は、ゼロより大きいか又は小さいｘ軸座標を有する任意の様々な位置に任意の数の補強材１５０を有することができる。ゼロよりも大きいｘ軸座標を有する補強材１５０は、ヒール領域１１６よりもトウ領域１１４の近くに配置されているので、トウ補強材とみなすことができる。その一方、ゼロ未満のｘ軸座標を有する補強材１５０は、トウ領域１１４よりもヒール領域１１６の近くに位置し、従って、ヒール補強材とみなすことができる。図６を参照すると、ゼロより大きいｘ軸座標を有する二つの補強材１５０と、ゼロ未満のｘ軸座標を有する二つの補強材１５０とを有する。図９に示されるような他の実施形態において、ゴルフ用クラブヘッド１００は、ゼロより大きいｘ軸座標を有する二つ以上の補強材１５０と、ゼロ未満のｘ軸座標を有する二つ以上の補強材１５０とを有する。しかしながら、さらに他の実施形態において、ゴルフ用クラブヘッド１００は、ゼロより大きいｘ軸座標を有する二つより少ない補強材１５０例えば、ゼロ補強材又は一つの補強材）及び／又はゼロ未満のｘ軸座標を有する二つより少ない補強材１５０（例えば、ゼロ補強材又は一つの補強材）を有する。
【０２６１】
さらに、ゴルフ用クラブヘッド１００の各補強材１５０は、ゴルフ用クラブヘッド１００の頂部領域１３３及び／又は底部領域１３５で本体１１０の内面に結合可能（例えば、直接に結合可能）であり得る。図４及び５を参照すると、一つの実施形態において、ゴルフ用クラブヘッド１００は、頂部領域１３３で本体１１０の内面に直接に結合可能な少なくとも一つの補強材１５０と、ゴルフ用クラブヘッド１００の底部領域１３５で本体１１０の内面直接に結合可能な少なくとも一つの補強材１５０とを含む。いくつかの実行形態において、一つの補強材１５０は、頂部領域１３３と底部領域１３５の両方で本体１１０の内面に直接に結合可能であり得る（例えば、頂部領域１３３から底部領域１３５へ連続して延びる）ということが認識される。
【０２６２】
図６に示すように、一つの実施形態において、ゴルフ用クラブヘッド１００は、頂部領域１３３で本体１１０の内面に直接に結合可能な二つの補強材１５０と、ゴルフ用クラブヘッド１００の底部領域１３５で本体１１０の内面に直接に結合可能な二つの補強材１５０とを含む。他の実施形態によれば、ゴルフ用クラブヘッド１００は、頂部領域１３３で本体１１０の内面に直接に結合可能な一つ又はそれ以上の補強材１５０を含むが、底部領域１３５で本体１１０の内面に直接に結合可能な補強材１５０を含まないか、あるいは底部領域１３５で本体１１０の内面に直接に結合可能な一つ又はそれ以上の補強材１５０を含むが、頂部領域１３３で本体１１０の内面に直接に結合可能な補強材１５０を含まない。
【０２６３】
また、頂部領域１３３で本体１１０の内面に直接に結合可能な補強材１５０の量は、底部領域１３５で本体１１０の内面に直接に結合可能な補強材１５０の量と同じでも異なっていてもよい。例えば、一つの実行形態において、底部領域１３５で本体１１０の内面に直接に結合可能な補強材１５０の量は、頂部領域１３３で本体１１０の内面に直接に結合可能な補強材１５０の量よりも多い。しかしながら、補強材１５０は、補強材１５０が接触するフェース部１４２の内面１４５の合計領域が、フェース部１４２の内面１４５の全領域よりも小さくなるように寸法決めされている。
【０２６４】
補強材１５０は、クラブヘッド原点座標系１８５のｘ軸に沿って原点から有意にオフセットしており、それに対応して、ｘ軸に沿って原点からオフセットした位置でＣＴが減少する。一つの実施形態において、ゴルフ用クラブヘッド１００の補強材１５０の一つ又はそれ以上は、１０ｍｍより大きく５０ｍｍ未満又は−５０ｍｍより大きく−１０ｍｍ未満であるクラブヘッド原点座標系１８５のｘ軸座標を有する。別の実施形態によれば、ゴルフ用クラブヘッド１００の補強材１５０の一つ又はそれ以上は、２０ｍｍより大きく５０ｍｍ未満又は−５０ｍｍより大きく−２０ｍｍ未満であるクラブヘッド原点座標系１８５のｘ軸座標を有する。別の実施形態において、ゴルフ用クラブヘッド１００の補強材１５０の一つ又はそれ以上は、３０ｍｍより大きく４０ｍｍ未満又は−４０ｍｍより大きく−３０ｍｍ未満であるクラブヘッド原点座標系１８５のｘ軸座標を有する。別の実施形態において、ゴルフ用クラブヘッド１００の補強材１５０の一つ又はそれ以上は、４０ｍｍより大きく５０ｍｍ未満又は−５０ｍｍより大きく−４０ｍｍ未満であるクラブヘッド原点座標系１８５のｘ軸座標を有する。補強材１５０の位置は、補強材１５０のフェース部又は中心と接触可能な部分の中点（例えば、幾何学的中心）又は質量中心のいずれかの位置として定義される。
【０２６５】
複数の補強材１５０を有する実施形態において、二つ又はそれ以上の補強材１５０は、異なる種類であり得る。言い換えれば、いくつかの実施形態において、全ての補強材１５０が、同じ種類の補強材であることはない。さらに具体的に、補強材１５０のうちの一つは、本明細書に記載のいくつかの種類の補強材のうちの特定の種類であり得、補強材１５０のうちの別の一つは、本明細書に記載のいくつかの種類の補強材のうちの別の種類であり得る。例えば、頂部領域１３３における補強材１５０は、一種類の補強材１５０（例えば、リブ）であり得、底部領域１３５における補強材１５０は、別の種類の補強材１５０（例えば、ポリマー材料の離散塊）であり得る。
【０２６６】
再び図４及び５を参照すると、いくつかの例において、フェース部１４２の内面１４５は、フェース部１４２の中心の周りに連続ビーズ１４９を含む。言い換えれば、連続ビーズ１４９は、フェース部１４２の内面１４５の一部を規定する。連続ビーズ１４９は、打撃位置１４３がフェース部の開口部に溶接されるときに形成される溶接ビーズとすることができる。あるいは、連続ビーズ１４９は、全体が参照により本明細書に組み込まれる、２０１８年１０月１６日に出願された米国特許出願第１６／１６１，３３７号にさらに詳細に記載されているものなどのワックス−溶接鋳造技術に従って、フェース部１４２及び本体１１０と同時鋳造された鋳造ビーズとすることができ、さらに別の例において、連続ビーズ１４９は、塩酸などの化学薬品で内面１４５を化学的にエッチングすることによって形成される。いずれの例においても、連続ビーズ１４９におけるフェース部１４２の厚さは、連続ビーズ１４９に直接に隣接するフェース部の部分における厚さよりも大きい。図示されるように、補強材１５０は、具体例において、補強材１５０が連続ビーズ１４９の少なくとも周縁と接触するように、本体１１０（例えば、クラウン部１１４又はソール部１１７の内面）の内面から少なくとも連続ビーズ１４９まで延びる。いくつかの例において、補強材１５０は、補強材１５０が補強材１５０の位置で連続ビーズ１４９の全体と接触するように、連続ビーズ１４９を超えて又は通過して延びる
【０２６７】
図７〜９を参照すると、一つの実施形態において、補強材１５０は、フェース部１４２に、調節不可能に、直接に結合されたリブ１５２である。リブ１５２が、ゴルフ用クラブヘッド１００の底部領域１３５でフェース部１４２に直接に結合されているとき、リブ１５２は下部リブとみなすことができる。その一方、リブ１５２が、ゴルフ用クラブヘッド１００の頂部領域１３３でフェース部１４２に直接に結合されているとき、リブ１５２は上部リブとみなすことができる。リブ１５２は、リップ１４７の内面に直接に結合され、特定の実行形態において、打撃プレート１４３の内面にも直接に結合されている。フェース部１４２に加えて、底部領域１３５におけるリブ１５２は、ソール部１１７及び／又はスカート部１２１の内面に調節不可能に、直接に結合され得、頂部領域１３３におけるリブ１５２は、クラウン部１１９及び／又はスカート部１２１の内面に調節不可能に、直接に結合され得る。リブ１５２は、本体１１０と一体成形され、本体１１０と一体で、連続的なモノリシック構造を形成する。例えば、一つの実行形態において、リブ１５２は、同じ鋳造プロセスにおいて本体１１０のクラウン部１１９、スカート部１２１、及びソール部１１７と一体成形されている。従って、リブ１５２は、本体１１０と同じ材料で作られている。しかしながら、他の例において、リブ１５２は、本体１１０とは別に形成され、本体１１０上に溶接されている。
【０２６８】
リブ１５２は、高さ及び長さよりも著しく小さい厚さを有する薄肉のシート状構造であり、本体１１０のフェース部１４２及びソール部１１７から実質的に横方向に突出している。一つの実行形態において、リブ１５２は、前方領域１１２から後方領域１１８への方向においてのみ減少する高さを有する実質的にくさび形である。従って、そのような実行形態において、リブ１５２は変曲点を有さない。さらに、図８を参照すると、ゴルフ用クラブヘッド１００が適切なアドレス位置あるときの垂直方向において、底部領域１３５におけるリブ１５２は高さＨＲ１を有し、頂部領域１３３におけるリブ１５２は高さＨＲ２を有し、フェース部１４２は高さＨＦＰを有する。フェース部１４２の高さＨＦＰは、大地面と、フェース部１４２の頂部との間の垂直距離に等しい。一つの実行形態において、フェース部１４２の高さＨＦＰに対する、底部領域１３５におけるリブ１５２の高さＨＲ１の比は、０．１５以上、０．１７以上、又は０．２３以上である。一つの実行形態において、フェース部１４２の高さＨＦＰに対する、底部領域１３５におけるリブ１５２の高さＨＲ１と頂部領域１３３におけるリブ１５２の高さＨＲ２の合計の比は、０．１５以上、０．２０以上、又は０．２５以上である。打撃プレート１４３は、フェース部１４２の高さＨＦＰ未満である高さＨＳＰを有する。本明細書に定義されているように、リブの高さは、リブの底部とリブの頂部との間の最大距離として定義され、従ってフェース部上のリブの位置の測定値ではない。しかしながら、リブの高さは、以下により詳細に説明されるように、離散塊１７６に関連する位置ＬＤＭの範囲と等しいか近い、フェース部の外周縁から離れた位置でフェース部と接触するように設定することができる。さらに、上に開示されたリブ高さ及びフェース部の比は、離散塊１７６の離散塊高さ及びフェース部の比に等しく適用可能である。
【０２６９】
ゴルフ用クラブヘッド１００は、任意の数のリブ１５２を有することができる。例えば、一つの実行形態において、ゴルフ用クラブヘッド１００は、二つのトウ方向のリブ１５２及び二つのヒール方向のリブ１５２を有する、底部領域１３５おける４つのリブ１５２と、二つのトウ方向のリブ１５４及び二つのヒール方向のリブ１５４を有する、底部領域１３５おける４つのリブ１５４とを有する。リブ１５２は、ゴルフ用クラブヘッド原点座標系１８５のｘ軸に平行な方向において、互いに離間している。
【０２７０】
図１０及び１１に示すように、ゴルフ用クラブヘッド１００は、スロット１７０を含むことができ、これはＣＯＲ機構及び／又は重りトラックとすることができる。リブ１５２はさらに、スロット１７０の内面に直接に結合されてもよく、スロット１７０とフェース部１４２との間に配置されてもよい。リブ１５２は、フェース部１４２、特にリップ１４７をスロット１７０に構造的に連結するための補強ブリッジを提供する。
【０２７１】
一つの例によれば、フェース部１４２の中心及びｘ軸座標が２０ｍｍのフェース部１４２上の位置にあるＣＴは、スロット１７０を有するがｘ軸座標が２０ｍｍの位置に補強材１５０（例えば、リブ１５２）を有しないゴルフ用クラブヘッド１００について決定し、スロット１７０がないが、ｘ軸座標が２０ｍｍの位置に補強材１５０があるゴルフ用クラブヘッド１００を、ｘ軸座標が２０ｍｍの位置に決定した。補強材１５０無しのゴルフ用クラブヘッド１００のフェース部１４２の中心におけるＣＴは、２４６マイクロ秒であり、補強材１５０を有するゴルフ用クラブヘッド１００のフェース部１４２の中心におけるＣＴは、２４３マイクロ秒であった。補強材１５０無しのゴルフ用クラブヘッド１００の２０ｍｍのｘ軸座標を有する位置におけるフェース部１４２のＣＴは、２５６マイクロ秒であり、補強材１５０を有するゴルフ用クラブヘッド１００の２０ｍｍのｘ軸座標を有する位置におけるフェース部１４２のＣＴは、２４６マイクロ秒であった。ｘ軸座標が２０ｍｍの位置でのＣＴの低下は、フェース部１４２の中心（すなわち３マイクロ秒）よりも大きな低下（すなわち１２マイクロ秒）を有した。従って、補強材１５０は、フェース部の中心でＣＴが比較的低下することなく、フェース部の中心から離れた位置でフェース部のＣＴを下げるのに役立つ。また、補強材１５０を有するゴルフ用クラブヘッド１００のＣＯＲとＣＴとの間の差は、補強材１５０を有しないゴルフ用クラブヘッド１００のそれよりも小さいことが決定され、これは、補強材１５０なしのゴルフ用クラブヘッド１００よりも、ＣＯＲが補強材１５０を有するゴルフクラブヘッド１００内のＣＴをより厳密に追跡することを意味する。
【０２７２】
図１２を参照すると、ゴルフ用クラブヘッド１００はさらに、それぞれの一つ又はそれ以上のリブ１５２又はリブ１５４に近接して、本体１１０の外壁に形成された開口部１７２（例えば、穴又はポート）を含むことができる。図示されるように、一つの例において、各開口部１７２は、リブ１５２又はリブ１５４のそれぞれ一つに開口している。従って、リブ１５２のうちの一つは、開口部１７２のうちの一つを介して本体１１０の外部から直接に又は間接的にアクセス可能であり、リブ１５４のうちの一つは、開口部１７２のうちの別の一つを介して本体１１０の外部から直接に又は間接的にアクセス可能である。図示されていないが、ゴルフ用クラブヘッド１００はさらに、それぞれ開口部１７２のうちの一つを塞ぐように構成され、従ってゴルフ用クラブヘッド１００の外部からリブへのアクセスを防ぐように構成されたプラグを含み得る。プラグは、リブへのアクセスを選択的に許可及び防止するめに、開口部１７２から取り外し可能かつ再挿入可能であり得る。より詳細に説明されるように、開口部１７２は、製造後のゴルフ用クラブヘッド１００のＣＴを調整（例えば、調整）するために、ゴルフ用クラブヘッド１００の製造後のリブの一部を除去するために使用されてもよい。
【０２７３】
図１３〜１５を参照すると、一つの実施形態において、補強材１５０は、フェース部１４２に、調節不可能に、直接に結合された離散塊１７６である。離散塊１７６は、ゴルフ用クラブヘッド１００の底部領域１３５でフェース部１４２に直接に結合されている。そのような離散塊１７６は下部離散塊とみなすことができる。その一方、離散塊１７６は、ゴルフ用クラブヘッド１００の頂部領域１３３でフェース部１４２に直接に結合されている。従って、この離散塊１７６は下部上部離散塊とみなすことができる。離散塊１７６は、リップ１４７の内面に直接に結合され、特定の実行形態において、打撃プレート１４３の内面にも直接に結合されている。フェース部１４２に加えて、底部領域１３５における離散塊１７６は、ソール部１１７及び／又はスカート部１２１の内面に調節不可能に、直接に結合され得、頂部領域１３３における離散塊１７６は、クラウン部１１９及び／又はスカート部１２１の内面に調節不可能に、直接に結合され得る。
【０２７４】
離散塊１７６はポリマー材料で作られている。一つの例によれば、離散塊１７６のポリマー材料は、約ショア２０Ｄ以上の硬度を有する様々なポリマー材料のいずれかである。別の例において、離散塊１７６のポリマー材料は、約ショア４５Ｄ以上の硬度を有する様々なポリマー材料のいずれかである。さらに別の例において、離散塊１７６のポリマー材料は、約ショア８５Ｄ以上の硬度を有する様々なポリマー材料のいずれかである。ポリマー材料は、一つの実行形態においてアクリルである。いくつかの例において、離散塊１７６は、ショア４０Ｄ乃至ショア８０Ｄ又はショア７５Ｄ乃至ショア８５Ｄの硬度を有する。さらにいくつかの例において、離散塊１７６は、少なくともショア５０Ｄ、少なくとも６０Ｄ、又は少なくとも７０Ｄの硬度を有する。さらにいくつかの例において、離散塊１７６は、約ショア５．９５Ｄ以上の硬度を有する様々なポリマー材料のいずれかである。
【０２７５】
他の実行形態において、ポリマー材料のいくつかの例は、粘弾性エラストマー；無機充填剤を含む又は含まないビニルコポリマー；硫酸バリウムなどの無機充填剤を含む又は含まないポリ酢酸ビニル；アクリル；ポリエステル；ポリウレタン；ポリエーテル；ポリアミド；ポリブタジエン；ポリスチレン；ポリイソプレン；ポリエチレン；ポリオレフィン；スチレン／イソプレンブロックコポリマー；金属化ポリエステル；金属化アクリル；エポキシ；エポキシ及びグラファイト複合材料；天然及び合成ゴム；圧電セラミック；熱硬化性及び熱可塑性ゴム；発泡ポリマー；イオノマー；低密度ガラス繊維；ビチューメン；シリコーン；及びこれらの混合物を含むが．これらに限定されない。金属化ポリエステル及びアクリルは、金属としてアルミニウムを含むことができる。市販の材料は、3MのScotchdamp（登録商標）、Sorbothane, Inc.のSorbothane（登録商標）、Soundcoat Company Inc.のDYAD（登録商標）及びGP（登録商標）、Dynamat Control of North America, Inc.のDynamat（登録商標）、Pole Star Maritime Group, LLCのNoViFlex（登録商標） Sylomer（登録商標）、The Dow Chemical CompanyのIsoplast（登録商標）、及びPiqua TechnologiesのLegetolex（登録商標）などの弾性ポリマー材料を含む。一つの実施形態において、ポリマー材料は、約０．００１ＧＰａから約２５ＧＰａまでの範囲の弾性係数、及びショアＤスケールで約１０から約３０までの範囲のデュロメータを有する材料であり得る。好ましい実施形態において、ポリマー材料は、約０．００１ＧＰａから約１０ＧＰａまでの範囲の弾性係数、及びショアＤスケールで約１５から約２５までの範囲のデュロメータを有する材料であり得る。別の実施形態において、ポリマー材料は、約０．００１ＧＰａから約５ＧＰａまでの範囲の弾性係数、及びショアＤスケールで約１８から約２２までの範囲のデュロメータを有する材料であり得る。いくつかの例において、振動減衰性を提供する材料が好ましい。
【０２７６】
ポリマー材料は、いくつかの実行形態において、エポキシ、樹脂等の熱硬化性材料である。熱硬化性材料は、材料の硬化温度を超えて加熱されると、材料を硬化させ強化する化学変換を受ける様々なポリマー材料のいずれかである。熱硬化性材料の化学変換は、不可逆的である。ポリマー材料は、他の実行形態において、ポリエステル、ポリエチレン等の熱可塑性材料である。熱硬化性材料とは対照的に、熱可塑性材料は、加熱すると材料を軟化し、冷却すると材料を硬化させる物理的変換を受ける様々なポリマー材料のいずれかである。熱可塑性材料の物理的変換は、可逆的である。
【０２７７】
ゴルフ用クラブヘッド１００は、底部領域１３５における任意の数の離散塊１７６及び／又は頂部領域１３３における任意の数の離散塊１７６を有することができる。例えば、一つの実行形態において、ゴルフ用クラブヘッド１００は、二つのトウ方向の離散塊１７６及び二つのヒール方向の離散塊１７６を有する、底部領域１３５における４つの離散塊１７６と、二つのトウ方向の離散塊１７６及び二つのヒール方向の離散塊１７６を有する、頂部領域１３３における４つの離散塊１７６とを有する。離散塊１７６は、ゴルフ用クラブヘッド原点座標系１８５のｘ軸に平行な方向に互いに離間しているので、離散しているとみなされる。離散塊１７６は、様々な形状及びサイズのうちのいずれかを有することができる。図１３〜図１５では実質的に球形として示されているが、離散塊１７６はより平坦又はより多角形であり得る。
【０２７８】
図１４を参照すると、ポリマー材料の離散塊１７６は、フェース部１４２の外周縁１８１から離れた位置ＬＤＭでフェース部に直接に結合されている。離散塊１７６は、位置ＬＤＭだけでフェース部に直接に結合されているのではない。むしろ、離散塊１７６は、フェース部１４２の外周縁１８１から上がって、又は下がって位置ＬＤＭまで全体に又はその一部のみにおいてフェース部１４２に直接に結合することができる。いくつかの実行形態において、位置ＬＤＭは、フェース部上の離散塊の横方向位置及びフェース部１４２のＣＴへの所望の減少に応じて、少なくとも５ｍｍ、１０ｍｍ、１５ｍｍ、２０ｍｍ、又は３０ｍｍである。例えば、フェース部１４２の外周縁１８１から離れた位置ＬＤＭが大きくなるほど、フェース部１４２のＣＴへの影響が大きくなる。外周縁１８１は、フェース部１４２の幾何学的中心から半径方向に離れたフェース部１４２の最も外側の境界として規定されるか、あるいはフェース部１４２がクラウン部１１９、ソール部１１７、及びスカート部１２１に移行する仮想線として規定される。従って、外周縁１８１は、打撃プレート１４３の外周縁と同じではない。むしろ、図６に示すように、例えば、フェース部１４２の外周縁１８１は、打撃プレート１４３の縁から半径方向に離れており、かつそれを取り囲んでいる。
【０２７９】
ポリマー材料の離散塊１７６は、離散塊１７６がフェース部の特定の量の表面領域（例えば、フェース部１４２の内面１４５）と接触するようにフェース部１４２に直接に結合される。一般に、離散塊１７６が接触する表面積が大きいほど、フェース部１４２のＣＴへの影響が大きくなる。一つの実行形態において、離散塊１７６は、少なくとも５０ｍｍ２、１５０ｍｍ２、又は２２５ｍｍ２のフェース部の表面領域と接触する。複数の離散塊１７６を有する実施形態において、離散塊１７６のうちの一つが接触するフェース部１４２の表面領域は、離散塊１７６のうちの別のものと異なることがある。さらに、複数の離散塊１７６を有する特定の実行形態において、離散塊１７６が接触するフェース部１４２の合計表面積は、例えば少なくとも１００ｍｍ２、８００ｍｍ２、又は１６００ｍｍ２とすることができる。特定の実行形態によれば、一つ又はそれ以上の離散塊１７６が接触するフェース部１４２の表面積とフェース部分１４２の全内部表面積（例えば、内面１４５の全表面積）との比は、例えば少なくとも０．０１、０．０５、又は０．１である。いくつかの実行形態において、フェース部１４２の全表面積は、２，５００ｍｍ２乃至６，０００ｍｍ２である。打撃プレート１４３は、いくつかの実行形態において２，６００ｍｍ２乃至３，３００ｍｍ２の全表面積を有し得る。
【０２８０】
複数の離散塊１７６を有する実施形態において、一つの離散塊１７６の材料は、別の離散塊１７６とは異なるものとすることができる。例えば、一つの離散塊１７６は、別の離散塊１７６とは異なる弾性係数又は硬度を有することができ、そのような相異は、フェース部１４２に対する離散塊１７６の対応する位置に依存する。一つの実行形態において、フェース部１４２の中心からトウ方向にオフセットした離散塊１７６は、フェース部１４２の中心からヒール方向で離散塊１７６よりも高い弾性係数又は高い硬度を有することができる。
【０２８１】
図１８を参照すると、ポリマー材料を流動状態で射出ツール（例えば、図１７の射出ツール１７７参照）を使用して射出し、ポリマー材料を冷却させるか又はポリマー材料を硬化させることなどの様々な技術のいずれかを使用して、離散塊１７６をフェース部１４２の内面１４５に適用することができる。ポリマー材料は流動状態で射出されるので、ポリマー材料は圧縮下にはない。クラウンインサート１２６を有するゴルフ用クラブヘッド１００の一つの実行形態において、離散塊１７６は、フレーム１２４が形成された後であるがクラウンインサート１２６がフレーム１２４に取り付けられる前に、フェース部１４２の内面１４５に適用される。さらに具体的に、フレーム１２４が形成された後かつクラウンインサート１２６がフレーム１２４に取り付けられる前に、クラウン開口部１６２を介したアクセスを利用して、離散塊１７６をフェース部１４２の内面１４５に適用することができる。あるいは、本体１１０に形成された一つ又はそれ以上のポートを介して内部空洞１１３にアクセスすることによって、本体１１０が完全に形成された後（例えば、クラウンインサート１２６が本体１１０のフレーム１２４に取り付けられた後）に、離散塊１７６をフェース部１４２の内面１４５に適用することができる。例えば、図１７を参照すると、射出ツール１７７は、本体１１０の外壁（例えば、フェース部１４２の壁）に形成され、内部空洞１１３に開口する開口部１７２を介してフェース部１４２の内面１４５上にポリマー材料を射出することができる。
【０２８２】
ここで図１６及び１７を参照すると、離散塊１７６はさらにゴルフ用クラブヘッド１００のスロット１７０の内面に直接に結合され、スロット１７０とフェース部１４２との間に介在され得る。離散塊１７６は、フェース部１４２、特にリップ１４７をスロット１７０に構造的に連結するための補強ブリッジを提供する。
【０２８３】
図示されるように、いくつかの実施形態において、ゴルフ用クラブヘッド１００は、ソール部１１７に結合された少なくとも一つの擁壁１８０を含む。擁壁１８０は、ソール部１１７から直立して突出する。さらに、擁壁１８０は、薄肉構造を有し、ヒール−トウ方向（例えば、フェース部１４２と実質的に平行）において長手方向に延びることができる。いくつかの例において、ゴルフ用クラブヘッド１００の底部領域１３５は、ヒール領域１１６からトウ領域１１４まで延びることができる単一の擁壁１８０を含む。しかしながら、他の例において、ゴルフ用クラブヘッド１００の底部領域１３５は、図１６に示されるように、ヒール−トウ方向に互いに離間している複数の別々の擁壁１８０を含む。各別個の擁壁１８０は、離散塊１７６のうちのそれぞれの一つと関係付けられている。いくつかの実行形態において、擁壁１８０は独立した構造である。しかし、他の実行形態において、擁壁１８０は、他の構造に一体化されている。例えば、擁壁１８０はスロット１７０の一部を形成することができる。図１６及び図１７に示すような特定の実行形態において、擁壁１８０がスロット１７０よりもソール部１１７からさらに離れて突出するように、擁壁１８０はスロット１７０の前壁でスロット１７０から突出する。図示されていないが、ゴルフ用クラブヘッド１００はまた、クラウン部１１９から直立して突出する一つ又はそれ以上の擁壁を有してもよい。
【０２８４】
擁壁１８０は、一つ又はそれ以上の離散塊１７６が構造的に連結され得る構造を提供するだけでなく、離散塊１７６をフェース部１４２上でより高く底部領域１３５において、及び／又は離散塊１７６をフェース部１４２上でより低く頂部領域１３３において配置することをそれらのより高いかより低い位置でバッキングを提供することによってすることにも役立つ。一般に、所与のｘ軸位置でフェース部１４２と接触している離散塊１７６が打撃プレート１４３の中心に近づくほど、離散塊１７６が、その位置での打撃プレート１４３のＣＴを下げることに与える影響は大きくなる。従って、離散塊１７６を打撃プレート１４３の中心の近くに配置することによって、打撃プレート１４３のＣＴを対応して下げることができる。
【０２８５】
上記のものに対応して、所与のｘ軸位置でフェース部１４２と接触している離散塊１７６が打撃プレート１４３の中心に対して離れるほど、離散塊１７６がその位置における打撃プレート１４３のＣＴを下げることに対する影響は少なくなる。従って、図１８に示すようないくつかの実行形態において、補強材１５０は、離散塊１７６と発泡体１８４の両方を含む。補強材１５０が底部領域１３５に配置されている場合には、発泡体１８４は、離散塊１７６とソール部１１７との間に配置される。さらに、補強材１５０が頂部領域１３３に配置されている場合には、発泡体１８４は離散塊１７６とクラウン部１１９との間に配置される。図示されるように、ゴルフ用クラブヘッド１００がスロット１７０又は擁壁１８０を含む場合、発泡体１８４は、スロット１７０又は擁壁１８０と、フェース部１４２との間に配置される。
【０２８６】
発泡体１８４は、離散塊１７６をフェース部１４２上でより高く底部領域１３５に、又は頂部領域１３３のフェース部１４２上でより低く離散塊１７６に配置するプラットフォーム（例えばスペーサとして作用する）を提供する。発泡体１８４は、離散塊１７６のポリマー材料よりも軽い。従って、図１７の離散塊１７６の一部を発泡体１８４で効果的に置き換えることにより、補強材１５０のＣＴ低減性能を犠牲にすることなく補強材１５０の全重量を減らすことができる。いくつかの実行形態において、各補強材１５０の発泡体１８４は、一つの補強材１５０の発泡体１８４が別の補強材１５０の発泡体１８４から分離するように、別個の発泡体片である。発泡体１８４は、製造中の気泡の導入から生じる軽量の気泡形態を有する、ポリウレタン、ポリエチレンなどの様々な種類の発泡体のうちのいずれかであり得る。
【０２８７】
各補強材１５０の発泡体１８４は、接着などの様々な技術のいずれかを使用して、ソール部１１７、クラウン部１１９、及び／又はフェース部１４２などの本体１１０の内面１４５に適用することができる。言い換えれば、発泡体１８４は本体１１０の内面１４５に接着することができる。ついで、図１６及び１７に関連して上述したものと同じ又は同様の技術を使用して、離散塊１７６を発泡体１８４上に適用することができる。クラウンインサート１２６を有するゴルフ用クラブヘッド１００の一つの実行形態において、発泡体１８４は、フレーム１２４が形成され、打撃プレート１４３がリップ１４７に結合された後（リップ１４７に取り付けられているか、又はリップ１４７と一体形成されているかにかかわらず）であるがクラウンインサート１２６がフレーム１２４に結合される前に、本体１１０の内面１４５に結合される。さらに具体的に、フレーム１２４が形成されて打撃プレート１４３が本体１１０上の適所に配置された後で、クラウンインサート１２６がフレーム１２４に取り付けられる前に、クラウン開口部１６２を介したアクセスを利用して発泡体１８４を本体の内面１４５に固定することができる。従って、打撃プレート１４３がリップ１４７に溶接される場合、打撃プレート１４３がリップ１４７に溶接され溶接部が冷却されるまで発泡体１８４は本体１１０に固定されないので、溶接プロセスからの熱はフォーム１８４を溶融しない。さらに、発泡体１８４のセル状の軽量な性質のために、それはゴルフ用クラブヘッド１００の音響に大きな影響を与えない。
【０２８８】
図１９〜２１を参照すると、補強材１５０の発泡体１８４は、発泡体で作られたエンクロージャ１８６に形成することができる。図示されるように、エンクロージャ１８６は、本体１１０の内面と着座係合又は相補係合するように構成（例えば、成形）することができる。エンクロージャ１８６の発泡体は、発泡体１８４に関連して上述したものと同じ種類の発泡体であり得る。エンクロージャ１８６は、フェース部１４２に開口する側面を有する空洞１８８を規定する。さらに具体的に、一つの例において、エンクロージャは、ソール部１１７、クラウン部１１９、又はスカート部１２１で本体１１０の内面に直接に固定されたベース１８７を含む。一つ又はそれ以上の壁１８９は、ベース１８７から突出し、ベース１８７とともに空洞１８８を規定する。エンクロージャ１８６のベース１８７及び壁１８９は、フェース部１４２の内面が空洞１８８の開口側を効果的に閉じるようにフェース部１４２の内面に当接し、一方、空洞１８８の開口端は開いたままである。従って、空洞１８８は、ベース１８７によって規定された閉口端と、閉口端とは反対側の開口端と、エンクロージャ１８６の壁１８９によって規定された少なくとも一つの閉側面と、フェース部１４２に対して開口している一つの開口側面とを有する。図示の実行形態において、ベース１８７は四辺形であり、エンクロージャ１８６はベース１８７から直交して突出する三つの壁１８９を含む。従って、図示の実行形態において、空洞１８８は実質的に正方形の形状である。しかしながら、他の実行形態において、エンクロージャ１８６及び空洞１８８は、空洞１８８がフェース部１４２に対して開いた側面を有する限り、様々な形状のうちのいずれかを有することができる。
【０２８９】
補強材１５０の離散塊１７６は、エンクロージャ１８６の空洞１８８内に配置されて保持されている。発泡体１８４と同様に、エンクロージャ１８６のベース１８７は、離散塊１７６をフェース部１４２上でより高く底部領域１３５に、又はフェース部１４２上でより低く頂部領域１３３に配置するためのプラットフォームを提供する。エンクロージャ１８６の壁１８９は、ＣＴの調整可能性が望まれるフェース部１４２上の位置に離散塊１７６を保持し、配置するのに役立つ。そのようには特定されていないが、図１８における発泡体１８４は、エンクロージャ１８６と同様に、エンクロージャの一部とすることができる。例えば、エンクロージャの側壁１８９を使用して、離散塊１７６を横方向に保持しながら、擁壁１８０及び／又はスロット１７０が離散塊１７６を後方に保持することができる。従って、いくつかの実行形態において、発泡体１８４は擁壁１８０及び／又はスロット１７０と直接に接触して、離散塊１７６が発泡体１８４及び／又はスロット１７０の間で漏れるのを防ぐためのシールを形成する。
【０２９０】
図１９に示すように、いくつかの実行形態において、ゴルフ用クラブヘッド１００は、ゴルフ用クラブヘッド原点座標系１８５のｘ軸に平行な方向に互いに間隔を置いて配置された、複数のエンクロージャ１８６と、複数の対応する離散塊１７６とを含む。ゴルフ用クラブヘッド１００の底部領域１３５及び／又は頂部領域１３３に複数のエンクロージャ１８６を配置することができる。
【０２９１】
クラウンインサート１２６を有するゴルフ用クラブヘッド１００の一つの実行形態において、エンクロージャ１８６は、フレーム１２４が形成されかつ打撃プレート１４３がリップ１４７に結合された後（リップ１４７に取り付けられているか、それと一体形成されているかにかかわらず）であるがクラウンインサート１２６がフレーム１２４に取り付けられる前に、本体１１０の内面１４５に結合されている。さらに具体的に、フレーム１２４が形成され、打撃プレート１４３が本体１１０上の適所に配置された後で、クラウンインサート１２６がフレーム１２４に取り付けられる前に、クラウン開口部１６２を介したアクセスを利用してエンクロージャ１８６を本体の内面１４５に固定することができる。
【０２９２】
離散塊１７６は、図１６及び１７に関して上述したものと同じ又は類似の技術を使用して、エンクロージャ１８６の空洞１８８内に適用することができる。例えば、クラウンインサート１２６をゴルフ用クラブヘッド１００のフレーム１２４に取り付ける前に、離散塊１７６を、クラウン開口部１６２を通して空洞１８８に射出することができる。あるいは、例えば、本体１１０の外壁に形成された開口部１７２（例えば、図２３の開口部１７２参照）を介して、離散塊１７６を空洞１８８に射出することができる。いくつかの実行形態において、開口部１７２は、エンクロージャ１８６の空洞１８８に開口しているベース１８７に形成された開口部１７３と整合されている。言い換えれば、ベース１８７の開口部１７３は、開口部１７２の続きを効果的に形成する。このように、射出ツール１７７は、本体１１０の外壁の開口部１７２及びエンクロージャ１８６のベース１８７の開口部１７３を通して、エンクロージャ１８６の空洞１８８内にポリマー材料を射出することができる（例えば、図２３参照）。ポリマー材料を射出して硬化させた後、開口部１７２をポリマー材料、又はアルミニウム若しくはチタンなどの別の材料で塞ぐことができる。
【０２９３】
図２２及び２３を参照すると、いくつかの実施形態において、複数の補強材１５０の発泡体エンクロージャを効果的に組み合わせて、一体で、連続的なモノリシック構造を形成する。言い換えれば、複数の補強材１５０のそれぞれの離散塊１７６及び空洞１８８が、ゴルフ用クラブヘッド原点座標系１８５のｘ軸に平行な方向に互いに離間している一方、エンクロージャは組み合わされてエンクロージャラダーを形成する。エンクロージャラダー１９０は、発泡体に形成された複数の離間した空洞１８８を有する一体成形の発泡体を含む。空洞１８８は、フェース部１４２上の離散塊１７６の所望の位置にあるエンクロージャラダー１９０内に形成されている。ゴルフ用クラブヘッド１００は、ゴルフ用クラブヘッド１００の底部領域１３５に配置された一つ（又は複数）のエンクロージャラダー１８６、及び／又はゴルフ用クラブヘッド１００の頂部領域１３３に配置された一つ（又は複数）のエンクロージャラダー１８６などの複数のエンクロージャラダーを含むことができる。図２３に示されるエンクロージャラダー１９０は、それぞれ五つ及び七つの空洞１８８を含むが、他の実施形態において、各エンクロージャラダー１９０は、五つ未満、六つ、又は七つより多い空洞１８８を含むことができる。各エンクロージャラダー１９０は、任意の数の空洞１８８を含み得る。
【０２９４】
エンクロージャラダー１９０は、フレーム１２４が形成され、打撃プレート１４３がリップ１４７に連結された後（リップ１４７に取り付けられているか、それと一体形成されているかにかかわらず）であるが、クラウンインサート１２６がフレーム１２４に取り付けられる前に、本体１１０の内面１４５に結合される。さらに具体的に、フレーム１２４が形成され、打撃プレート１４３が本体１１０上の適所に配置された後で、クラウンインサート１２６がフレーム１２４に取り付けられる前に、クラウン開口部１６２を介したアクセスを利用してエンクロージャラダー１９０を本体の内面に固定することができる。
【０２９５】
離散塊１７６は、図１６及び１７に関して上述したものと同じ又は同様の技術を使用して、エンクロージャ１８６の空洞１８８内に適用することができる。例えば、クラウンインサート１２６をゴルフ用クラブヘッド１００のフレーム１２４に取り付ける前に、離散塊１７６を、クラウン開口部１６２を通して空洞１８８内に射出することができる。あるいは、例えば、離散塊１７６は、本体１１０の外壁に形成された開口部１７２（例えば、図２３の開口部１７２参照）を介して、空洞１８８内に射出することができる。いくつかの実行形態において、開口部１７２は、エンクロージャ１８６の空洞１８８に開口している、ベース１８７に形成された開口部１７３と整合されている。言い換えれば、ベース１８７の開口部１７３は、開口部１７２の続きを効果的に形成する。このように、射出ツール１７７は、本体１１０の外壁の開口部１７２及びエンクロージャ１８６のベース１８７の開口部１７３を通して、エンクロージャ１８６の空洞１８８内にポリマー材料を射出することができる（例えば、図２３参照）。
【０２９６】
いくつかの例において、図２４〜２７に示すように、ゴルフ用クラブヘッド１００の補強材１５０は、ファスナー１９８を含む。各補強材１５０のファスナー１９８は、少なくとも部分的に本体１１０の内部空洞１１３内にある。例えば、ゴルフ用クラブヘッド１００の頂部領域１３３におけるファスナー１９８の一部は、内部空洞１１３の外側に配置され、ファスナー１９８の別の一部は、内部空洞１１３の内側に配置されている。そのようなファスナー１９８は、内部空洞１１３の外側の位置で調整ツールによって係合可能である。ゴルフ用クラブヘッド１００の底部領域１３５におけるファスナー１９８のような、別の例において、ファスナー１９８の全体が内部空洞１１３の内側に配置されている。そのようなファスナー１９８は、内部空洞１１３の内側の位置で調整ツールによって係合可能である。ファスナー１９８は、ネジ、ボルト、釘、ピン、ナット、ワッシャ、ペグなど、様々な種類のファスナーのうちのいずれかであり得る。一つの実行形態において、ファスナー１９８は、調整ツール２００によって係合可能なヘッド部と、ヘッド部から延びるネジ付き軸部とを有するねじ付きファスナ（すなわち、ネジのあるファスナ）である。
【０２９７】
ファスナー１９８は、本体１１０に調整可能に結合され、ＣＴの調整可能性が望まれるフェース部１４２の外周縁１８１から離れた位置ＬＦでフェース部１４２の内面１４５に接触するように調整可能である。いくつかの実行形態において、ファスナー１９８は、ファスナー１９８をフェース部１４２の内面１４５と接触させ、フェース部１４２の内面１４５と接触させないように配置するように調整可能である。しかしながら、他の実行形態において、ファスナー１９８はフェース部１４２の内面１４５と接触したままであり、ファスナー１９８の内面１４５との接触面積は調整可能である。各補強材１５０のファスナー１９８は、様々な方法のうちのいずれかで本体１１０に調整可能に連結することができる。いくつかの実行形態において、位置ＬＦは、フェース部上のファスナー１９８の横方向位置及びフェース部１４２のＣＴへの所望の減少に応じて、少なくとも５ｍｍ、１０ｍｍ、１５ｍｍ、２０ｍｍ、又は３０ｍｍである。
【０２９８】
図２４に示す一つの例において、ゴルフ用クラブヘッド１００の部領域１３５における補強材１５０のファスナー１９８は、ファスナーリブ１９４又はタブを用いて本体１１０に、調節可能に結合されている。ファスナーリブ１９４は、ゴルフ用クラブヘッド１００の本体１１０に移動不能に取り付けられるか又はそれと一体形成され、本体１１０の内面から本体１１０の内部空洞１１３内に突出する。ファスナーリブ１９４は、ファスナー１９８が通る開口部１９６を含む。ファスナー１９８を本体１１０に対して調整すると、開口部１９６はファスナー１９８を支持する。一つの実行形態において、ファスナー１９８はネジ部品であり、開口部１９６はネジ穴であり、ファスナー１９８は開口部１９６と螺合する。そのような実行形態によれば、ファスナー１９８と開口部１９６との間の螺合は、ファスナー１９８がファスナーリブ１９４に対して回転するときに、ファスナー１９８をフェース部１４２に向かって又はフェース部１４２から離れる方向に並進運動させる。ファスナー１９８は、調整ツール２００を用いて回転させることができ、調整ツール２００は、スクリュードライバ、ラチェット、ドリル、レンチなどのような当技術分野で知られている様々なファスナー調整ツールのいずれでもよい。図示されるように、いくつかの実行形態において、ファスナー１９８は、ゴルフ用クラブヘッド１００の本体１１０に形成されたポート１９２を介して調整ツール２００によってアクセス可能である。ポート１９２は、専用の補強材調整ポート、又は調整可能な重りを保持するための重りポートなどの他の用途のために設計されたポートとすることができる。ポート１９２は、ゴルフ用クラブヘッド１００の後方領域１１８のスカート部１２１のように、本体１１０上の所望の位置に配置することができる。特定の実行形態において、ファスナー１９８が完全に内部空洞１１３内に配置される場合、調整ツール２００は、ポート１９２を通り、内部空洞１１３を通ってファスナー１９８と係合するように延びるように構成される。
【０２９９】
図２５を参照すると、ゴルフ用クラブヘッド１００は、任意の数のファスナーリブ１９４を有することができる。さらに、各ファスナーリブ１９４は一つのファスナー１９８を支持するように示されているが、いくつかの実行形態において、一つのファスナーリブ１９４は、二つ以上のファスナー１９８を支持することができる。また、底部領域１３５における補強材１５０のみがファスナーリブ１９４を含むように示されてされているが、頂部領域１３３における補強材１５０はまた、ファスナーリブ１９４を含み得るということが認識される。
【０３００】
図２４にも示す別の例によれば、ゴルフ用クラブヘッド１００の頂部領域１３３における補強材１５０のファスナー１９８は、本体１１０のファスナーポート２０２を用いて、本体１１０に調節可能に結合されている。ファスナーポート２０２は、本体１１０と一体成形されている。さらに、ファスナーポート２０２は、ファスナー１９８が本体１１０に対して調整されるときにファスナー１９８と直接に係合し、支持するように構成される。例えば、いくつかの実行形態において、ファスナー１９８はネジ部品であり、ファスナーポート２０２はネジ付きであり、ファスナー１９８はファスナーポート２０２と螺合する。そのような実行形態によれば、ファスナー１９８がファスナーポート２０２に対して回転すると、ファスナー１９８とファスナーポート２０２との間の螺合により、ファスナー１９８はフェース部１４２に向かって又はフェース部１４２から離れる方向に並進運動する。フェース部１４２は、ファスナー１９８がフェース部１４２に向かって回転するときにファスナー１９８の端部を受けるように構成されたレッジ２０４又は肩部を含み得る。
【０３０１】
ファスナー１９８は、調整ツール２００で回転させることができる。図示されるように、いくつかの実行形態において、ファスナー１９８の一部が内部空洞１１３の外側にある場合、ファスナー１９８は、内部空洞１１３の外側のファスナー１９８の一部を係合することによって、内部空洞１１３の外側から調整ツール２００によってアクセス可能である。ファスナーポート２０２。ファスナーポート２０２は、所望により本体１１０上のどこにでも配置することができる。
【０３０２】
図２５を参照すると、ゴルフ用クラブヘッド１００は、任意の数のファスナーポート２０２及び対応するファスナー１９８を有することができる。また、頂部領域１３３における補強材１５０のみがファスナーポート２０２を含むように示されているが、底部領域１３５における補強材１５０もまたファスナーリブ１９４の代わりにファスナーポート２０２を含み得るということが認識される。
【０３０３】
図２６を参照すると、ゴルフ用クラブヘッド１００は、サイドファスナーポート２１０を含む。各サイドファスナーポート２１０は、ファスナーポート２０２と同様である。各補強材１５０のファスナー１９８は、サイドファスナーポート２１０のうちのそれぞれの一つを使用して本体１１０に調整可能に結合されている。ファスナーポート２１０は、本体１１０と一体成形されている。図示されるように、各サイドファスナーポート２１０は、ゴルフ用クラブヘッド１００の側面、例えば前方領域１１２のトウ領域１１４又はヒール領域１１６のスカート部１２１又はソール部１１７に形成されている。ファスナーポート２１０は、クラブヘッド原点座標系１８５のｙ軸に対して傾斜している。その一方、ポート１９２及び／又はファスナーポート２０２は、いくつかの実行形態において、クラブヘッド原点座標系１８５のｙ軸と実質的に平行であり得る。
【０３０４】
ファスナーポート２１０は、ファスナー１９８が本体１１０に対して調整されるときにファスナー１９８と直接に係合してこれを支持するように構成される。例えば、いくつかの実行形態において、ファスナー１９８はネジ部品であり、ファスナーポート２１０はネジ付きであり、ファスナー１９８はファスナーポート２１０と螺合する。そのような実行形態によれば、ファスナー１９８がファスナーポート２１０に対して回転すると、ファスナー１９８とファスナーポート２１０との間の螺合により、ファスナー１９８がフェース部１４２に向かって又はフェース部１４２から離れる方向に並進運動する。
【０３０５】
ファスナー１９８は、調整ツール２００で回転させることができる。図示されるように、いくつかの実行形態において、ファスナー１９８の一部が、内部空洞１１３の外側にある場合、ファスナー１９８は、内部空洞１１３の外側のファスナー１９８の一部を係合することによって、内部空洞１１３の外側から調整ツール２００によってアクセス可能である。ファスナーポート２０２。ファスナーポート２０２は、所望により本体１１０上のどこにでも配置することができる。
【０３０６】
図２６を参照すると、ファスナー１９８は、いくつかの実行形態において丸みを帯びた端面２３０を有する。図２６のファスナー１９８は、フェース部１４２の内面１４５と接触するファスナー１９８の丸みを帯びた端面２３０の領域の大きさを調整するように調整可能である。言い換えれば、ファスナー１９８は、フェース部１４２の内面１４５と接触する丸みを帯びた端面２３０の面積を増大させるためにフェース部１４２に向かって並進可能であり、フェース部１４２の内面１４５と接触する丸みを帯びた端面２３０の面積を減少させるためにフェース部１４２から離れる方向に並進可能である。内側表面１４５と接触する丸みを帯びた端面２３０の領域の大きさの調整によって引き起こされるヘルツ接触応力の変動により、フェース部１４２の剛性は対応して変化し得る（例えば、徐々に調整可能であり得る）。
【０３０７】
図２７に示す別の例によれば、フェース部１４２の剛性は、スプリング要素２２０を使用して徐々に調整可能であり得る。さらに具体的に、図２７のゴルフ用クラブヘッド１００の補強材１５０は、リブ１９４とワッシャ２２２との間に配置されたスプリング要素２２０を含む。補強材１５０はさらに、ワッシャ２２２、スプリング要素２２０、及びリブ１９４の開口部１９６を通して延びるファスナー１９８を含む。（調整ツール２００などによる）ファスナー１９８の調整を介して、ファスナー１９８がフェース部１４２に向かって並進運動すると、ファスナー１９８はワッシャ２２２に対してスプリング要素２２０をリブ１９４に対して圧縮させるようにさせる。その一方、ファスナー１９８の調整を介して、ファスナー１９８がフェース部１４２から離れるように並進運動すると、スプリング要素２２０は圧縮解除することが可能になる。スプリング要素２２０の剛性又は弾性は、スプリング要素２２０が徐々に圧縮又は圧縮解除されるにつれて徐々に変化する。例えば、スプリング要素２２０が徐々にさらに圧縮されるにつれて、スプリング要素２２０の剛性は徐々に増加し、スプリング要素２２０の弾性は徐々に減少する。しかしながら、スプリング要素２２０が徐々にさらに圧縮解除されるにつれて、スプリング要素２２０の剛性は徐々に減少し、スプリング要素２２０の弾性は徐々に増加する。いくつかの実行形態において、スプリング要素２２０はアクリルなどのポリマー材料の固体ブロックである。
【０３０８】
図２７の補強材１５０のファスナー１９８の端部は、ＣＴの調整可能性が望まれる位置でフェース部１４２と直接に係合する。いくつかの実行形態において、図２７の補強材１５０のファスナー１９８の端部は、フェース部１４２と永久的に係合する。例えば、フェース部１４２は、フェース部１４２の内面１４５に形成された、ファスナー１９８の端部を受けるように構成された凹部１９７を含むことができる。凹部１９７は、ファスナー１９８の端部と螺合するようにネジが切られていてもよい。ファスナー１９８は、ファスナー１９８の端部がフェース部１４２と接触するフェース部１４２の局所的な剛性がスプリング要素２２０の剛性と一致するように、フェース部１４２をスプリング要素２２０と構造的に連結する。従って、スプリング要素２２０の剛性がファスナー１９８の調整を介して徐々に増加するにつれて、ファスナー１９８の端部がフェース部１４２に接触するフェース部１４２のＣＴは、対応して徐々に減少する。その一方、スプリング要素２２０の剛性がファスナー１９８の調整を介して、徐々に減少するにつれて、ファスナー１９８の端部がフェース部１４２に接触するフェース部１４２のＣＴは、対応して徐々に増加する。
【０３０９】
本開示のゴルフ用クラブヘッド１００の補強材１５０は、原点１８３のｘ軸座標に近接するｘ軸座標を有する位置でゴルフ用クラブヘッド１００のＣＴに大きな影響を与えることなく、原点１８３からトウ方向及び／又はヒール方向に離れたｘ軸座標を有する位置でゴルフ用クラブヘッド１００のＣＴの減少を有利に促進する。いくつかの実施形態において、ゴルフ用クラブヘッド１００の製造されたバッチに対して、打撃プレート１４３のセンターフェースにおいて、並びにセンターフェースから水平方向に＋２０ｍｍ及び−２０ｍｍ離れた位置において、目的のＣＴから離れたＣＴの標準偏差の減少をさらに促進するために、ゴルフ用クラブヘッド１００のバッチが製造された後、ゴルフ用クラブヘッド１００の補強材１５０を調整してＣＴを調整することができる。標準偏差を下げることにより、所与のバッチの製造されたゴルフ用クラブヘッド１００は、目的のＣＴにより近いＣＴを有することが可能になり、これは、ゴルフ用クラブヘッド１００について規定されたＣＴ閾値により近い目的のＣＴの選択を可能にする。例えば、所与のバッチのゴルフ用クラブヘッド１００のＣＴが製造後に規定されたＣＴ閾値を満たさない場合であっても、規定されたＣＴ閾値を満たすように、ゴルフ用クラブヘッド１００の一つ又はそれ以上の補強材１５０を調整してＣＴを調整することができる。同様に、所与のバッチのゴルフ用クラブヘッド１００のＣＴが製造後に目的のＣＴを満たさない場合、ゴルフクラブヘッド１００の一つ又はそれ以上の補強材１５０を調整して、目的のＣＴが達成されるようにＣＴを調整することができる。
【０３１０】
従って、ゴルフ用クラブヘッド１００のバッチの標準偏差は、バッチのゴルフ用クラブヘッド１００のＣＴの調整可能範囲に基づくことができる。一つの実施形態において、標準偏差は約２マイクロ秒である。他の実施形態によれば、標準偏差は、約１マイクロ秒乃至約４マイクロ秒である。目的のＣＴは、一つの例において２３５マイクロ秒乃至２５７マイクロ秒、別の例において２４０マイクロ秒乃至２５０マイクロ秒、さらに別の例において約２４７マイクロ秒である。いくつかの実施形態によれば、目的のＣＴは、規定されたＣＴ閾値より１マイクロ秒乃至２０マイクロ秒低い。一つの例において、目的のＣＴは、規定されたＣＴ閾値より約１０マイクロ秒低い。さらに別の実施形態によれば、目的のＣＴは、規定されたＣＴ閾値より０．４％乃至７．８％低い。一つの例において、目的のＣＴは、規定されたＣＴ閾値より約４％低い。
【０３１１】
いくつかの実施形態によれば、補強材１５０から材料を除去することによって、ゴルフ用クラブヘッド１００の補強材１５０を調整し、ゴルフ用クラブヘッド１００のＣＴを調整する。材料除去ツール２４０を使用することなどによって、図１２のゴルフ用クラブヘッド１００の一つ又はそれ以上のリブ１５２の一部を除去すると、ＣＴが局所的に増加する。材料除去ツール２４０は、金属材料を切断、剪断、研削などするように構成されたドリル、グラインダー、サンダーなどのような様々なツールのうちのいずれかとすることができる。材料除去ツール２４０は、ゴルフ用クラブヘッド１００の本体１１０の外壁に形成された開口部１７２を通してリブ１５２にアクセスすることができる。従って、リブ１５２及び開口部１７２を含むゴルフ用クラブヘッド１００の全体を製造することができる。ついで、製造されたゴルフ用クラブヘッド１００のＣＴを試験することができる。製造されたゴルフ用クラブヘッド１００の試験されたＣＴが目的のＣＴより低い場合、製造されたゴルフ用クラブヘッド１００のＣＴが目的のＣＴまで増加するまで、一つ又はそれ以上のリブ１５２からの材料を除去することができる。リブ１５２から材料を除去した後、対応する開口部１７２は、エンドユーザによるゴルフ用クラブヘッド１００の実際の使用に備えて永久的又は非永久的に塞がれ得る。いくつかの実行形態において、開口部１７２は、リブ１５２から材料を除去する前に非永久的に塞ぐことができ、ついでリブ１５２から材料を除去した後に永久的又は非永久的に塞ぐことができる。
【０３１２】
いくつかの実施形態によれば、ゴルフ用クラブヘッド１００の補強材１５０を調整し、ゴルフ用クラブヘッド１００のＣＴを、補強材１５０に材料を加えることによって調整する。例えば、図１３〜２３のゴルフ用クラブヘッド１００を参照すると、射出ツール１７７を使用することなどによって、ゴルフ用クラブヘッド１００にポリマー材料を加えて一つ又はそれ以上の離散塊１７６を形成又は加えると、ＣＴが局所的に減少する。離散塊１７６を形成又は加えるための離散塊１７６の位置は、ゴルフ用クラブヘッド１００の本体１１０の外壁に形成された開口部１７２を通してアクセスすることができる。従って、開口部１７２を含めて、発泡体１８４、エンクロージャ１８６、又はエンクロージャラダー１９０の取り付けを含む図１３〜２３のゴルフ用クラブヘッド１００全体を製造することができる。ついで、製造されたゴルフクラブヘッド１００のＣＴを試験することができる。製造されたゴルフ用クラブヘッド１００の試験ＣＴが目的のＣＴより高い場合、製造されたゴルフクラブヘッド１００のＣＴが目的のＣＴ以下に減少するまで、ポリマー材料を加えて一つ又はそれ以上の離散塊１７６を形成又は拡大することができる。一つ又はそれ以上の開口部１７２を介してゴルフ用クラブヘッド１００にポリマー材料を加えた後、対応する開口部１７２は、エンドユーザによるゴルフ用クラブヘッド１００の実際の使用に備えて永久的又は非永久的に塞がれ得る。いくつかの実行形態において、開口部１７２は、リブ１５２から材料を除去する前に非永久的に塞ぐことができ、ついでリブ１５２から材料を除去した後に永久的又は非永久的に塞ぐことができる。
【０３１３】
いくつかの実行形態によれば、ＣＴのより正確な調整は、離散塊１７６を形成するために図１２〜２３のゴルフ用クラブヘッド１００に加えられるポリマー材料の量又は種類を変えることによって達成することができる。いくつかの実行形態において、ゴルフ用クラブヘッド１００の全ての離散塊１７６のポリマー材料は同じであり、一方、離散塊１７６の少なくとも一つのポリマー材料の量は、別の離散塊１７６とは異なる。例えば、製造されたゴルフ用クラブヘッド１００の試験により、フェース部１４２上のある位置では別の位置よりもＣＴを大きく減少させる必要性が明らかになるかもしれない。従って、他の位置と比較して、より多くのポリマー材料を一方の位置に加えることができる（すなわち、より大きな離散塊１７６を形成することができる）。他の実行形態において、離散塊１７６のポリマー材料の量は同じであるが、少なくとも一つの離散塊１７６のポリマー材料の種類は別の離散塊１７６のそれとは異なる。例えば、製造されたゴルフ用クラブヘッド１００の試験は、フェース部１４２上のある位置では別の位置よりもＣＴを大きく減少させる必要性を明らかにするかもしれない。従って、より高い硬度を有するポリマー材料は、他の位置にあるポリマー材料と比較して一方の位置に加えることができる。一つの特定の例において、エンクロージャラダー１９０の空洞１８８に加えられるポリマー材料の種類は、空洞１８８ごとに異なり、ポリマー材料の硬度は、原点１８３からさらにトウ方向に離れるにつれて、及び原点１８３からさらにヒール方向に離れるにつれて次第に高くなる。
【０３１４】
いくつかの実施形態によれば、補強材１５０のファスナー１９８を調整することによって図２４〜２７のゴルフ用クラブヘッド１００の補強材１５０を調整し、ゴルフ用クラブヘッド１００のＣＴを調節する。補強材１５０を含む図２４〜２７のゴルフ用クラブヘッド１００の全体を製造することができる。ついで、製造されたゴルフ用クラブヘッド１００のＣＴを試験することができる。製造されたゴルフ用クラブヘッド１００の試験ＣＴが目的のＣＴより高い場合、製造されたゴルフ用クラブヘッド１００のＣＴが目的のＣＴ以下になるまで、ファスナー１９８は、調整ツール２００を使用することなどによって、ファスナー１９８をフェース部１４２に接触させる、フェース部１４２と接触するファスナー１９８の領域を増大させる、及び／又はスプリング要素２２０をさらに圧縮するのいずれかに調整することができる。
【０３１５】
いくつかの実行形態において、ＣＴのより正確な調整は、図１２〜２３の所与のゴルフ用クラブヘッド１００の補強材１５０のファスナー１９８を独立にかつ相違して調整することによって達成することができる。例えば、ゴルフ用クラブヘッド１００のファスナー１９８のうちの一つをフェース部１４２と接触するように調整し、ゴルフ用クラブヘッド１００の他のファスナー１９８をフェース部１４２と接触しないままにすることができる。別の例として、所与のゴルフ用クラブヘッド１００のファスナー１９８は、フェース部１４２と接触している一つのファスナー１９８の領域がフェース部１４２と接触している他のファスナー１９８の領域と異なり得るように、異なるように調整することができる。さらに、追加の例において、所与のゴルフ用クラブヘッド１００のファスナー１９８は、ゴルフ用クラブヘッド１００の一つの補強材１５０のスプリング要素２２０がゴルフ用クラブヘッド１００の別の補強材のスプリング要素２２０とは異なるように圧縮されるように異なって調整することができる。
【０３１６】
図２９を参照すると、一つの実施形態によれば、ゴルフ用クラブヘッドの製造後に、ゴルフ用クラブヘッド１００などのゴルフ用クラブヘッドのＣＴを調整する方法３００が開示されている。本明細書に定義されているように、製造後のゴルフ用クラブヘッド、又は製造後のゴルフ用クラブヘッドは、完全に形成された本体を有する完全に機能的なゴルフ用クラブヘッドである。重り又はプラグを固定するための可能なポートを除いて、製造後のゴルフ用クラブヘッドの本体は完全に密閉されている。別の定義によれば、規定されたＣＴ閾値を満たさないという可能性を除いて、製造後のゴルフ用クラブヘッドは、ＵＳＧＡによって規定された閾値などの他の全ての規定閾値を満たす。
【０３１７】
方法３００は、まず、３０２でゴルフ用クラブヘッドの製造を含むことができる。製造されたゴルフ用クラブヘッドは、ゴルフ用クラブヘッドのＣＴを調節するための、少なくとも一つの補強材、例えば補強材１５０を含む。補強材は、少なくとも部分的にゴルフ用クラブヘッドの内部空洞内にあり、ゴルフ用クラブヘッドのフェース部に直接に結合可能である。方法３００はさらに、３０４においてゴルフ用クラブヘッドを試験してゴルフ用クラブヘッドのＣＴを決定することを含む。方法３００の３０４で利用されるＣＴテストは、ＵＳＧＡによって標準化された振り子ベースのＣＴテストであり得る。方法３００はさらに、３０４で試験することによって決定されたゴルフ用クラブヘッドのＣＴが、３０６で所望の又は目的のＣＴを満たすかどうかを決定することを含む。３０６でゴルフ用クラブヘッドのＣＴが目的のＣＴを満たす場合、方法３００は終了する。しかしながら、ゴルフ用クラブヘッドのＣＴが目的のＣＴを満たさない場合、方法３００は、３０８においてゴルフ用クラブヘッドの補強材を調整してゴルフクラブヘッドのＣＴを調整する。いくつかの実行形態において、３０８で補強材を調整した後、方法３００は再び３０４でゴルフ用クラブヘッドのＣＴを決定するためにゴルフ用クラブヘッドを試験し、そこから継続する。
【０３１８】
３０８でゴルフ用クラブヘッドの少なくとも一つの補強材を調整することは、補強材の構成に応じていくつかの異なる方法で達成することができる。例えば、補強材がゴルフ用クラブヘッドのフェース部に直接に結合されたリブである場合（例えば、図７〜１２参照）、３０８で補強材を調整することは、ゴルフ用クラブヘッドの本体に形成されたポートを通して少なくとも一つのリブから材料を除去することを含む。別の例として、補強材がゴルフ用クラブヘッドのフェース部に直接に結合された離散塊を含む場合（例えば、図１３〜２３参照）、３０８で補強材を調整することは、ゴルフ用クラブヘッドの本体に形成されたポート又は開口部を通して、少なくとも一つの補強材へ約ショア１０Ｄ以上の硬度を有するものなどのポリマー材料を加えることを含む。さらに別の例によれば、補強材が少なくとも部分的にゴルフ用クラブヘッドの内部空洞内にあり、ゴルフ用クラブヘッドの本体に調節可能に結合されたファスナーを含む場合（例えば、図２４〜２７参照）、３０８で補強材を調整することは、ゴルフ用クラブヘッドのフェース部と接触するように調整（例えば、回転させること）すること、又はゴルフ用クラブヘッドのフェース部と接触している間にファスナーを調整することを含む。
【０３１９】
図３０を参照すると、一つの実行形態によれば、ゴルフ用クラブヘッド１００に従って構成されたゴルフ用クラブヘッドのＣＴは、ゴルフ用クラブヘッドの製造後に調整され、調整の前後に試験した。ＣＴ調整は、フェース部１４２のトウ側及びヒール側にそれぞれ開口部１７２を介して１グラムのポリマー材料を射出することによって達成された。この例示の実行形態において、ポリマー材料は、３Ｍ製のScotch Weld Epoxy Adhesive DP420であった。エポキシ接着剤は、二成分エポキシ接着剤であり得る。射出されたポリマー材料を、ポリマー材料の離散塊が上述のようにフェース部１４２の内面に接触するように、エンクロージャ１８６と同様に、発泡体で作られたそれぞれのエンクロージャ内に保持した。次いでポリマー材料を硬化させた。
【０３２０】
打撃プレート１４３の打撃フェース上の三つの点Ａ、Ｂ、ＣにおけるＣＴを、ポリマー材料を射出し硬化させる前後に実験的に得た。点Ａは、センターフェースに位置し、点Ｂは、点Ａからトウ方向で２０ｍｍに位置し、点Ｃは、点Ａからトウ方向で２０ｍｍに位置する。ポリマー材料を射出し硬化する前、点ＡにおけるＣＴは２５６マイクロ秒であり、点ＢにおけるＣＴは２６７マイクロ秒であり、点ＣにおけるＣＴは２４５マイクロ秒であった。ポリマー材料の射出及び硬化後、点ＡにおけるＣＴは２４９マイクロ秒（又は７マイクロ秒以下）であり、点ＢにおけるＣＴは２５１マイクロ秒（又は１６マイクロ秒以下）であり、点ＣにおけるＣＴは２４７マイクロ秒（又は２マイクロ秒以上）であった。従って、ポリマー材料の射出は、点Ａ及びＢにおけるＣＴの著しい減少と、点Ｃにおける実質的に同一のＣＴをもたらした。
【０３２１】
図３１Ａ及び３２Ａを参照すると別の実施形態においてゴルフ用クラブヘッド１００は補強材２５４を含む。フェース部１４２の中心に対する補強材２５４の配置は、図３〜６に関連して上述した補強材１５０の配置と同様であり得る。補強材２５４は、第１の壁２５２、第２の壁２５０、及び第３の壁２５１からなる補強材アセンブリ２６０の一部を形成する。従って、補強材アセンブリ２６０は、第１の壁２５２、第２の壁２５０、第３の壁２５１、及び補強材２５４を含む。
【０３２２】
第１の壁２５２は、本体１１０のソール部１１７から直立して突出する。いくつかの例において、第１の壁２５２はソール部１１７から垂直に延び、他の例において、第１の壁２５２は、第１の壁２５２が突出するソール部１１７の部分と鋭角又は鈍角を形成し得る。第１の壁２５２は、いくつかの例において、本体１１０とは別に形成され、溶接又は接合技術などによって本体１１０に取り付けられる。しかしながら、他の例において、第１の壁２５２は、本体１１０は一体で、連続的なモノリシック構造を形成するように、本体１１０と一体形成される。具体例において、第１の壁２５２の厚さが第１の壁２５２の長さ及び高さよりも著しく小さいように、第１の壁２５２は薄肉構造を有する。第１の壁２５２は、ゴルフ用クラブヘッド原点座標系１８５のｘ軸に平行であるか、ゴルフ用クラブヘッドのｘ軸に対して傾斜していることができる、一般にヒール−トウ方向において長手方向に延びる。例えば、いくつかの実行形態において、第１の壁２５２は、ゴルフ用クラブヘッドのｘ軸と、−３０°乃至−１５°及び１５°乃至３０°の角度を規定する。
【０３２３】
図３１Ａに示すように、第１の壁２５２は長さＬ５を有する。長さＬ５は、フェース部１４２の全長Ｌ３未満である。言い換えれば、第１の壁２５２は、フェース部１４２の全長Ｌ３に対して別個の壁である。別の例によれば、長さＬ５は、本体１１０のソール部１１７に隣接する（例えば、当接した又は直接に結合した）フェース部１４２の全セクションの全長Ｌ４未満である。従って、第１の壁２５２はまた、ソール部１１７に隣接するフェース部１４２の全セクションの全長Ｌ４に対して別個の壁とすることができる。一つの例において、第１の壁２５２の長さＬ５は、３０ミリメートル未満である。
【０３２４】
第１の壁２５２は、第１の弾性係数を有する第１の材料で作られている。いくつかの例において、第１の弾性係数は１５乃至３５０ＧＰａである。他の例によれば、第１の弾性係数は９０乃至２１０ＧＰａである。一つの例において、第１の弾性係数は、本体１１０の弾性係数と同じである。例えば、第１の材料は、チタン又は鋼のうちの一つであり得る。しかしながら、他の例において、第１の材料は、本体１１０のそれとは異なり、第１の弾性係数は、本体１１０のそれとは異なる。例として、第１の材料は、プラスチック又はポリマーなどの非金属であり得る。一般に、以下により詳細に説明されるように、第１の壁２５２は、第２の壁２５０、第３の壁２５２、及び補強材２５４よりも剛性が高い。例えば、補強材２５４は、第１の弾性係数未満である第２の弾性係数を有する第２の材料で作られている。第１の壁２５２は、スイング中にゴルフボールがフェース部１５２に衝突することによって引き起こされる前後方向の荷重が補強材２５４にかかる際に補強材２５４を支持するために、比較的高い弾性率を有する。
【０３２５】
第２の壁２５０及び第３の壁２５１のそれぞれは、本体１１０のソール部１１７から直立して突出する。いくつかの例において、第２の壁２５０及び第３の壁２５１のそれぞれは、ソール部１１７から垂直に延び、他の例において、第２の壁２５０及び第３の壁２５１のそれぞれは、第１の壁２５２が突出するソール部１１７の一部と鋭角又は鈍角を形成してもよい。いくつかの例において、第２の壁２５０及び第３の壁２５１は、本体１１０とは別に形成され、例えば溶接又は接合技術によって本体１１０に取り付けられる。第２の壁２５０及び第３の壁２５１は、ゴルフ用クラブヘッド原点座標系１８５のｙ軸と平行であり得る前後方向と平行な長手方向に延びる。第２の壁２５０及び第３の壁２５１のそれぞれの長さは、フェース部１４２の内面１４５と、第１の壁２５２と間の距離に等しい。
【０３２６】
第２の壁２５０及び第３の壁２５１は、第３の弾性係数を有する第３の材料で作られている。第３の弾性係数は、第１の弾性係数未満である。いくつかの例において、第３の弾性係数は０．０１ＧＰａ乃至８．０ＧＰａである。他の例によれば、第３の弾性係数は０．０５ＧＰａ乃至２．０ＧＰａである。第３の材料は、一つの例において発泡体である。他の例において、第３の材料は比較的柔らかいポリマー又は低強度の金属である。一般に、第２の壁２５０及び第３の壁２５１は補強材２５４を横方向に定位置に保持するように構成され、ゴルフスイング中に補強材２５４にかかる横方向荷重（例えば、ヒール−トウ荷重）は補強材２５４にかかるフロント−バック荷重よりも小さいため、第２の壁２５０及び第３の壁２５１は、第１の壁２５２よりも剛性が低い。
【０３２７】
第２の壁２５０及び第３の壁２５１は、ヒール−トウ方向において、補強材２５４の長さＬ２に等しい距離だけ互いに離間している。このように、第２の壁２５０及び第３の壁２５１は、第２の壁２５０と第３の壁２５１との間の間隙内に補強材２５４を横方向に保持することに役立つ。
【０３２８】
補強材２５４は、本体１１０の内部空洞１１３内に配置され、フェース部１４２の内面１４５に直接に結合されている。補強材２５４は、補強材２５４がないゴルフ用クラブヘッドと比較してゴルフ用クラブヘッド１００のＣＴを低減するのに役立つ。図３１Ａに示すように、補強材２５４は長さＬ２を有する。長さＬ２は、フェース部１４２の全長Ｌ３未満である。言い換えれば、補強材２５４は、フェース部１４２の全長Ｌ３に対する別個の機構である。別の例によれば、長さＬ２は、本体１１０のソール部１１７に隣接する（例えば、当接するか又は直接に結合される）フェース部１４２の全セクションの全長Ｌ４未満である。従って、補強材２５４はまた、ソール部１１７に隣接するフェース部１４２の全セクションの全長Ｌ４に対する別個の壁であり得る。一つの例において、補強材２５４の長さＬ２は３０ミリメートル未満である。具体例によれば、補強材２５４の長さＬ２は、第１の壁２５２の長さＬ５以下である。
【０３２９】
上記の通り、補強材２５４は第２の弾性係数を有する第２の材料で作られている。第２の弾性係数は、第１の壁２５２の第１の材料の第１の弾性係数未満であり、第２の壁２５０及び第３の壁２５１の第３の材料の第３の弾性係数より大きい。いくつかの例において、第２の弾性係数は０．５ＧＰａ乃至３０ＧＰａである。他の例によれば、第２の弾性係数は１ＧＰａ乃至５．０ＧＰａである。第２の材料は、一つの例においてアクリルである。
【０３３０】
アセンブリ２６０において、補強材２５４は、フェース部１４２の内面１４５と、第１の壁２５２との間に配置され、補強材２５４は、第２の壁２５０と、第３の壁２５１との間に配置されている。いくつかの例において、第２の壁２５０は、フェース部１４２の内面１４５に直接に結合（例えば、当接）され、第１の壁２５２に直接に結合されている。同様に、いくつかの例において、第３の壁２５１は、フェース部１４２の内面１４５に直接に結合され、第１の壁２５２に直接に結合されている。第２の壁２５０及び第３の壁２５１は、内面１４５及び第１の壁２５２に直接に当接することによって、又は内面１４５及び第１の壁に接合されることによって、内面１４５及び第１の壁２５２に直接に結合することができる。補強材２５４は、第１の壁２５２、第２の壁２５０、及び第３の壁２５１に直接に結合されている。従って、補強材２５４は、内面１４５、第１の壁２５２、第２の壁２５０、及び第３の壁２５１の間に少なくとも横方向に閉じ込められるか又は収容される。いくつかの例において、第１の壁２５２、第２の壁２５０、及び第３の壁２５１の最大高さは、補強材２５４の最大高さより大きい。
【０３３１】
図３１Ｂ及び３２Ｂに示す別の例によれば、ゴルフ用クラブヘッド１００の補強材アセンブリ２６０の補強材２５４は、本体１１０の内面に直接に結合されず、これは、補強材アセンブリ２６０の補強材２５４が本体１１０の内面に直接に結合されている図３１Ａ及び３２Ａのゴルフ用クラブヘッド１００とは対照的である。むしろ、図３１Ｂ及び３２Ｂの例において、補強材アセンブリ２６０はさらに、補強材２５４が本体１１０に対して支持されるベース２５５を含む。言い換えれば、ベース２５５は、補強材２５４と、本体１１０の内面との間に配置されている。ベース２５５は、接着剤などによってベース２５５の内面に直接に結合されている。ベース２５５は、ゴルフ用クラブヘッド１００の底部領域に配置されている場合、フェース部１４２上でより高い位置に配置することを、ゴルフ用クラブヘッド１００の頂部領域に配置されている場合、フェース部１４２上でより低い位置に配置するのに役立つプラットフォームとして機能する。いくつかの例において、ベース２５５は、補強材２５４の長さＬ２に等しい長さを有する。ベース２５５は、補強材２５４の第２の材料の第２の弾性係数よりも小さい第４の弾性係数を有する第４の材料で作られている。例によれば、第４の材料は第３の材料と同じであり、第４の弾性係数は第３の弾性係数と同じである。実際には、いくつかの例において、ベース２５５は、第２の壁２５０及び第３の壁２５１を有する一体でモノリシックなシームレス構造を形成する。
【０３３２】
図３１Ａ及び３２Ａのゴルフ用クラブヘッド１００及び図３１Ｂ及び３２Ｂのゴルフ用クラブヘッド１００のいくつかの例において、補強材アセンブリ２６０は、第２の壁２５０も第３の壁２５１も含まない。一つの例として、ゴルフ用クラブヘッド１００の補強材アセンブリ２６０は、第２の壁２５０又は第３の壁２５１のうちの一つのみを含む。そのような例において、ゴルフ用クラブヘッド１００は、第２の壁２５０又は第３の壁２５１が垂直方向の下部ストッパとして作用し、それに対して補強材２５４が集まって硬化するように、補強材２５４の形成中に配向することができ、これは第２の壁２５０又は第３の壁２５１の他方の必要性を排除するのに役立つ。あるいは、別の例において、補強材アセンブリ２６０は、第２の壁２５０及び第３の壁２５１を含まない。そのような例において、補強材２５４は、ゴルフ用クラブヘッド１００の適所に（例えば、ゴルフ用クラブヘッド１００内へ硬化性材料を流入することによって）形成されず、むしろ補強材２５４を予め形成し、第１の壁２５２とフェース部１４２の内面１４５との間の適所にしっかりと挿入することができる。
【０３３３】
図３１Ａ、３２Ａ、３１Ｂ、及び３２Ｂに示すように、ゴルフ用クラブヘッド１００は、いくつかの例において、複数の補強材アセンブリ２６０を含む。補強材アセンブリ２６０は、ソール部１１７及び／又はクラウン部１１９上の様々な位置のうちのいずれかに配置することができる。ソール部１１７上の複数のアセンブリ２６０は、ヒール−トウ方向において、互いに横方向に離間しており、クラウン部１１９上の複数のアセンブリ２６０は、ヒール−トウ方向においても、互いに横方向に離間している。いくつかの例によれば、複数の補強材アセンブリ２６０のそれぞれは、補強材２５４が補強材２５０に関連して上述した様々な位置のいずれかに配置されるように、フェース部１４２の中心からトウ方向又はヒール方向に配置される。さらに、具体例において、ゴルフ用クラブヘッド１００の一つの補強材アセンブリ２６０は、ゴルフ用クラブヘッド１００の別の補強材アセンブリ２６０と異なっていてもよい。例えば、一つの補強材アセンブリ２６０はベース２５５を有してもよく、別の補強材アセンブリ２６０はベース２５５を有していなくてもよい。別の例として、ゴルフ用クラブヘッド１００の補強材アセンブリ２６０の第１の壁２５２、第２の壁２５０、第３の壁２５１、又はベース２５５の弾性係数は、同じゴルフ用クラブヘッド１００の別の補強材アセンブリ２６０の第１の壁２５２、第２の壁２５０、第３の壁２５１、又はベース２５５のそれぞれの弾性係数とは、異なり得る。同じゴルフ用クラブヘッド１００の別の補強材アセンブリ２６０に対する一つの補強材アセンブリ２６の構成におけるそのような融通性は、ゴルフ用クラブヘッド１００の一つの位置においてＣＴに対し補強材アセンブリ２６０の衝撃を、ゴルフ用クラブヘッド１００の別の位置と異なるようにすることを可能にする。
【０３３４】
図３３及び３４を参照すると、図３１Ａ及び３２Ａのゴルフ用クラブヘッド１００の一つの実行形態が示されている。図３３及び３４のゴルフ用クラブヘッド１００において、補強材アセンブリ２６０は、一つの実行形態において、図３１Ａ及び３２Ａのゴルフ用クラブヘッド１００のものと同様に構成されている。例えば、図３３及び３４のゴルフ用クラブヘッド１００において、第１の壁２５２は、ゴルフ用クラブヘッドの本体１１０と一体成形された擁壁１８０であり、第２の壁２５０は、発泡体で作られた一方の壁１８９であり、第３の壁２５１は、発泡体で作られた他方の壁１８９であり、補強材２５４は、ポリマー材料の離散塊１７６である。図示されていないが、図３３及び３４のゴルフ用クラブヘッド１００の補強材アセンブリ２６０は、別の実行形態において、図３１Ｂ及び３２Ｂのゴルフ用クラブヘッド１００のものと同様に、ポリマー材料の離散塊１７６と、本体１１０の内面との間に発泡体で作られたベース１８７を有するように構成される。図３３及び３４のゴルフ用クラブヘッド１００はまた、フェース部１４２に形成された開口部１７２を含み、それを通して離散塊１７６のポリマー材料がそれぞれ加えられ、補強材アセンブリ２６０を形成する。各開口部１７２は、ポリマー材料を加えた後にプラグ１７９で塞がれる。いくつかの例において、ゴルフ用クラブヘッド１００は、図４６に示される位置のうちの任意の一つ又はそれ以上に開口部１７２及び対応するプラグ１７９を含み得る。具体例によれば、ゴルフ用クラブヘッド１００は、図４６に示される位置のうちの任意の二つ又はそれ以上に開口部１７２及び対応するプラグ１７９を含み得る。さらにいくつかの例において、ゴルフ用クラブヘッド１００は、図４６に示されている全ての位置に開口部１７２及び対応するプラグ１７９を含み得る。
【０３３５】
図５０を参照すると、ゴルフ用クラブヘッド１００のいくつかの例によれば、開口部１７２は、フェース部１４２を通って打撃フェース１４４から内面１４５まで延びる。開口部１７２は、具体例において雌ネジ１９３及びカウンターボア１９５を含む。カウンターボア１９５は、雌ネジ１９３と打撃フェース１４４との間に配置されている。カウンターボア１９５は、雌ネジ１９３の最大半径方向寸法よりも大きい半径方向寸法を有する。さらに、カウンターボア１９５は、打撃フェース１４４に対して深さＤＣＢを有する。プラグ１７９は、軸部１５９及びヘッド１６９を含む。軸部１５９は、開口部１７２の雌ネジ１９３と螺合するように構成された雄ネジ１６７を含む。ヘッド１６９は、雄ネジ１６７の最大半径方向寸法よりも大きい半径方向寸法を有する。さらに、図５１に示すように、雄ネジ１６７が雌ネジ１９３と螺合するときに、ヘッド１６９がカウンターボア１９５内に入れ子状に着座することができるように、ヘッド１６９の半径方向寸法は、カウンターボア１９５の半径方向寸法と等しいか、ちょうど小さい。さらに、ヘッド１６９は高さＨＨを有する。
【０３３６】
図５１を参照すると、プラグ１７９は、開口部１７２内に移動不能に固定され、保持されている。一般に、図５０及び５１のプラグ１７９は、雄ネジ１６７が雌ネジ１９３と螺合し、ヘッド１６９がカウンターボア１９５に対して完全に着座すると、開口部１７２内に移動不能に固定され、保持される。いくつかの例において、プラグ１７９と開口部１７２との間の確実な取り付けを促進するために、接着剤が雄ネジ１６７と雌ネジ１９３の間に塗布される。
【０３３７】
開口部１７２内に移動不能に固定され、保持されると、図５０及び５１に対応する例においてヘッド１６９の最外表面であるプラグ１７９の最外表面１５７が打撃フェース１４４と面一を確立する。面一性は、最外表面１５７が打撃フェース１４４から突出する距離Ｄ（例えば、図５２参照）又は打撃フェース１４４の下に陥没又は沈降する距離Ｄ（例えば、図５３参照）として定量化することができる。図５１において、最外表面１５７が打撃フェース１４４と完全に面一であるように距離Ｄはゼロである。しかしながら、いくつかの例において、最外表面１５７が打撃フェース１４４と完全に面一ではないように、距離Ｄはゼロより大きい。例えば、一つの実行形態において、プラグ１７９の最外表面１５７は、打撃フェース１４４から０．１５ミリメートル以下の距離Ｄだけ突出するか、又は０．１ミリメートル以下の距離Ｄだけ打撃フェースの表面の下に沈む。この範囲内の面一性を可能にすることは、インパクト時のゴルフボールとの潜在的に負の相互作用を減らすことによってゴルフ用クラブヘッドの性能の向上を促進する。
【０３３８】
一つの方法によれば、所望の面一性は、フェース部１４２が形成された後に、カウンターボア１９５の深さＤＣＢを決定することによって達成される。決定された深さＤＣＢに応答して、決定された深さＤＣＢに対応する所望のヘッド高さＨＨを有するプラグ１７９が、それぞれ異なるヘッド高さＨＨを有する複数のプラグ１７９から選択される。所望のヘッド高さＨＨを有するプラグ１７９を選択した後、それは開口部１７２内に移動不能に固定され、保持される。
【０３３９】
図５４を参照すると、いくつかの例において、プラグ１７９は補強材の一部を含む。一つの例において、補強材はポリマー材料の離散塊１７６であり、プラグ１７９は、ポリマー材料の一部で作られている。ポリマー材料は、ゴルフ用クラブヘッド１００内に離散塊１７６を形成するために開口部１７２を通して射出され、離散塊１７６を形成した後に開口部１７２を満たすことを可能にする。打撃フェース１４４との所望の面一性を得るために、一つの例において、プラグ１７９のポリマー材料は、もともと打撃フェース１４４から突出し、プラグ１７９が所望の面一性に達するまで表面仕上げ（例えば、研磨、研削、研磨、化学エッチングなど）することができる。
【０３４０】
図３５のゴルフ用クラブヘッド１００の補強材アセンブリ２６０は、独立した、専用の壁ではなく、第１の壁２５２を除いて図３１Ａ及び３２Ａのゴルフ用クラブヘッド１００のものと同様であり、本体１１０のソール部１１７に形成されたスロット１７０の最前の側壁を形成する。スロット１７０は、ヒール−トウ方向と平行な長手方向に延びる。スロット１７０は、本体の内部空洞１１３に対して閉じているように示されているが、いくつかの例において、スロット１７０は内部空洞１１３に対して開口していてもよい（例えば、図４０参照）。
【０３４１】
一つの例において、スロット１７０は、本体１１０のソール部１１７に隣接するフェース部１４２の全セクションの全長で延びる（例えば、図３６参照）。従って、第１の壁２５２はまた、本体１１０のソール部１１７に隣接するフェース部１４２の全セクションの全長にわたって延びる。しかしながら、補強材２５４は、本体１１０のソール部１１７に隣接するフェース部１４２の全セクションの全長よりも短い長さ方向に延びる。言い換えれば、第１の壁２５２の長さＬ５は、補強材２５４の長さＬ２よりもはるかに大きい。
【０３４２】
図示されていないが、図３５のゴルフ用クラブヘッド１００の補強材アセンブリ２６０の一つ又はそれ以上はさらに、図３１Ｂ及び３２Ｂのゴルフ用クラブヘッド１００の補強材アセンブリ２６０と同様に、補強材２５４と、本体１１０の内面との間に配置されたベース２５５を含む。いくつかの例において、図３５のゴルフ用クラブヘッド１００の補強材アセンブリ２６０の一つ又はそれ以上は、第２の壁２５０及び第３の壁２５１のうちの一つのみを含むか、全く含まないことも認識される。
【０３４３】
図３６及び３７を参照すると、図３５のゴルフ用クラブヘッド１００の一つの実行形態が示される。図３６及び３７のゴルフ用クラブヘッド１００において、第２の壁２５０は、発泡体で作られた一方の壁１８９であり、第３の壁２５１は、発泡体で作られた他方の壁１８９であり、補強材２５４はポリマー材料の離散塊１７６である。図３６及び３７のゴルフ用クラブヘッド１００はまた、フェース部１４２に形成された開口部１７２を含み、それを通して離散塊１７６のポリマー材料が、それぞれ加えられ、補強材アセンブリ２６０を形成する。各開口部１７２は、ポリマー材料を加えた後にプラグ１７９で塞がれる。
【０３４４】
図示されていないが、図３６及び３７のゴルフ用クラブヘッド１００の補強材アセンブリ２６０は、別の実行形態において、ポリマー材料の離散塊１７６と本体１１０の内面との間に、発泡体で作られたベース１８７を有するように、図３１Ｂ及び３２Ｂのゴルフ用クラブヘッド１００と同様に構成されている。
【０３４５】
図３１Ａ、３１Ｂ、３２Ａ、及び３２Ｂのゴルフ用クラブヘッド１００の補強材アセンブリ２６０は、フェース部１４２の中心（例えば、センターフェース）からオフセットされて示されている。従って、図３１Ａ、３１Ｂ、３２Ａ、及び３２Ｂのゴルフ用クラブヘッド１００の補強材２５４は、フェース部１４２の中心からオフセットされている。対照的に、又はそれに加えて、図３１Ｃに示すようないくつかの例において、補強材アセンブリ２６０をオフセットするために、ゴルフ用クラブヘッド１００の少なくとも一つの補強材アセンブリ２６０が、フェース部１４２の中心と整合されている（すなわち、クラブヘッド原点座標系１８５のｙ−ｚ平面に沿って配置されている）。そのような例において、対応する補強材アセンブリ２６０の補強材２５４もまた、フェース部１４２の中心と整合されている。補強材２５４の少なくとも一部が、ゴルフ用クラブヘッド原点座標系１８５のｘ軸座標がゼロであるとき、補強アセンブリ２６０及び補強材２５４は、フェース部１４２の中心と整合されているとみなされる。全ての例ではないが、図３１Ｃの例示された例において、ゴルフ用クラブヘッド１００は、ゴルフ用クラブヘッド１００の底部に、フェース部１４２の中心と整合された補強材アセンブリ２６０と、ゴルフ用クラブヘッド１００の頂部に、フェース部１４２の中心と整合された補強材アセンブリ２６０とを含む。
【０３４６】
図３８〜４３を参照すると、別の実施形態によれば、ゴルフ用クラブヘッド１００は、スロット４００と、スロット４００内に固定され、保持されたインサート４０６とを含む。スロット４００は、上記のスロット１７０と同様である。例えば、スロット４００は、本体１１０のソール部１１７に形成され、一般に、ヒール−トウ方向において縦方向に（例えば、長手方向に）延びる。さらに具体的に、スロット４００は、フェース部１４２と平行であり、フェース部１４２からオフセットされている。スロット４００の長さに沿って、スロット４００は、前壁４０２と後壁４０４との間に規定される。前壁４０２及び後壁４０４は、ソール部１１７から離れてゴルフ用クラブヘッド１００の内部空洞１１３内に実質的に直立して延びる。スロット４００は、本体１１０と一体成形され、本体１１０と同じ材料で作られている。図４０及び４１を参照すると、スロット４００は、いくつかの例において、本体１１０の内部空洞１１３に開口している。さらに具体的に、スロット４００は第１の開口端４２２及び第２の開口端４２４を含む。第１の開口端４２２は、底部開口端とみなすことができ、第２の開口端４２４は、頂部開口端とみなすことができる。
【０３４７】
インサート４０６は、本体１１０の形成とは別に形成される。インサート４０６は、スロット４００の形状を補完するように形成される。さらに具体的に、インサート４０６は、いくつかの例においてスロット４００に圧入されるように構成される。図４０及び４１に示すように、インサート４０６は、スロット４００の幅にわたるベース４０６を含む。スロット４００に挿入されると、ベース４０６はスロット４００を覆うか塞ぎ、スロット４００を介して内部空洞１１３にアクセスするのを防ぐ。ベース４０６から延びるものは、前側壁４１０及び後側壁４１２などの側壁である。インサート４０６はさらに、前側壁４１０と後側壁４１２との間に規定されたチャネル４０８を含む。チャネル４０８は、インサート４０６の全長Ｌ１を延び、これはスロット４００と実質的に同じ長さである。スロット４００の側壁は、スロット４００を貫通し、スロットの側面と係合してインサート４０６をスロット４００内に保持するのに役立つ。さらに、図４１Ｂに示すように、いくつかの例において、スロット４００内へのインサート４０６の固定保持を促進するために、接着剤又は接合材料４１６がインサート４０６の側壁と、スロット４００の側面との間に配置される。いくつかの例において、インサート４０６は、インサート４０６又はスロット４００を損傷することなくスロット４００から選択的に取り外し可能である。従って、そのような例において、取り外し後、インサート４０６をスロット４００内に再挿入することができる。
【０３４８】
図３８〜４３のゴルフ用クラブヘッド１００はさらに、インサート４０６のチャネル４０８内に固定され、保持された少なくとも一つの補強材４１４を含む。補強材４１４は、インサート４０６の前側壁４１０及び後側壁４１２に直接に結合されている。補強材４１４は、図３１Ａ及び３２Ａの補強材２５４と同様に構成することができる。例えば、補強材４１４は、上記のポリマー材料の離散塊１８９の硬度と同様の硬度を有するポリマー材料で作ることができる。いくつかの例において、補強材４１４は、インサート４０６又は補強材４１４を損傷することなく補強材４１４をチャネル４０８に挿入し、そこから取り外しできるように、チャネル４０８から選択的に取り外し可能である。従って、一つの例において、補強材４１４は、チャネル４０８内に圧入される。しかしながら、他の例において、補強材４１４は、接着剤などによってインサート４０６のチャネル４０８内に取り外し不可能に固定される。
【０３４９】
いくつかの例において、スロット４００は、第１の弾性係数を有する第１の材料で作られ、補強材４１４は、第２の弾性係数を有する第２の材料で作られ、インサート４０６は、第３の弾性係数を有する第３の材料で作られている。これらの例において、第２の弾性係数は、第３の弾性係数より高く第１の弾性係数より低い。第１の弾性係数、第２の弾性係数、及び第３の弾性係数の値の範囲は、上に列挙したものと同じであり得る。一つの例によれば、スロット４００は、鋼又はチタンなどの金属で作られ、インサート４０６はプラスチックで作られ、補強材４１４はアクリルで作られている。
【０３５０】
補強材４１４を有するインサート４０６がスロット４００に挿入されると、補強材４１４はゴルフ用クラブヘッド１００のＣＴに影響を及ぼす。補強材４１４は、フェース部１４２の内面１４５に直接に接触していないが、フェース部１４２に対する補強材４１４の近接、及びスロット４００の前壁４０２とインサート４０６の前側壁４１０を介した補強材４１４のフェース部１４２との間接的な結合は、フェース部１４２を硬化させるのに役立ち、従ってゴルフ用クラブヘッド１００のＣＴに影響を与える（例えば、減少する）。
【０３５１】
ゴルフ用クラブヘッド１００のＣＴに対する補強材４１４の効果を改善するのに役立つために、いくつかの例において、図４１Ｂに示すように、補強材４１４は、スロット４００を規定する前壁４０２及び後壁４０４に直接に結合されるように構成される。前壁４０２及び後壁４０４への補強材４１４の直接結合は、内面１４５と補強材４１４との間の距離Ｄ１を減少させ、補強材４１４をフェース部１４２により直接に結合させることによって、フェース部１４２に対する補強材４１４の補強効果を効果的に拡大する。補強材４１４は、補強材４１４の前部延出タブ４３４をインサート４０６の前側壁４１０に形成された前開口部４３０に通すこと、及び補強材４１４の後部延出タブ４３６をインサート４０６の後側壁４１２に形成された後開口部４３２に通すことによって、前壁４１０及び後壁４０４に直接に結合される。前部延出タブ４３４は、前壁４０２と直接に接触し、後部延出タブ４３６は、後壁４０４と直接に接触する。このように、補強材４１４は、前壁４０２及び後壁４０４に直接に結合されている。
【０３５２】
図４２を参照すると、補強材４１４の長さＬ２は、インサート４０６の長さＬ１未満であり、チャネル４０８の全長未満である。補強材４１４は、インサート４０６がスロット４００挿入されたときに、補強材４１４がフェース部１４２の中心のトウ側にあり、ヒール側にあり、又はそれと整合するように、チャネル４０８に沿って配置することができる。例えば、補強材４１４は、上記の補強材１５０の様々な位置のうちの任意配置することができる。ゴルフ用クラブヘッド１００は、図４２に示すように、インサート４０６のチャネル４０８内に固定して、保持された二つ以上の補強材４１４を有することができる。補強材４１４は、チャネル４０８の長さに沿って離間している。複数の補強材４１４は、互いに同じように構成されてもよい。あるいは、複数の補強材４１４は、例えば、異なる弾性率、異なる硬度、異なるサイズ、異なる形状などの材料で作られるなど、互いに異なるように構成されてもよい。異なる構成は、補強材４１４の対応する位置に依存し得る。例えば、フェース部１４２の中心からトウ側にオフセットした補強材４１４は、フェース部１４２の中心からヒール側の補強材４１４よりも高い弾性係数を有することができる。
【０３５３】
あるいは、図４３を参照すると、インサート４０６は、インサート４０６の長さＬ１及びチャネル４０８と実質的に等しい長さＬ２を有する単一の補強材４１４を含む。言い換えれば、補強材４１４は、チャネル４０８の長さ全体に沿って延びることができる。
【０３５４】
図３８〜４３のゴルフ用クラブヘッド１００のＣＴの調整方法の一つの例は、インサート４０６及び補強材４１４をスロット４００内に保持した状態で、ゴルフ用クラブヘッド１００のフェース部１４２上の第１のＣＴ測定値を測定することを含む。第１のＣＴ測定値が意図された目的のＣＴを満たさない場合、補強材４１４を有するインサート４０６がスロット４００から取り除かれる。
【０３５５】
一つの例において、インサート４０６を除去した後、既存の補強材４１４は除去され、より高い弾性係数を有する材料で作られているもの、又は同じ弾性係数を有するがより大きいサイズを有する材料で作られているものなどの新しい補強材４１４によって置き換えられる。新しい補強材４１４を有する同じインサート４０６が、スロット４００に再挿入される。そのような調整は、第１のＣＴ測定値が測定されたのと同じフェース部上の位置におけるゴルフ用クラブヘッドのＣＴに対する調整（例えば、減少）をもたらす。インサート４０６を再挿入した後に、別の測定を行なうことによって、調整されたＣＴを確認することができる。
【０３５６】
別の例において、インサート４０６を除去した後、取り除かれたインサート４０６の補強材４１４とは異なるように構成された補強材４１４を有する新しいインサート４０６が、取り除かれたインサート４０６の代わりにスロット４００挿入される。そのような調整は、第１のＣＴ測定値が測定されたのと同じフェース部上の位置におけるゴルフ用クラブヘッドのＣＴに対する調整（例えば、減少）をもたらす。新しいインサート４０６を挿入した後に、別の測定を行なうことによって、調整されたＣＴを確認することができる。
【０３５７】
ここで図４４及び４５を参照すると、別の例によれば、ゴルフ用クラブヘッド１００は、第１の壁２５２と、フェース部１４２の内面１４５との間に配置された第１の壁２５２及び補強材２５４を含む。ゴルフ用クラブヘッド１００はまた、本体１１０のソール部１１７に形成されたスロット４００を含む。スロット４００は、一般に、ヒール−トウ方向において縦方向に（例えば、長手方向に）延びる。さらに具体的に、スロット４００はフェース部１４２と平行である。スロット４００の長さに沿って、スロット４００は、前部１４２の内面１４５と擁壁２５２との間に直接に規定される。従って、図４４及び４５のゴルフ用クラブヘッド１００のスロット４００は、図４０のゴルフ用クラブヘッド１００のスロット４００のように、内面１４５から後方にオフセットされていない。むしろ、図４４及び４５のゴルフ用クラブヘッド１００のスロット４００は、内面１４５に隣接しており、これにより補強材２５４を内面１５４と直接に接触させることができる。内面１５４と直接に接触している補強材２５４は、ゴルフ用クラブヘッド１００のＣＴに対する補強材２５４の影響を拡大する。
【０３５８】
図４４及び４５の第１の壁２５２は、図３３及び３４の擁壁１８０と同様に、ソール部１１７から離れて、ゴルフ用クラブヘッド１００の内部空洞１１３内に実質的に直立して延びる擁壁として機能する。しかしながら、図４４及び４５のゴルフ用クラブヘッド１００の第１の壁２５２は、第１の壁２５２と、本体１１０のソール部１１７の内面との間に規定される鈍角θ１でフェース部１４２に向かって傾斜している。第１の壁２５２は、いくつかの実行形態における本体１１０と一体成形され、本体１１０と同じ材料で作られている。スロット４００は、いくつかの例において本体１１０の内部空洞１１３に開口している。さらに具体的に、スロット４００は、第１の開口端４２２及び第２の開口端４２４を含む。第１の開口端４２２は底部開口端とみなすことができ、第２の開口端４２４は頂部開口端とみなすことができる。
【０３５９】
図４４のゴルフ用クラブヘッド１００のスロット４００は、内面１４５により直接に規定されるので、補強材２５４は、第１の壁２５２と、フェース部１４２の内面１４５との間に挟まれる。一つの例において、補強材２５４は、第１の開口端４２２を通してスロット４００に挿入されている。補強材２５４が挿入されると、スロット４００の幅が狭くなり、傾斜した第１の壁２５２によって上方向において規定されるので、内面１４５と第１の壁２５２との間で補強材２５４の圧縮が徐々に増大する。補強材２５４の圧縮は、スロット４００内で補強材２５４の締まりばめを作り出し、それはゴルフ用クラブヘッド１００の使用中に補強材２５４をスロット４００内に保持する。いくつかの実行形態において、スロット４００内の補強材２５４の保持を促進するために、接着剤などの保持促進機能を加えることができる。代替的に又は追加的に、特定の実行形態において、補強材２５４を、スロット４００に挿入した後に補強材２４５をスロット４００内で膨張してスロット４００内での補強材２５４の保持を促進するように、膨張可能な状態（硬化前状態）でスロット４００内に挿入してもよい。
【０３６０】
図４４及び４５のゴルフ用クラブヘッドの補強材２５４は、第２の弾性係数を有する第２の材料で作られている。第２の弾性係数は、第１の壁２５２及びフェース部１４２の材料の第１の弾性係数未満である。いくつかの例において、第２の弾性係数は０．５ＧＰａ乃至３０．０ＧＰａである。他の例によれば、第２の弾性係数は１．０ＧＰａ乃至５．０ＧＰａである。図４５を参照すると、補強材２５４の長さは、スロット４００の全長未満である。補強材２５４は、補強材２５４がスロット４００に挿入されたときに補強材２５４がフェース部１４２のトウ方向にあり、ヒール方向にあり、又はその中心と整合するようにスロット４００に沿って配置することができる。例えば、補強材２５４は、上記の補強材１５０の様々な位置のいずれかに配置することができる。再び図４５を参照すると、ゴルフ用クラブヘッド１００は、スロット４００内に固定して、保持された二つ以上の補強材２５４を有することができる。補強材２５４は、チャネル４００の長さに沿って離間している。複数の補強材２５４は、互いに同じように構成されてもよい。あるいは、複数の補強材２５４は、例えば、異なる弾性係数、異なる硬度、異なるサイズ、異なる形状などの材料で作られるなど、互いに異なるように構成されてもよい。異なる構成は、補強材２５４の対応する位置に依存し得る。例えば、フェース部１４２の中心からトウ方向にオフセットした補強材２５４は、フェース部１４２の中心と整合された補強材２５４よりも高い弾性係数を有することができる。
【０３６１】
一つの例によれば、図４４及び４５のゴルフ用クラブヘッド１００のＣＴの調整方法は、スロット４００内に保持された補強材２５４を有するゴルフ用クラブヘッド１００のフェース部１４２上の第１のＣＴ測定値を測定することを含む。第１のＣＴ測定値が意図された目的のＣＴを満たさない場合、補強材２５４はスロット４００から取り外される。
【０３６２】
一つの例において、除去された補強材２５４は、より高い弾性係数、より高い硬度を有する材料で作られているもの、又は同じ弾性係数を有するがより大きなサイズを有する材料で作られているものなどの新しい補強材２５４に置き換えられる。言い換えれば、新しい補強材４１４は、取り除かれた補強材２５４の代わりにスロット４００に挿入される。そのような調整は、第１のＣＴ測定値が測定されたのとフェース部上の同じ位置においてゴルフ用クラブヘッドのＣＴに対する調整（例えば、減少）をもたらす。調整されたＣＴは、新しい補強材２５４が挿入された後に別の測定をすることによって確認することができる。別の例によれば、元の補強材２５４は、意図された目的のＣＴに合うようにＣＴを調整するためにスロット４００に沿って新しい場所に移動される。
【０３６３】
具体的には示されていないが、本開示のゴルフ用クラブヘッド１００は、ゴルフ用クラブヘッド１００の性能特性を促進するための他の機構を含み得る。例えば、ゴルフ用クラブヘッド１００は、いくつかの実行形態において、米国特許第６，７７３，３６０号；７，１６６，０４０号；７，４５２，２８５号；７，６２８，７０７号；７，１８６，１９０号；７，５９１，７３８号；７，９６３，８６１号；７，６２１，８２３号；７，４４８，９６３号；７，５６８，９８５号；７，５７８，７５３号；７，７１７，８０４号；７，７１７，８０５号；７，５３０，９０４号；７，５４０，８１１号；７，４０７，４４７号；７，６３２，１９４号；７，８４６，０４１号；７，４１９，４４１号；７，７１３，１４２号；７，７４４，４８４号；７，２２３，１８０号；７，４１０，４２５号；及び７，４１０，４２６号にさらに詳細に記載されているものと同様の可動重り機構を含み、それぞれの全ての内容は、その全体が参照により本明細書に組み込まれる。
【０３６４】
特定の実行形態において、例えば、ゴルフ用クラブヘッド１００は、米国特許第７，７７５，９０５号及び８，４４４，５０５号；２０１３年５月２０日に出願された米国特許出願第１３／８９８，３１３号；２０１３年１０月７日に出願された米国特許出願第１４／０４７，８８０号；２０１２年９月１８日に出願された米国特許出願第６１／７０２，６６７号；２０１３年３月１５日に出願された米国特許出願第１３／８４１，３２５号；２０１３年７月１９日に出願された米国特許出願第１３／９４６，９１８号；２０１５年７月１日に出願された米国特許出願第１４／７８９，８３８号；２０１４年７月３日に出願された米国特許出願第６２／０２０，９７２号；２０１４年１０月１７日に出願された特許出願第６２／０６５，５５２号；及び２０１５年３月３１日に出願された特許出願第６２／１４１，１６０号にさらに詳細に記載されているものと同様のスライド可能な重り 機構を含み、それぞれの全ての内容は、その全体が参照により本明細書に組み込まれる。
【０３６５】
いくつかの実行形態によれば、ゴルフ用クラブヘッド１００は、米国特許出願公開第２０１３／０１２３０４０Ａ１号にさらに詳細に記載されているものと同様の空気力学形状機構を含み、その全ての内容は、その全体が参照により本明細書に組み込まれる。
【０３６６】
特定の実行形態において、ゴルフ用クラブヘッド１００は、米国特許第８，３０３，４３１号にさらに詳細に記載されているものと同様の取り外し可能なシャフト機構を含み、その内容は、その全体が参照により本明細書に組み込まれる。
【０３６７】
さらにいくつかの実行形態によれば、ゴルフ用クラブヘッド１００は、米国特許第８，０２５，５８７号；米国特許第８，２３５，８３１号；米国特許第８，３３７，３１９号；米国特許出願公開第２０１１／０３１２４３７Ａ１号；米国特許出願公開第２０１２／０２５８８１８Ａ１号；米国特許出願公開第２０１２／０１２２６０１Ａ１号；米国特許出願公開第２０１２／００７１２６４Ａ１号；及び米国特許出願第１３／６８６，６７７号にさらに詳細に記載されているものと同様の調整可能なロフト／ライ機構を含み、その全体の内容は、その全体が参照により本明細書に組み込まれる。
【０３６８】
さらに、いくつかの実行形態において、ゴルフ用クラブヘッド１００は、米国特許第８，３３７，３１９号；米国特許出願公開第２０１１／０１５２０００Ａ１号，２０１１／０３１２４３７号，２０１２／０１２２６０１Ａ１号；及び米国特許出願第１３／６８６，６７７号にさらに詳細に記載されているものと同様の調整可能なソール機構を含み、それぞれの全体の内容は、その全体が参照により本明細書に組み込まれる。
【０３６９】
いくつかの実行形態において、ゴルフ用クラブヘッド１００は、全体が参照により本明細書に組み込まれる、特許出願第１１／９９８，４３５号；１１／６４２，３１０号；１１／８２５，１３８号；１１／８２３，６３８号；１２／００４，３８６号；１２／００４，３８７号；１１／９６０，６０９号；１１／９６０，６１０号；及び米国特許第７，２６７，６２０号にさらに詳細に記載されているものと同様の複合フェース部機構を含む。
【０３７０】
いくつかの例において、ゴルフ用クラブヘッドは、本体の内部空洞内に配置され、ヘッド原点ｙ軸に沿って測定したときに、少なくとも１ｍｍで２０ｍｍ以下だけフェース部の内面からオフセットされた複数の補強材を含む。複数の補強材は、クラウン部の内面とソール部の内面との間に延びる細長い補強部材である。例えば、複数の補強材は、２０１５年９月１５日に出願された米国特許出願第１４／８５５，１９０号に示され記載されている補強部材と同じ、又は同様であり、ブレースバーは、２０１７年１２月２９日に出願された米国特許出願第１５／８５９，２９７号に示され記載され、補強チューブは、２０１７年１０月２４日に発行された米国特許第９，７９５，８４０号に示され記載され、これらは全て、その全体が参照により本明細書に組み込まれる。
【０３７１】
ゴルフ用クラブヘッドの製造完了後にＣＴを調整する能力を含む本明細書に記載されているゴルフ用クラブヘッドの機構は、打撃フェースのより広い表面領域にわたって、特に中心領域内で、従来のゴルフ用クラブヘッドよりも高いＣＴ値を促進する。例えば、図４７及び４８のグラフ５００及び５１０は、従来のゴルフ用クラブヘッドと比較して、本明細書に記載されているゴルフ用クラブヘッドの二つの異なる実行形態の打撃フェースの中心領域内で比較的より高いＣＴ値を示す。打撃フェースの中心領域は、打撃フェースの中心を中心とし、ヒール−トウ方向に細長い４０ミリメートル×２０ミリメートルの矩形領域によって規定される。グラフ５００及びグラフ５１０に示すように、中心領域内において、本明細書に記載されているゴルフ用クラブヘッドの打撃フェースは、２５７マイクロ秒以下の特性時間（ＣＴ）を有する。さらに、グラフ５００及びグラフ５１０によって例示されるものなどの、本明細書に記載されているゴルフ用クラブヘッドの少なくとも一つの例の中心領域内において、打撃フェースの６０％以上は少なくとも２３５マイクロ秒のＣＴを有する。さらに、グラフ５００及びグラフ５１０によって例示されるものなどの、本明細書に記載されているゴルフ用クラブヘッドの少なくとも一つの例の中心領域内において、打撃フェースの３５％、６０％、又は７０％以上は少なくとも２４０マイクロ秒のＣＴを有する。さらに、グラフ５００及びグラフ５１０によって例示されるものなどの、本明細書に記載されているゴルフ用クラブヘッドの少なくとも一つの例の中心領域内において、打撃フェースの４０％又は５０％以上は、少なくとも２４５マイクロ秒のＣＴを有する。また、グラフ５００及びグラフ５１０によって例示されるものなどの、本明細書に記載されているゴルフ用クラブヘッドの少なくとも一つの例の中心領域内において、打撃フェースの１０％又は１５％以上は、少なくとも２５０マイクロ秒のＣＴを有する。
【０３７２】
さらに、グラフ５００及びグラフ５１０によって例示されるものなどの、本明細書に記載されているゴルフ用クラブヘッドの少なくとも一つの例において、打撃フェースの２０％以上は、少なくとも２４５マイクロ秒のＣＴを有する。さらに、グラフ５００及びグラフ５１０によって例示されるものなどの、本明細書に記載されているゴルフ用クラブヘッドの少なくとも一つの例によれば、打撃フェースの中心から少なくとも５ミリメートル内の打撃フェース上の任意の位置におけるＣＴは、２４０マイクロ秒よりも大きい。図４９のグラフ５２０を参照すると、本明細書に記載されているゴルフ用クラブヘッドの少なくとも一つの例によれば、打撃フェースのＣＴは、打撃フェースの中心を通る打撃フェース上の水平経路に沿って、打撃フェースの中心からトウ方向で少なくとも３０ミリメートルの距離でピークに達する。
【０３７３】
本明細書に記載されているゴルフ用クラブヘッドの少なくとも一つの例によれば、中心領域内において、打撃フェースの２５％以上は、少なくとも０．８の反発係数（ＣＯＲ）を有する。少なくとも一つの例において、打撃フェースの５０％以上は、中心領域内において、少なくとも０．８の反発係数（ＣＯＲ）を有する。さらに別の例によれば、打撃フェースの５５％以上は、中心領域内において、少なくとも０．８の反発係数（ＣＯＲ）を有する。
【０３７４】
一つの実施形態において、ゴルフ用クラブヘッド１００などのゴルフ用クラブヘッドの製造方法は、以下の工程のうちの一つ又はそれ以上を含む。（１）ソール開口部を有するフレームを形成し、ソールインサート上に熱可塑性複合ヘッド部品を射出成形してソールインサートユニットを形成し、ソールインサートユニットをフレームに接合すること；（２）一つ又はそれ以上のスライド可能な重りを支持可能な重りトラックである複合ヘッド部品を提供すること；（３）重りトラックとの結合に適するマトリックスを有する熱可塑性複合材料からソールインサートを形成すること；（４）ガラス繊維、アラミド繊維、炭素繊維及びそれらの任意の組み合わせからなる群から選択される連続繊維を有し、ポリフェニレンスルフィド（ＰＰＳ）、ポリアミド、ポリプロピレン、熱可塑性ポリウレタン、熱可塑性ポリウレア、ポリアミド−アミド（ＰＡＩ）、ポリエーテルアミド（ＰＥＩ）、ポリエーテルエーテルケトン（ＰＥＥＫ）、及びそれらの任意の組み合わせからなる熱可塑性マトリックスを有する連続繊維複合材料からソールインサートを形成すること；（５）相溶性マトリックスを有する熱可塑性複合材料からソールインサート及び 重りトラックの両方を形成すること；（６）熱硬化性材料からソールインサートを形成し、ソールインサートを熱活性化接着剤でコーティングし、コーティング工程の後、ソールインサート上に射出可能な熱可塑性材料から重りトラックを形成すること；（７）チタン、一つ又はそれ以上のチタン合金、アルミニウム、一つ又はそれ以上のアルミニウム合金、鋼、一つ又はそれ以上の鋼合金、及びそれらの任意の組み合わせからなる群から選択される材料からフレームを形成すること；（８）クラウン開口部を有するフレームを形成し、複合積層材料からクラウンインサートを形成し、クラウンインサートがクラウン開口部を覆うように、クラウンインサートをフレームに接合すること；（９）ゴルフ用クラブヘッドを強化するための一つ又はそれ以上のリブ、ゴルフ用クラブヘッドの一つ又はそれ以上の音響特性を調整するためのリブ、ゴルフ用クラブヘッドのソール部に固定された重りを受けるための一つ又はそれ以上の重りポート、スライド可能な重りを受けるための一つ又はそれ以上の重りトラック、及びそれらの組み合わせからなる群から複合ヘッド部品を選択すること；（１０）連続炭素繊維複合材料からソールインサート及びクラウンインサートを形成すること；（１１）熱硬化に適した材料を用いて熱硬化によりソールインサート及びクラウンインサートを形成し、熱活性化接着剤を用いてソールインサートをコーティングすること；（１２）ポリフェニレンスルフィド（ＰＰＳ）、ポリアミド、ポリプロピレン、熱可塑性ポリウレタン、熱可塑性ポリウレア、ポリアミド−アミド（ＰＡＩ）、ポリエーテルアミド（ＰＥＩ）、ポリエーテルエーテルケトン（ＰＥＥＫ）、及びそれらの任意の組み合わせからなる群から選択されるマトリックスを有する熱可塑性炭素繊維材料からクラウン開口部、ソールインサート、及び重りトラックを有するように、チタン、チタン合金又はそれらの組み合わせからフレームを形成すること；及び（１３）クラウン開口部を有するフレーム��形成し、熱可塑性複合材料からクラウンインサートを形成し、クラウンインサートがクラウン開口部を覆うようにクラウンインサートをフレームに接合すること。
【０３７５】
本明細書に記載されている実施形態のための例示的なポリマーは、合成及び天然ゴム、熱硬化性ポリウレタン又は熱硬化性ポリウレアなどの熱硬化性ポリマー、及び熱可塑性ポリウレタン；熱可塑性ポリウレア；メタロセン触媒ポリマー；ユニモーダルエチレン／カルボン酸コポリマー；ユニモーダルエチレン／カルボン酸／カルボン酸ターポリマー；バイモーダルエチレン／カルボン酸コポリマー；バイモーダルエチレン／カルボン酸／カルボン酸ターポリマー；ポリアミド（ＰＡ）；ポリケトン（ＰＫ）；コポリマアミド；ポリエステル；コポリエステル；ポリカーボネート；ポリフェニレンスルフィド（ＰＰＳ）；環状オレフィンコポリマー（ＣＯＣ）；ポリオレフィン；ハロゲン化ポリオレフィン［例えば、塩素化ポリエチレン（ＣＰＥ）］；ハロゲン化ポリアルキレン化合物；ポリアルケナマー；ポリフェニレンオキシド；ポリフェニレンスルフィド；ジアリルフタレートポリマー；ポリイミド；ポリ塩化ビニル；ポリアミド−イオノマー；ポリウレタンイオノマー；ポリビニルアルコール；ポリアリレート；ポリアクリレート；ポリフェニレンエーテル；耐衝撃性改質のポリフェニレンエーテル；ポリスチレン；耐衝撃性ポリスチレン；アクリロニトリル−ブタジエン−スチレンコポリマー；スチレン−アクリロニトリル（ＳＡＮ）；アクリロニトリル−スチレン−アクリロニトリル；スチレン−無水マレイン酸（Ｓ／ＭＡ）ポリマー、スチレン−ブタジエン−スチレン（ＳＢＳ）；スチレン−エチレン−ブチレン−スチレン；（ＳＥＢＳ）及びスチレン−エチレン−プロピレン−スチレン（ＳＥＰＳ）を含むスチレン系ブロックコポリマー；スチレン系ターポリマー；水酸化、官能化スチレン系コポリマー、及びターポリマーを含む官能化スチレン系ブロックコポリマー；セルロース系ポリマー；液晶ポリマー（ＬＣＰ）；エチレン−プロピレン−ジエンターポリマー（ＥＰＤＭ）；エチレン−酢酸ビニルコポリマー（ＥＶＡ）；エチレン−プロピレンコポリマー；プロピレンエラストマー（その内容全体が参照により本明細書に組み込まれる、Ｋｉｍらの米国特許第６，５２５，１５７号に記載されているものなど）；エチレン酢酸ビニル；ポリウレア；及びポリシロキサンなどの熱可塑性エラストマーを含む熱可塑性ポリマー、並びにそれらいずれか及び全ての組み合わせを含むが、これらに限定されない。
【０３７６】
これらのうちポリアミド（ＰＡ）、ポリフタルイミド（ＰＰＡ）、ポリケトン（ＰＫ）、コポリマアミド、ポリエステル、コポリエステル、ポリカーボネート、ポリフェニレンスルフィド（ＰＰＳ）、環状オレフィンコポリマー（ＣＯＣ）、ポリフェニレンオキシド、ジアリルフタレートポリマー、ポリアリレート、ポリアクリレート、ポリフェニレンエーテル、及び耐衝撃性改質のポリフェニレンエーテルが好ましい。本発明のゴルフ用クラブヘッドに使用するのに特に好ましいポリマーは、それらの靭性及び高温での安定性について知られている、いわゆる高性能エンジニアリング熱可塑性物質のファミリーである。これらのポリマーは、ポリスルホン、ポリエーテルイピド、及びポリアミド−イミドを含む。これらのうち、最も好ましいのはポリスルホンである。
【０３７７】
芳香族ポリスルホンは、４，４’−ジクロロジフェニルスルホンとそれ自体又は一種又はそれ以上の二価フェノールとの縮合重合から製造されるポリマーのファミリーである。芳香族ポリスルホンは、ポリエーテルスルホンとも呼ばれる熱可塑性物質を含み、それらの繰り返し単位の一般構造は、−アリーレン−ＳＯ２−アリーレン−として表すことができるジアリールスルホン構造を有する。これらの単位は、熱的に安定な熱可塑性ポリマーを形成するように、炭素−炭素結合、炭素−酸素−炭素結合、炭素−硫黄−炭素結合、又は短いアルキレン結合を介して互いに結合していてもよい。このファミリーのポリマーは完全に非晶質で、高いガラス転移温度を示し、高温でも高い強度と剛性特性を提供するため、要求の厳しいエンジニアリング用途に有用である。ポリマーはまた、良好な延性及び靭性を有し、そしてそれらの完全に非晶質の性質のためにそれらの天然状態において透明である。その他の重要な特性は、熱水／水蒸気による加水分解に対する耐性、酸や塩基に対する優れた耐性を含む。ポリスルホンは完全に熱可塑性であり、射出成形、押出し、及び熱成形などのほとんどの標準的な方法による製造を可能にする。それらはまた、幅広い高温工学用途を享受する。
【０３７８】
三つの商業的に重要なポリスルホンは、ａ）ポリスルホン（ＰＳＵ）；ｂ）ポリエーテルスルホン（ＰＥＳはＰＥＳＵとも呼ばれる）；及びｃ）ポリフェニレンスルホン化剤（ＰＰＳＵ）である。
【０３７９】
特に重要かつ好ましい芳香族ポリスルホンは、構造−Ｃ６Ｈ４ＳＯ２−Ｃ６Ｈ４−Ｏ−（式中、Ｃ６Ｈ４はｍ−又はｐ−フェニレン構造を表す）の繰り返し単位からなるものであるポリマー鎖はまた、−Ｃ６Ｈ４−、Ｃ６Ｈ４−Ｏ−、−Ｃ６Ｈ４−（低級アルキレン）−Ｃ６Ｈ４−Ｏ−、−Ｃ６Ｈ４−Ｏ−Ｃ６Ｈ４−Ｏ−、−Ｃ６Ｈ４−Ｓ−Ｃ６Ｈ４−Ｏ−などの繰り返し単位、及びエンジニアリング熱可塑性物質の分野で知られている他の熱的に安定な実質的に芳香族の二官能基を含むことができる。個々の芳香環には、
【０３８０】
【化１】
2019130294.tif 000003
を含む一つ又はそれ以上の置換基でさらに置換されている、いわゆる変性ポリスルホンも含まれる。
【０３８１】
式中、Ｒはそれぞれ独立に、水素原子、ハロゲン原子又は炭化水素基、若しくはそれらの組み合わせである。ハロゲン原子は、フッ素、塩素、臭素及びヨウ素原子を含む。炭化水素基は、例えば、Ｃ１−Ｃ２０アルキル基、Ｃ２−Ｃ２０アルケニル基、Ｃ３−Ｃ２０シクロアルキル基、Ｃ３−Ｃ２０シクロアルケニル基、及びＣ６−Ｃ２０芳香族炭化水素基を含む。これらの炭化水素基は、ハロゲン原子によって部分的に置換されていてもよく、ハロゲン原子以外の極性基によって部分的に置換されていてもよい。Ｃ１−Ｃ２０のアルキル基の具体例としては、上記のメチル基、エチル基、プロピル基、イソプロピル基、アミル基、ヘキシル基、オクチル基、デシル基及びドデシル基を挙げることができる。Ｃ２−Ｃ２０のアルケニル基の具体例としては、上記のプロペニル基、イソプロペピル基、ブテニル基、イソブテニル基、ペンテニル基及びヘキセニル基を挙げることができる。Ｃ３−Ｃ２０のシクロアルキル基の具体例としては、上記のシクロペンチル基及びシクロヘキシル基を挙げることができる。Ｃ３−Ｃ２０のシクロアルケニルの基具体例としては、上記のシクロペンテニル基及びシクロヘキセニル基を挙げることができる。芳香族炭化水素基の具体例としては、上記のフェニル基及びナフチル基又はそれらの組み合わせを挙げることができる。
【０３８２】
個々の好ましいポリマーは、（ａ）塩基の存在下でビスフェノールＡと４，４’−ジクロロジフェニルスルホンとの縮合重合によって製造され、主な繰り返し構造
【０３８３】
【化２】
2019130294.tif 000004
及び略語ＰＳＦを有し、商品名Udel（登録商標）、Ultrason（登録商標）S、Eviva（登録商標）、RTP PSUとして販売されているポリスルホン；（ｂ）塩基の存在下で４，４’−ジヒドロキシジフェニルと４，４’−ジクロロジフェニルスルホンとの縮合重合によって製造され、主な繰り返し構造
【０３８４】
【化３】
2019130294.tif 000005
及び略語ＰＰＳＦを有し、商品名RADEL（登録商標）樹脂として販売されているポリスルホン；及び（ｃ）
塩基の存在下で４，４’−ジクロロジフェニルスルホンから製造され、そして主繰り返し構造
【０３８５】
【化４】
2019130294.tif 000006
及び略語ＰＰＳＦを有し、そして時に「ポリエーテルスルホン」と呼ばれ、Ultrason（登録商標）E、LNP（登録商標）、Veradel（登録商標）PESU、Sumikaexce、及びVICTREX（登録商標）樹脂の商品名で販売されている縮合ポリマー、並びにそれらいずれか及び全ての組み合わせを含む。
【０３８６】
いくつかの実施形態において、繊維材料（例えば、グラファイト、又はターボ層状若しくはグラファイト状炭素繊維を含む炭素繊維、又はグラファイト部分とターボ層状部分の両方が存在するハイブリッド構造）の複数の層又は層を含む複合材料で作られた、炭素複合材料などの複合材料。メタルウッドゴルフ用クラブに使用するためのこれらの複合材料のいくつか及びそれらの製造手順の例は、米国特許出願第１０／４４２，３４８号（現在は米国特許第７，２６７，６２０号），１０／８３１，４９６号（現在は米国特許第７，１４０，９７４号），１１／６４２，３１０号，１１／８２５，１３８号，１１／９９８，４３６号，１１／８９５，１９５号，１１／８２３，６３８号，１２／００４，３８６号，１２，００４，３８７号，１１／９６０，６０９号，１１／９６０，６１０号，及び１２／１５６，９４７号に記載され、これらは、その全体が参照により本明細書に組み込まれる。複合材料は、少なくともその全体の内容は参照により本明細書に組み込まれる米国特許出願第１１／８２５，１３８号に記載されている方法に従って製造することができる。
【０３８７】
あるいは、先に言及した短繊維又は長繊維強化配合物を使用することができる。例示的な配合物は、ナイロン６／６ポリアミド配合物を含み、これは３０％の炭素繊維が充填され、ＲＴＰカンパニーからＲＴＰ２８５の商品名で市販されている。この材料は、ＡＳＴＭ  Ｄ  ６３８によって測定された３５０００ｐｓｉ（２４１ＭＰａ）の引張強さ；ＡＳＴＭ  Ｄ  ６３８によって測定された２．０−３．０％の引張伸び；ＡＳＴＭ  Ｄ  ６３８によって測定された３．３０ｘ１０６ｐｓｉ（２２７５４ＭＰａ）の引張弾性率；ＡＳＴＭ  Ｄ  ７９０によって測定された５００００ｐｓｉ（３４５ＭＰａ）の曲げ強さ；及びＡＳＴＭ  Ｄ  ７９０によって測定された２．６０ｘ１０６ｐｓｉ（１７９２７ＭＰａ）の曲げ弾性率を有する。
【０３８８】
他の材料はまた、４０％の炭素繊維が充填され、ＲＴＰカンパニーからＲＴＰ４０８７ＵＰの商品名で市販されているポリフタルアミド（ＰＰＡ）配合物を含む。この材料は、ＩＳＯ  ５２７によって測定された３６０ＭＰａの引張強さ；ＩＳＯ  ５２７によって測定された１．４％の引張伸び；ＩＳＯ  ５２７によって測定された４１５００ＭＰａの引張弾性率；ＩＳＯ  １７８によって測定された５８０ＭＰａの曲げ強さ；及びＩＳＯ  １７８によって測定された３４５００ＭＰａの曲げ弾性率を有する。
【０３８９】
さらに他の材料は、３０％の炭素繊維が充填され、ＲＴＰカンパニーからＲＴＰ１３８５ＵＰの商品名で市販されているポリフェニレンスルフィド（ＰＰＳ）配合物を含む。この材料は、ＩＳＯ  ５２７によって測定された２５５ＭＰａの引張強さ；ＩＳＯ  ５２７によって測定された１．３％の引張伸び；ＩＳＯ  ５２７によって測定された２８５００ＭＰａの引張弾性率；ＩＳＯ  １７８によって測定された３８５ＭＰａの曲げ強さ；及びＩＳＯ  １７８によって測定された２３，０００ＭＰａの曲げ弾性率を有する。
【０３９０】
特に好ましい材料は、２０％の炭素繊維が充填され、ＲＴＰカンパニーからＲＴＰ９８３の商品名で市販されているポリスルホン（ＰＳＵ）配合物を含む。この材料は、ＩＳＯ  ５２７によって測定された１２４ＭＰａの引張強さ；ＩＳＯ  ５２７によって測定された２％の引張伸び；ＩＳＯ  ５２７によって測定された１１０３２ＭＰａの引張弾性率；ＩＳＯ  １７８によって測定された１８６ＭＰａの曲げ強さ；及びＩＳＯ  １７８によって測定された９６５３ＭＰａの曲げ弾性率を有する。
【０３９１】
また、好ましい材料は、３０％の炭素繊維が充填され、ＲＴＰカンパニーからＲＴＰ９８５の商品名で市販されているポリスルホン（ＰＳＵ）配合物を含み得る。この材料は、ＩＳＯ  ５２７によって測定された１３８ＭＰａの引張強さ；ＩＳＯ  ５２７によって測定された１．２％の引張伸び；ＩＳＯ  ５２７によって測定された２０６８５ＭＰａの引張弾性率；ＩＳＯ  １７８によって測定された１９３ＭＰａの曲げ強さ；及びＩＳＯ  １７８によって測定された１２４１１ＭＰａの曲げ弾性率を有する。
【０３９２】
さらに好ましい材料は、４０％の炭素繊維が充填され、ＲＴＰカンパニーからＲＴＰ９８７の商品名で市販されているポリスルホン（ＰＳＵ）配合物を含む。この材料は、ＩＳＯ  ５２７によって測定された１５５ＭＰａの引張強さ；ＩＳＯ  ５２７によって測定された１％の引張伸び；ＩＳＯ  ５２７によって測定された２４１３２ＭＰａの引張弾性率；ＩＳＯ  １７８によって測定された２４１ＭＰａの曲げ強さ；及びＩＳＯ  １７８によって測定された１９３０６ＭＰａの曲げ弾性率を有する。
【０３９３】
本明細書を通して、「一つの実施形態」、「実施形態」、又は同様の言葉は、その実施形態に関して記載した特定の機構、構造、又は特性が、本開示の少なくとも一つの実施形態に含まれることを意味する。本明細書を通して、「一つの実施形態において、」、「実施形態において、」及び類似の表現の出現は、必ずしもそうとは限らないが、全て同じ実施形態を指すことがある。同様に、「実行形態」という用語の使用は、本開示の一つ又はそれ以上の実施形態に関連して記載された特定の機構、構造、又は特性を有する実装を意味するが、そうでないことを示す明示的な相関がない場合、実行形態は一つ又はそれ以上の実施形態と関連付けられ得る。
【０３９４】
上記の説明において、「上」、「下」、「上方」、「下方」、「水平」、「垂直」、「左」、「右」、「上」、「下」などの特定の用語を使用することがある。該当する場合、これらの用語は、相対関係を扱うときに説明を明確にするために使用される。しかし、これらの用語は、絶対的な関係、立場、及び／又は向きを暗示することを意図していない。例えば、物体に関しては、「上」の面は単にその物体を返すことによって「下」の面になることができる。それにも関わらず、それはまだ同じ目的である。さらに、用語「含有する」、「含む」、「有する」、及びそれらの変形は、特に明記しない限り、「含むがこれらに限定されない」を意味する。列挙された項目のリストは、他に明示的に指定されていない限り、項目の一部又は全部が相互に排他的及び／又は相互に包含的であることを意味するものではない。用語「a」、「an」、及び「the」は、他に明示的に指定されていない限り、「一つ又はそれ以上」も指す。さらに、用語「複数」は、「少なくとも二つ」として定義することができる。いくつかの実施形態における「約」という用語は、所与の値の＋／−５％以内を意味すると定義することができる。
【０３９５】
さらに、一つの要素が別の要素に「結合」されている本明細書の例は、直接的及び間接的な結合を含み得る。直接結合は、ある要素が別の要素と結合しており、かつ他の要素と接触していると定義することができる。間接結合は、互いに直接に接触しているのではなく、結合された要素間に一つ又はそれ以上の追加の要素を有する二つの要素間の結合として定義することができる。さらに、本明細書で使用されるとき、ある要素を別の要素に固定することは、直接固定及び間接固定を含むことができる。さらに、本明細書で使用されるとき、「隣接する」は必ずしも接触を意味するわけではない。例えば、ある要素は、その要素と接触していなくても別の要素に隣接することができる。
【０３９６】
本明細書で使用されるとき、表現「少なくとも一つの」は、項目のリストとともに使用されるとき、リストされた項目のうちの一つ又はそれ以上の異なる組み合わせが使用され得ることを意味する。項目は、特定のオブジェクト、モノ、又はカテゴリである。言い換えれば、「のうちの少なくとも一つ」は、項目の任意の組み合わせ又は項目の数をリストから使用することができることを意味するが、リスト内の項目の全てが必要とされるわけではない。例えば、「項目Ａ、項目Ｂ、及び項目Ｃのうちの少なくとも一つ」は、項目Ａ；項目Ａ及び項目Ｂ；項目Ｂ；項目Ａ、項目Ｂ、及び項目Ｃ；又は項目Ｂ及び項目Ｃを意味し得る。いくつかの場合において、「項目Ａ、項目Ｂ、及び項目Ｃのうちの少なくとも一つ」は、例えば、項目Ａのうちの二つ、項目Ｂのうちの一つ、及び項目Ｃのうちの十；項目Ｂのうちの四つ及び項目Ｃのうちの七つ、又は他の適切な組み合わせを意味し得るが、これらに限定されない。
【０３９７】
特に指示のない限り、「第１」、「第２」などの用語は単にラベルとして本明細書に使用されており、これらの用語が参照する項目に順序、位置、又は階層の要件を課すことを意図しない。さらに、例えば「第２」の項目への言及は、例えば「第１」又はそれより小さい番号の項目、及び／又は例えば「第３」又はそれより大きい番号の項目の存在を必要とせず又は排除もしない。
【０３９８】
本明細書では、特定の機能を実行するように「構成された」システム、装置、構造、物品、要素、構成要素、又はハードウェアは、さらなる変更後に特定の機能を実行する可能性を単に有するのではなく、変更なしに特定の機能を実行することができる。言い換えれば、特定の機能を実行するように構成されたシステム、装置、構造、物品、要素、構成要素、又はハードウェアは、特定の機能を実行する目的で、具体的に選択、作製、実施、利用、プログラム、及び／又は設計される。本明細書では、「構成された」は、システム、装置、構造、物品、要素、構成要素、又はハードウェアが既存の特性を示し、システム、装置、構造、物品、要素、構成要素、又はハードウェアがさらなる変更なしに特定の機能を実行できるようにする。本開示の目的のために、特定の機能を「実行する」ように記載されているシステム、装置、構造、物品、要素、構成要素、又はハードウェアは、追加的又は代替的に、その機能を実行するように「適合」及び／又は「動作」していると記載される。
【０３９９】
本主題は、その精神又は本質的な特徴から逸脱することなく他の特定の形態で具体化することができる。説明した実施形態は、あらゆる点で例示的なものにすぎず、限定的なものではないと考えるべきである。特許請求の範囲の均等物の意味及び範囲内にある全ての変更は、それらの範囲内に包含されるべきである。
【図１】
2019130294.tif 000007
【図２】
2019130294.tif 000008
【図３】
2019130294.tif 000009
【図４】
2019130294.tif 000010
【図５】
2019130294.tif 000011
【図６】
2019130294.tif 000012
【図７】
2019130294.tif 000013
【図８】
2019130294.tif 000014
【図９】
2019130294.tif 000015
【図１０】
2019130294.tif 000016
【図１１】
2019130294.tif 000017
【図１２】
2019130294.tif 000018
【図１３】
2019130294.tif 000019
【図１４】
2019130294.tif 000020
【図１５】
2019130294.tif 000021
【図１６】
2019130294.tif 000022
【図１７】
2019130294.tif 000023
【図１８】
2019130294.tif 000024
【図１９】
2019130294.tif 000025
【図２０】
2019130294.tif 000026
【図２１】
2019130294.tif 000027
【図２２】
2019130294.tif 000028
【図２３】
2019130294.tif 000029
【図２４】
2019130294.tif 000030
【図２５】
2019130294.tif 000031
【図２６】
2019130294.tif 000032
【図２７】
2019130294.tif 000033
【図２８】
2019130294.tif 000034
【図２９】
2019130294.tif 000035
【図３０】
2019130294.tif 000036
【図３１Ａ】
2019130294.tif 000037
【図３１Ｂ】
2019130294.tif 000038
【図３１Ｃ】
2019130294.tif 000039
【図３２Ａ】
2019130294.tif 000040
【図３２Ｂ】
2019130294.tif 000041
【図３３】
2019130294.tif 000042
【図３４】
2019130294.tif 000043
【図３５】
2019130294.tif 000044
【図３６】
2019130294.tif 000045
【図３７】
2019130294.tif 000046
【図３８】
2019130294.tif 000047
【図３９】
2019130294.tif 000048
【図４０】
2019130294.tif 000049
【図４１Ａ】
2019130294.tif 000050
【図４１Ｂ】
2019130294.tif 000051
【図４２】
2019130294.tif 000052
【図４３】
2019130294.tif 000053
【図４４】
2019130294.tif 000054
【図４５】
2019130294.tif 000055
【図４６】
2019130294.tif 000056
【図４７】
2019130294.tif 000057
【図４８】
2019130294.tif 000058
【図４９】
2019130294.tif 000059
【図５０】
2019130294.tif 000060
【図５１】
2019130294.tif 000061
【図５２】
2019130294.tif 000062
【図５３】
2019130294.tif 000063
【図５４】
2019130294.tif 000064
【図５５】
2019130294.tif 000065
【図５６】
2019130294.tif 000066
【図５７】
2019130294.tif 000067
【図５８】
2019130294.tif 000068
【外国語明細書】
2019130294000001.pdf